(57)【要約】  本発明はポリエーテルアミンを含有する洗浄組成物、より詳細には汚れた材料からのしみの除去に好適なポリエーテルアミンを含有する洗浄組成物に関する。【特許請求の範囲】
【請求項１】
洗浄組成物であって、
前記組成物の１重量％〜７０重量％の界面活性剤系と、
前記組成物の０．１重量％〜１０重量％、好ましくは０．重量％〜重量％の式（Ｉ）：
【化１】
2016534205.tif 000038
（式中、
ＲはＨ又はＣ１〜Ｃ６アルキル基から選択され、
ｋ１、ｋ２、及びｋ３の各々は０、１、２、３、４、５、又は６から独立して選択され、
Ａ１、Ａ２、Ａ３、Ａ４、Ａ５、及びＡ６の各々は２〜１８個の炭素原子を有する直鎖状又は分岐鎖状アルキレン基又はこれらの混合物から独立して選択され、
ｘ≧１、ｙ≧１、及びｚ≧１であり、及びｘ＋ｙ＋ｚの和は３〜１００の範囲にあり、
Ｚ１、Ｚ２、及びＺ３の各々はＮＨ２又はＯＨから独立して選択され、その場合Ｚ１、Ｚ２、及びＺ３の少なくとも２つはＮＨ２である）
のポリエーテルアミンと、
を含み、前記ポリエーテルアミンが１５０〜１０００グラム／モルの重量平均分子量を有する、洗浄組成物。
【請求項２】
式（Ｉ）の前記ポリエーテルアミンにおいて、ＲがＨ又はメチル、エチル、又はプロピルから選択されるＣ１〜Ｃ６アルキル基である、請求項１に記載の洗浄組成物。
【請求項３】
式（Ｉ）の前記ポリエーテルアミンにおいて、ｋ１、ｋ２、及びｋ３の各々が０、１、又は２から独立して選択される、請求項１又は２に記載の洗浄組成物。
【請求項４】
ｋ１、ｋ２、及びｋ３の少なくとも２つが１である、請求項１〜３のいずれか一項に記載の洗浄組成物。
【請求項５】
式（Ｉ）の前記ポリエーテルアミンにおいて、Ａ１、Ａ２、Ａ３、Ａ４、Ａ５、及びＡ６の各々が、２〜１０個の炭素原子を有する直鎖状又は分岐鎖状アルキレン基から独立して選択され、好ましくはＡ１、Ａ２、Ａ３、Ａ４、Ａ５、及びＡ６の各々が、２〜４個の炭素原子を有する直鎖状又は分岐鎖状アルキレン基から独立して選択される、請求項１〜４のいずれか一項に記載の洗浄組成物。
【請求項６】
式（Ｉ）の前記ポリエーテルアミンにおいて、Ａ１、Ａ２、Ａ３、Ａ４、Ａ５、及びＡ６の少なくとも１つが、直鎖状又は分岐鎖状ブチレン基である、請求項１〜５のいずれか一項に記載の洗浄組成物。
【請求項７】
式（Ｉ）の前記ポリエーテルアミンにおいて、ｘ＋ｙ＋ｚの和が３〜３０の範囲にある、請求項１〜６のいずれか一項に記載の洗浄組成物。
【請求項８】
式（Ｉ）の前記ポリエーテルアミンが、３５０〜８００グラム／モルの重量平均分子量を有する、請求項１〜７のいずれか一項に記載の洗浄組成物。
【請求項９】
０．００１重量％〜１重量％の酵素を更に含み、好ましくは前記酵素がリパーゼ、アミラーゼ、プロテアーゼ、マンナーゼ、又はこれらの組合せから選択される、請求項１〜８のいずれか一項に記載の洗浄組成物。
【請求項１０】
前記界面活性剤系が、アニオン性界面活性剤、カチオン性界面活性剤、非イオン性界面活性剤、両性界面活性剤から選択される１つ以上の界面活性剤を含む、請求項１〜９のいずれか一項に記載の洗浄組成物。
【請求項１１】
０．１重量％〜１０重量％の、オリゴアミン、トリアミン、ジアミン、又はこれらの組合せ、好ましくはテトラエチレンペンタミン、トリエチレンテトラミン、ジエチレントリアミン、又はこれらの混合物から選択される追加のアミンを更に含む、請求項１〜１０のいずれか一項に記載の洗浄組成物。
【請求項１２】
１重量％〜７０重量％の界面活性剤系と、
０．１重量％〜１０重量％の、下記式：
【化２】
2016534205.tif 000039
（式中、平均のｎが０．５〜５である）
又はこれらの混合物から選択されるポリエーテルアミンと、
を含む、洗浄組成物。
【請求項１３】
１重量％〜７０重量％の界面活性剤と、
０．１重量％〜１０重量％のポリエーテルアミンであって、
ａ）低分子量トリオールとＣ２〜Ｃ１８アルキレンオキシドとを反応させて、アルコキシル化トリオールを形成する工程であって、低分子量トリオール：アルキレンオキシドのモル比が１：３〜１：１０の範囲にある、工程と、
ｂ）前記アルコキシル化トリオールをアンモニアによりアミノ化する工程と、
により得られる、ポリエーテルアミンと、
を含む、洗浄組成物。
【請求項１４】
前記低分子量トリオールが、グリセリン、１，１，１−トリメチロールプロパン、及びこれらの混合物からなる群から選択される、請求項１３に記載の洗浄組成物。
【請求項１５】
前記低分子量トリオールが１，１，１−トリメチロールプロパンであり及び生成ポリエーテルアミンが５００〜１０００の重量平均分子量を有する、請求項１３又は請求項１４に記載の洗浄組成物。
【発明の詳細な説明】
【技術分野】
【０００１】
本発明はポリエーテルアミンを含有する洗浄組成物、より詳細には汚れた材料からのしみの除去に好適なポリエーテルアミンを含有する洗浄組成物に関する。
【背景技術】
【０００２】
合成繊維から作られるイージケアの布地の人気の増大並びに増加し続けるエネルギーコスト及び洗剤ユーザーのエコロジー面での懸念の高まりにより、一時は人気のあった温水及び熱水洗浄は、冷水（３０℃以下）での布地洗浄に優先順位を譲った。多数の市販の洗濯洗剤は、１５℃、更には９℃で布地の洗浄に好適であること宣伝されている。そのような低温で満足な洗浄結果、熱水洗浄で得られるものに匹敵する結果を得るためには、低温洗剤への要求は極めて高い。
【０００３】
在来の界面活性剤の洗浄力を増強して、３０℃以下の温度で油しみの除去を改善するために、ある添加物を洗剤組成物中に含めることは知られている。例えば、少なくとも１つの合成アニオン性及び／又は非イオン性界面活性剤に加えて脂肪族アミン化合物を含有する洗濯洗剤は既知である。また、洗濯洗剤において直鎖状アルキル変成（二級）アルコキシプロピルアミンを使用して、低温での洗浄を改善することは既知である。
【発明の概要】
【発明が解決しようとする課題】
【０００４】
しかしながら、これらの既知の洗濯洗剤は、低温での満足な洗浄を達成することはできない。
【０００５】
更に、洗濯洗剤の芳香の安定化及びより永続性の香りの付与のための直鎖状の一級ポリオキシアルキレンアミン（例えば、Ｊｅｆｆａｍｉｎｅ（登録商標）Ｄ−２３０）の使用も既知である。また、液体洗剤のおける起泡の抑制のために高分子量（少なくとも約１０００の分子量）の分岐した、三官能性一級アミン（例えば、Ｊｅｆｆａｍｉｎｅ（登録商標）Ｔ−５０００ポリエーテルアミン）を使用することも既知である。加えて、モノエーテルジアミン（例えば、少なくとも１０重量％のエーテルアミン混合物）含有エーテルアミン混合物、その製造方法、及びポリマーの合成における硬化剤又は原材料としてのその使用が知られている。終りに、ジアミン又はポリアミンとアルキレンオキシド及びアミン末端ポリエーテルとエポキシド官能性化合物との反応から誘導される化合物との反応から誘導される化合物を使用して、起泡を抑制することが知られている。
【０００６】
洗濯洗剤の製造及び品質をどのような形であっても妨害せずに、低洗浄温度、例えば３０℃以下で洗浄性能を改善することができる、洗剤添加物を求める継続するニーズが存在する。より具体的には、微粒子洗浄に悪影響を及ぼさずに冷水油洗浄を改善できる、洗剤添加物を求めるニーズが存在する。驚くべきことには、本発明の洗浄組成物は、特定のトリオールから誘導されるポリエーテルアミン化合物を使用することにより、増強された油除去（特に、冷水中の）を提供することが判明した。これらのポリエーテルアミン化合物は、驚くほど有効な油除去をもたらす。
【課題を解決するための手段】
【０００７】
本発明は、本発明に１つの態様では、次の洗浄組成物（液体、粉末、単位投与形、パウチ、又は錠剤の形の）を提供することによりこのニーズの１つ以上の解決を試みる。その組成物は、組成物の量で約１重量％〜約７０重量％の界面活性剤系、及び組成物の量で約０．１重量％〜約１０重量％の式（Ｉ）：
【０００８】
【化１】
2016534205.tif 000002
（式中、
ＲはＨ又はＣ１〜Ｃ６アルキル基から選択され、
ｋ１、ｋ２、及びｋ３の各々は０、１、２、３、４、５、又は６から独立して選択され、
Ａ１、Ａ２、Ａ３、Ａ４、Ａ５、及びＡ６の各々は約２〜約１８個の炭素原子を有する直鎖状又は分岐鎖状アルキレン基又はこれらの混合物から独立して選択され、
ｘ≧１、ｙ≧１、及びｚ≧１であり、及びｘ＋ｙ＋ｚの和は約３〜約１００の範囲にあり、
及びＺ１、Ｚ２、及びＺ３の各々はＮＨ２又はＯＨから独立して選択され、その場合Ｚ１、Ｚ２、及びＺ３の少なくとも２つはＮＨ２である）のポリエーテルアミンを含む。
【０００９】
本開示は、更に、約１重量％〜約７０重量％の界面活性剤系、及び下記の式Ａ、式Ｂ、式Ｃ、及びこれらの混合物からなる群から選択される、約０．１重量％〜約１０重量％のポリエーテルアミンを含む洗浄組成物に関する：
【００１０】
【化２】
2016534205.tif 000003
そこでは、平均のｎは約０．５〜約５である。
【００１１】
本開示は、更に、約１重量％〜約７０重量％の界面活性剤系、及び約０．１重量％〜約１０重量％のポリエーテルアミンを含む洗浄組成物であって、ポリエーテルアミンが、
ａ）低分子量の水溶性有機トリオールとＣ２〜Ｃ１８アルキレンオキシドとを反応させて、アルコキシル化トリオールを形成し、そこでは低分子量トリオール：アルキレンオキシドのモル比が１：３〜１：１０の範囲にあり、及び
ｂ）アルコキシル化トリオールをアンモニアによりアミノ化することにより得られるものに関する。
【００１２】
本発明は、更に、汚れた材料の洗浄方法を含む。そのような方法は、汚れた材料を本発明の洗浄組成物と接触させることを含む、汚れた材料の前処理を含む。
【発明を実施するための形態】
【００１３】
本発明の種々の実施形態の特性及び利点は、本発明の幅広い表現を与えるよう意図される特定の実施形態の例を含む以下の記述から明らかになる。様々な改変がこの説明及び本発明の実施から当業者には明白であろう。この範囲は開示された特定の形に限定されるようには意図されず、及び本発明は、クレームにより定義されるような本発明の精神及び範囲内に入る全ての改変、同等物、及び代替物を網羅する。
【００１４】
本明細書において使用するとき、「ｔｈｅ」、「ａ」及び「ａｎ」などの冠詞は、特許請求の範囲又は明細書において使用される場合、特許請求又は記載されているものの１つ以上のものを意味するように理解される。
【００１５】
本明細書で使用するとき、用語「含む（include）」、「含む（includes）」及び「含んでいる（including）」は、非限定であるように意図される。
【００１６】
用語「実質的に含まない」は、本明細書で使用されるとき成分又は不純物としてのその最少量又は別な成分の意図されない副生物が完全に無いことを指す。一部の態様では、ある成分を「実質的に含まない」組成物は、その組成物が、組成物の量で０．１重量％未満、又は０．０１重量％未満、又は更には０重量％の成分を含むということを意味する。
【００１７】
本明細書で使用するとき、用語「汚れた布地」は、非特定的に使用され、限定ではないが木綿、亜麻布、ウール、ポリエステル、ナイロン、絹、アクリル及びこれらに類するものなどの天然、人工及び合成繊維を包含する天然又は人工繊維の網状構造、並びに様々なブレンド及び組み合わせからなる任意のタイプの可撓性材料を指してもよい。汚れた材料は、限定ではないがタイル、花崗岩、しっくい、ガラス、複合物、ビニル、堅木、金属、調理用表面、プラスチック、及びこれらに類するものなどの天然、人工及び合成表面を含む任意のタイプの硬質表面、並びに様々なブレンド及び組み合わせを更に指してもよい。
【００１８】
本明細書では、全ての濃度及び比率は、特に指定しない限り、洗浄組成物の重量基準による。
【００１９】
洗浄組成物
本明細書で使用するとき、語句「洗浄組成物」は、汚れた布地を洗浄するよう設計された組成物及び配合物を含む。そのような組成物は、洗濯洗浄組成物及び洗剤、布地柔軟化組成物、布地強化組成物、布地消臭組成物、予洗い用洗剤（laundry prewash）、洗濯前処理剤、洗濯添加剤、スプレー製品、ドライクリーニング剤又は組成物、洗濯すすぎ添加剤、洗浄添加剤、すすぎ後布地トリートメント、アイロン助剤、食器洗い組成物、硬質面洗浄組成物、単位分量配合剤、遅延送達配合剤、多孔性基材又は不織布の上又は中に含有される洗剤、及び本明細書の教示を考慮すると当業者には明白な他の好適な形態を含むが、これらに限定されない。そのような組成物は、洗濯前処理、洗濯後処理として、使用してもよく、あるいは、洗濯作業のすすぎ又は洗浄サイクル中に添加されてもよい。この洗浄組成物は、液体、粉末、単相又は多相の一回量包装、パウチ、錠剤、ゲル、ペースト、バー、又はフレークから選択される形状を有してもよい。
【００２０】
ポリエーテルアミン
本明細書で記述される洗剤組成物は、洗浄組成物の量で約０．１重量％〜約１０重量％、一部の例では、約０．２重量％〜約５重量％、又は約０．５重量％〜約３重量％の更なるポリエーテルアミンを含んでもよい。
【００２１】
一部の態様では、ポリエーテルアミンは式（Ｉ）：
【００２２】
【化３】
2016534205.tif 000004
の構造により表される。
式中、
ＲはＨ又はＣ１〜Ｃ６アルキル基から選択され、
ｋ１、ｋ２、及びｋ３の各々は０、１、２、３、４、５、又は６から独立して選択され、
Ａ１、Ａ２、Ａ３、Ａ４、Ａ５、及びＡ６の各々は約２〜約１８個の炭素原子を有する直鎖状又は分岐鎖状アルキレン基又はこれらの混合物から独立して選択され、
ｘ≧１、ｙ≧１、及びｚ≧１であり、及びｘ＋ｙ＋ｚの和は約３〜約１００の範囲にあり、及び
Ｚ１、Ｚ２、及びＺ３の各々はＮＨ２又はＯＨから独立して選択され、その場合Ｚ１、Ｚ２、及びＺ３の少なくとも２つはＮＨ２である。
【００２３】
一部の態様では、Ｒは、Ｈ又はメチル基、エチル基、又はプロピル基から選択されるＣ１〜Ｃ６アルキル基である。一部の態様では、ＲはＨ又はエチル基から選択されるＣ１〜Ｃ６アルキル基である。
【００２４】
一部の態様では、ｋ１、ｋ２、及びｋ３の各々は０、１、又は２から独立して選択される。一部の態様では、ｋ１、ｋ２、及びｋ３の各々は０又は１から独立して選択される。一部の態様では、ｋ１、ｋ２、及びｋ３の少なくとも２つは１である。一部の態様では、ｋ１、ｋ２、及びｋ３の各々は１である。
【００２５】
一部の態様では、Ｚ１、Ｚ２、及びＺ３の各々はＮＨ２である。
【００２６】
Ａ１、Ａ２、Ａ３、Ａ４、Ａ５、及びＡ６は同一であっても又は異なってもよい。Ａ１〜Ａ６の少なくとも２つは同一であってもよく、Ａ１〜Ａ６の少なくとも２つは異なってもよく、又はＡ１〜Ａ６の各々は相互に異なってもよい。Ａ１、Ａ２、Ａ３、Ａ４、Ａ５、及びＡ６の各々は、約２〜約１０個、約２〜約６個、約２〜約４個の炭素原子を有する直鎖状又は分岐鎖状アルキレン基又はこれらの混合物から独立して選択されてもよい。一部の態様では、Ａ１〜Ａ６の少なくとも１つ又は少なくとも３つは直鎖状又は分岐鎖状ブチレン基である。一部の態様では、Ａ４、Ａ５、及びＡ６の各々は直鎖状又は分岐鎖状ブチレン基である。一部の態様では、Ａ１〜Ａ６の各々は直鎖状又は分岐鎖状ブチレン基である。
【００２７】
一部の態様では，×、ｙ、及び／又はｚは独立して３以上であり、式（Ｉ）のポリエーテルアミンが１つ以上の［Ａ１−Ｏ］基、１つ以上の［Ａ２−Ｏ］基、及び／又は１つ以上の［Ａ３−Ｏ］基を有してもよいということを意味する。１つの態様では、Ａ１は、エチレン、プロピレン、ブチレン、又はその混合物から選択される。１つの態様では、Ａ２は、エチレン、プロピレン、ブチレン、又はその混合物から選択される。１つの態様では、Ａ３は、エチレン、プロピレン、ブチレン、又はその混合物から選択される。
【００２８】
一部の態様では、［Ａ１−Ｏ］は、エチレンオキシド、プロピレンオキシド、ブチレンオキシド、又はこれらの混合物から選択される。一部の態様では、［Ａ２−Ｏ］は、エチレンオキシド、プロピレンオキシド、ブチレンオキシド、又はこれらの混合物から選択される。一部の態様では、［Ａ３−Ｏ］は、エチレンオキシド、プロピレンオキシド、ブチレンオキシド、又はこれらの混合物から選択される。
【００２９】
Ａ１、Ａ２、及び／又はＡ３がエチレン、プロピレン、及び／又はブチレンの混合物である場合には、生成するアルコキシレートは、ブロック様構造又はランダム構造を有してもよい。
【００３０】
非限定的な例示のために、式（Ｉ）のポリエーテルアミン中でｘ＝７の場合には、ポリエーテルアミンは６つの［Ａ１−Ｏ］基を含む。Ａ１がエチレン基及びプロピレン基の混合物を含むならば、生成ポリエーテルアミンは、エトキシ（ＥＯ）基及びプロポキシ（ＰＯ）基の混合物を含むであろう。これらの基は、ランダム構造（例えば、ＥＯ−ＥＯ−ＰＯ−ＥＯ−ＰＯ−ＰＯ）又はブロック様構造（ＥＯ−ＥＯ−ＥＯ−ＰＯ−ＰＯ−ＰＯ）で配列されていてもよい。この例示的な例では、等しい数の異なるアルコキシ基（ここでは、３つのＥＯ及び３つのＰＯ）があるが、異なる数の各アルコキシ基（例えば、５つのＥＯ及び１つのＰＯ）があってもよい。更に、ポリエーテルアミンがアルコキシ基をブロック様構造で含む場合には、ポリエーテルアミンは例示的な例（そこでは、３つのＥＯ基が一方のブロックを形成し、及び３つのＰＯ基がもう一方のブロックを形成する）に示されるように２つのブロックを含んでもよく、又はポリエーテルアミンは２つ以上のブロックを含んでもよい。
【００３１】
一部の態様では、ｘ＋ｙ＋ｚの和は約３〜約１００、又は約３〜約３０、又は約３〜約１０、又は約５〜約１０の範囲にある。
【００３２】
典型的には、本発明のポリエーテルアミンは、約１５０、又は約２００、又は約３５０、又は約５００グラム／モルから約１０００、約９００、約８００グラム／モルまでの重量平均分子量を有する。ポリマーの分子量は、重合反応は重量平均分子量により要約される分子量の分布を生じる点で、典型的な分子と異なる。本発明のポリエーテルアミンポリマーは、したがってある範囲の分子量にわたって分布する。分子量の差は、主として合成時に一緒にシ−ケンス化するモノマー単位の数の差に帰せられる。本発明のポリエーテルアミンポリマーに関しては、モノマー単位は、式（ＩＩ）のトリオールと反応して、アルコキシル化トリオールを形成し、次いでアミノ化されて、生成するポリエーテルアミンポリマーを形成するアルキレンオキシドである。生成ポリエーテルアミンポリマーは、アルキレンオキシド単位のシーケンスにより特徴付けられる。アルコキシル化反応は、アルキレンオキシドのシーケンスの分布、したがって分子量の分布を生じる。アルコキシル化反応は、また、反応時に反応せず、及び組成物中に残らない未反応アルキレンオキシドモノマー（「未反応モノマー」）を生じる。
【００３３】
一部の態様では、式（Ｉ）のポリエーテルアミンでは、Ｒはエチル基であり、ｋ１、ｋ２、及びｋ３の各々は１であり、及びポリエーテルアミンの分子量は約５００〜約１０００グラム／モルである。一部の態様では、式（Ｉ）のポリエーテルアミンでは、Ｒはエチル基であり、ｋ１、ｋ２、及びｋ３の各々は１であり、及びＡ１、Ａ２、Ａ３、Ａ４、Ａ５、又はＡ６の少なくとも１つはエチレン、ブチレン、又はこれらの混合物、典型的にはブチレンである。
【００３４】
一部の態様では、組成物は、次の構造のポリエーテルアミンを含み、
【００３５】
【化４】
2016534205.tif 000005
そこでは、平均のｎは、約０．５〜約５、又は約１〜約３、又は約１〜約２．５である。
【００３６】
一部の態様では、組成物は、下記の式Ａ、式Ｂ、式Ｃ及びこれらの混合物からなる群から選択されるポリエーテルアミンを含み：
【００３７】
【化５】
2016534205.tif 000006
そこでは、ｎは約０．５〜約５である。
【００３８】
本発明のポリエーテルアミン、例えば式（Ｉ）のポリエーテルアミンは、次のステップを含む方法により得られてもよい：
ａ）グリセリン及び／又は１，１，１−トリメチロールプロパンなどの低分子量の有機トリオールとＣ２〜Ｃ１８アルキレンオキシドとを反応させて、アルコキシル化トリオールを形成し、そこでは低分子量有機トリオール：アルキレンオキシドのモル比が約１：３〜約１：１０の範囲にあり、及び
ｂ）アルコキシル化トリオールをアンモニアによりアミノ化することにより得られるものに関する。
【００３９】
この方法は下記により詳細に説明される。
【００４０】
アルコキシル化
式（Ｉ）のポリエーテルアミンは、アルコキシル化トリオールの還元アミノ化により得られてもよい。本開示のアルコキシル化トリオールは、グリセリン及び／又は１，１，１−トリメチロールプロパンなどの低分子量の有機トリオールとアルキレンオキシドとの当業界で既知の一般的なアルコキシル化手順に従って反応により得られてもよい。
【００４１】
「低分子量」とは、トリオールが、約６４〜約５００、又は約６４〜約３００、又は約７８〜約２００、約９２〜約１３５の分子量を有するという意味である。このトリオールは水溶性であってもよい。
【００４２】
一部の態様では、低分子量の有機トリオール（又は本明細書で使用されるときは、簡単に「低分子量トリオール」）は、式（ＩＩ）の構造を有し：
【００４３】
【化６】
2016534205.tif 000007
式中、ＲはＨ又はＣ１〜Ｃ６アルキル基から選択され、及びｋ１、ｋ２、及びｋ３の各々は０、１、２、３、４、５、又は６から独立して選択される。一部の態様では、ＲはＨ又はメチル、エチル、又はプロピルから選択されるＣ１〜Ｃ６アルキル基である。一部の態様では、ＲはＨ又はエチルである。一部の態様では、ｋ１、ｋ２、及びｋ３は０、１、又は２から各々独立して選択される。ｋ１、ｋ２、及びｋ３の各々は０又は１から独立して選択されてもよい。一部の態様では、ｋ１、ｋ２、及びｋ３の少なくとも２つは１である。一部の態様では、ｋ１、ｋ２、及びｋ３の各々は１である。
【００４４】
一部の態様では、低分子量トリオールは、グリセリン、１，１，１−トリメチロールプロパン、又はこれらの混合物から選択される。
【００４５】
【化７】
2016534205.tif 000008
【００４６】
アルコキシル化グリセリン又はアルコキシル化１，１，１−トリメチロールプロパンなどのアルコキシル化トリオールは、低分子量トリオールとアルキレンオキシドとの反応による既知の方法で作製されてもよい。好適なアルキレンオキシドは、線状又は分岐Ｃ２〜Ｃ１８アルキレンオキシド、典型的にはＣ２〜Ｃ１０アルキレンオキシド、より典型的にはＣ２〜Ｃ６アルキレンオキシド又はＣ２〜Ｃ４アルキレンオキシドである。好適なアルキレンオキシドとしては、エチレンオキシド、プロピレンオキシド、ブチレンオキシド、ペンテンオキシド、ヘキセンオキシド、デセンオキシド、及びドデセンオキシドが挙げられる。一部の態様では、Ｃ２〜Ｃ１８アルキレンオキシドは、エチレンオキシド、プロピレンオキシド、ブチレンオキシド、又はこれらの混合物から選択される。一部の態様では、Ｃ２〜Ｃ１８アルキレンオキシドは、所望により他のＣ２〜Ｃ１８アルキレンオキシドと組み合わせたブチレンオキシドである。
【００４７】
グリセリン又は１，１，１−トリメチロールプロパンなどの低分子量トリオールは、１つの単一の形のアルキレンオキシド又は２つ以上の異なる形のアルキレンオキシド、例えばエチレンオキシド及びプロピレンオキシドの組み合わせと反応させてもよい。２つ以上の異なる形のアルキレンオキシドを使用するならば、生成アルコキシレートはブロック様構造又はランダム構造を有することがある。
【００４８】
典型的には、アルコキシル化反応が行われる低分子量トリオール：Ｃ２〜Ｃ１８アルキレンオキシドのモル比は、約１：３〜約１：１０、より典型的には約１：３〜約１：６，更により典型的には約１：４〜約１：６である。一部の態様では，アルコキシル化反応が行われる低分子量トリオール：Ｃ２〜Ｃ１８アルキレンオキシドのモル比は約１：５〜約１：１０の範囲である。
【００４９】
一部の態様では、低分子量トリオールは１，１，１−トリメチロールプロパンであり、及び生成ポリエーテルアミンは約５００ないし約１０００、又は約９００、又は約８００グラム／モルの重量平均分子量を有する。
【００５０】
反応は、一般に触媒の存在において水溶液中約７０〜約２００℃、及び典型的には約８０〜約１６０℃で行われる。反応は、最大約１ＭＰｐａ（１０ｂａｒ）、又は最大約０．８ＭＰａ（８ｂａｒ）の圧力で進行する。
【００５１】
好適な触媒の例は、水酸化ナトリウム、水酸化カリウム及び水酸化カルシウムなどのアルカリ金属及びアルカリ土類金属水酸化物、アルカリ金属アルコキシド、特にナトリウムメトキシド、ナトリウムエトキシド及びカリウムｔｅｒｔ−ブトキシドなどのナトリウム及びカリウムＣ１〜Ｃ４−アルコキシド、水素化ナトリウム及び水素化カルシウムなどのアルカリ金属及びアルカリ土類金属水素化物、並びに炭酸ナトリウム及び炭酸カリウムなどのアルカリ金属炭酸塩である。一部の態様では、触媒は、アルカリ金属水酸化物、典型的には水酸化カリウム又は水酸化ナトリウムである。塩基性触媒の典型的な使用量は、低分子量トリオール及びアルキレンオキシドの合計量で０．０５〜１０重量％、特に０．１〜２重量％である。アルコキシル化反応時、触媒残渣などの特定の不純物−ポリマーの意図されない成分−が形成されることもある。
【００５２】
アミノ化
式（Ｉ）のポリエーテルアミンは、上述のものなどアルコキシル化トリオール、例えばアルコキシル化グリセリン又はアルコキシル化１，１，１−トリメチロールプロパンとアンモニアとの水素及びニッケル含有触媒などの触媒の存在における還元アミノ化により得られてもよい。好適な触媒は、国際公開第２０１１／０６７１９９（Ａ１）号、同第２０１１／０６７２００（Ａ１）号、及び欧州特許第０６９６５７２（Ｂ１）号に記載されている。
【００５３】
アミノ化は銅−、ニッケル−又はコバルト含有触媒の存在において行われてもよい。好ましい触媒は、担持された銅−、ニッケル−及びコバルト含有触媒であり、そこでは触媒の触媒活性材料が、水素による還元前には、アルミニウム、銅、ニッケル及びコバルトの酸素化合物、及びＳｎＯとして計算して約０．２％〜約５．０重量％の範囲のスズの酸素化合物を含む。他の好適な触媒は、担持された銅−，ニッケル−及びコバルト含有触媒であり、そこでは触媒の触媒活性材料が、水素によるその還元前には、アルミニウム、銅、ニッケル、コバルト、スズの酸素化合物、及びそれぞれＹ２Ｏ３、Ｌａ２Ｏ３、Ｃｅ２Ｏ３及びＨｆ２Ｏ３として計算して約０．２〜約５．０重量％の範囲のイットリウム、ランタン、セリウム、及び／又はハフニウムの酸素化合物を含む。別な好適な触媒は、ジルコニウム、銅、ニッケル触媒であり、そこでは触媒活性組成物がＺｒＯ２として計算して約２０〜約８５重量％の酸素含有ジルコニウム化合物、ＣｕＯとして計算して約１〜約３０重量％の銅の酸素含有化合物、ＮｉＯとして計算して約３０〜約７０重量％のニッケルの酸素含有化合物、Ａｌ２Ｏ３及びＭｎＯ２、それぞれＡｌ２Ｏ３及びＭｎＯ２として計算して約０．１〜約５重量％のアルミニウム及び／又はマンガンの酸素含有化合物を含む。
【００５４】
還元アミノ化ステップに対しては、担持並びに非担持触媒を使用することができる。担持触媒は、当分野で周知された手法を用いて限定ではないが、既知の形のアルミナ、シリカ、木炭、カーボン、グラファイト、粘土、モルデナイトを含む当業者に既知の担持材料上に触媒組成物の金属成分を堆積することにより得られてもよく、モレキュラーシーブを使用して、担持触媒を得てもよい。触媒を担持する場合、触媒の担体粒子は、任意の幾何学的形状、例えば規則的又は不規則な形状の球、錠剤、又は円筒の形状を有してもよい。
【００５５】
工程は、連続又は不連続方式で、例えばオートクレーブ、管式反応器、又は固定床反応器中で行うことができる。多数の反応器設計を使用してもよい。例えば、反応器へのフィードは上方流又は下方流であってもよく、及び反応器中でプラグフローを最適化する反応器中の設計形体を使用してもよい。
【００５６】
アミノ化度は約６７％〜約１００％、又は約８５％〜約１００％であってもよい。アミノ化度は、全アミン価（ＡＺ）を全アセチル化可能価（ＡＣ）及び三価アミン価（ｔｅｒｔ．ＡＺ）の和で割り、１００を掛けたもの（全ＡＺ／（（ＡＣ＋ｔｅｒｔ．ＡＺ）×１００）から計算される。
【００５７】
全アミン価（ＡＺ）はＤＩＮ  １６９４５に従って求められる。
【００５８】
全アセチル化可能価（ＡＣ）はＤＩＮ  ５３２４０に従って求められる。
【００５９】
二価アミン及び三価アミン価はＡＳＴＭＤ  ２０７４−０７に従って求められる。
【００６０】
ヒドロキシル価は（全アセチル化可能価＋三価アミン価）−全アミン価から計算される。
【００６１】
本発明のポリエーテルアミンは、汚れた材料からしみ、特に油を除去するのに有効である。本発明のポリエーテルアミンを含有する洗浄組成物は、また、コーヒ、ティー、ワインなどの親水性の漂白可能なしみ、又は微粒子上で在来のアミン含有洗浄組成物で見られる洗浄面のマイナスを呈さない。加えて、在来のアミン含有洗浄組成物と異なり、本発明のポリエーテルアミンを含有する洗浄組成物は、白色布地上の白色度の面のマイナスに寄与しない。
【００６２】
本発明のポリエーテルアミンは、例えばクエン酸、乳酸、硫酸、メタンスルホン酸、塩化水素、例えば塩化水素水溶液、リン酸、又はこれらの混合物などの酸と一緒にポリエーテルアミンの水系、含水、又は無水の溶液、エマルション、ゲル又はペーストの形で使用され得る。あるいは、酸は、アルキルベンゼンスルホン酸、アルキルスルホン酸，硫酸のモノアルキルエステル、硫酸のモノアルキルエトキシエステル、脂肪酸、アルキルエトキシカルボン酸、など又はこれらの混合物などの界面活性剤により代表されてもよい。適用可能又は測定可能な場合は、溶液又はエマルションの好ましいｐＨは、ｐＨ  ３〜ｐＨ  １１、又はｐＨ  ６〜ｐＨ  ９．５、更により好ましくはｐＨ  ７〜ｐＨ  ８．５の範囲である。
【００６３】
例えば洗浄水中の洗剤として、又は油しみの前処理とそれに続く冷水洗浄によりの更なる利点は、例えば洗浄水中の洗剤として、又は油しみの前処理と続いての冷水洗浄により冷水中で油しみを除去する能力である。理論により制約されるのでないが、冷水洗浄溶液は、油を硬化又は固化する効果を有し、特に布地上での油の除去の抵抗性を大きくすると考えられる。本発明のポリエーテルアミンを含有する洗浄組成物は、前処理方法の一部として使用しそれに続く冷水洗浄を行うと驚くほど有効である。
【００６４】
界面活性剤系
クリーニング組成物は、所望の洗浄特性を付与するのに充分な量の界面活性剤系を含む。一部の実施形態では、洗浄組成物は、組成物の重量で約１％〜約７０％の界面活性剤系を含む。他の実施形態では、液体洗浄組成物は、組成物の重量で約２％〜約６０％の界面活性剤系を含む。更なる実施形態では、洗浄組成物は、組成物の重量で約５％〜約３０％の界面活性剤系を含む。界面活性剤系は、アニオン性界面活性剤、非イオン性界面活性剤、カチオン性界面活性剤、双性イオン界面活性剤、両性界面活性剤、両性電解質面活性剤、及びその混合物から選択される洗浄性界面活性剤を含んでもよい。当業者であれば、洗浄性界面活性剤は、汚れた布地に洗浄、しみ除去、又は洗濯効果をもたらす、任意の界面活性剤又は界面活性剤混合物を包含することを理解するであろう。
【００６５】
アニオン性界面活性剤
一部の例では、洗浄組成物の界面活性剤系は、界面活性剤系の重量で約１％〜約７０％の１つ以上のアニオン性界面活性剤を含んでもよい。他の例では、洗浄組成物の界面活性剤系は、界面活性剤系の重量で約２％〜約６０％の１つ以上のアニオン性界面活性剤を含んでもよい。更なる例では、洗浄組成物の界面活性剤系は、界面活性剤系の重量で約５％〜約３０％の１つ以上のアニオン性界面活性剤を含んでもよい。更なる例では、界面活性剤系は、本質的に１種以上のアニオン性界面活性剤から構成されてもよく、又は更には１種以上のアニオン性界面活性剤から構成される。
【００６６】
好適なアニオン性界面活性剤の具体的な非限定的な例としては、任意の在来のアニオン性界面活性剤が挙げられる。これは、例えばアルコキシル化及び／又は非アルコキシル化アルキルサルフェート材料用のサルフェート洗浄性界面活性剤、及び／又はスルホン酸系洗浄性界面活性剤、例えばアルキルベンゼンスルホネートを含んでもよい。
【００６７】
アルコキシル化アルキルサルフェート材料は、アルキルエーテルサルフェート又はアルキルポリエトキシレートサルフェートとしても既知のエトキシル化アルキルサルフェート界面活性剤を含む。エトキシル化アルキルサルフェートとしては、水溶性塩、特に約８個〜約３０個の炭素原子を含有するアルキル基及びスルホン酸基及びその塩を分子構造の中に有する有機イオウ反応生成物のアルカリ金属塩、アンモニウム塩、及びアルキロールアンモニウム塩が挙げられる。用語「アルキル」には、アシル基のアルキル部分が含まれる。一部の例では、アルキル基は、約１５個の炭素原子〜約３０個の炭素原子を含有する。他の例では、アルキルエーテルサルフェート界面活性剤は、約１２〜３０個の炭素原子の範囲内、及び一部の例では約２５個の炭素原子の平均炭素鎖長の範囲内の平均（算術平均）炭素鎖長、及び約１モル〜４モルのエチレンオキシドの平均（算術平均）エトキシル化度、及び一部の例では１．８モルのエチレンオキシドの平均（算術平均）エトキシル化を有するアルキルエーテルサルフェートの混合物であってもよい。更なる例では、アルキルエーテルサルフェート界面活性剤は、約１０炭素原子〜約１８炭素原子の間の炭素鎖長、及びエチレンオキシド約１〜約６モルのエトキシル化度を有してもよい。なお更なる例では、アルキルエーテルサルフェート界面活性剤はピークのあるエトキシル化分布を含んでもよい。
【００６８】
非エトキシル化アルキルサルフェートは、また、開示された洗浄組成物に添加され、及びアニオン性界面活性剤成分として使用されてもよい。非アルコキシル化、例えば非エトキシル化アルキルサルフェート界面活性剤の例としては、高級Ｃ８〜Ｃ２０脂肪アルコールのサルフェート化により生成されるものが挙げられる。一部の例では、一級アルキルサルフェート界面活性剤は一般式：ＲＯＳＯ３−Ｍ＋を有し、式中、Ｒが典型的には直鎖状又は分岐鎖状であってよく、直鎖状Ｃ８〜Ｃ２０ヒドロカルビル基であり、及びＭが水可溶化カチオンである。一部の例では、ＲはＣ１０〜Ｃ１５アルキルであり、及びＭはアルカリ金属である。他の例では、ＲはＣ１２〜Ｃ１４アルキルであり、及びＭはナトリウムである。
【００６９】
他の有用なアニオン性界面活性剤は、アルキル基が約９〜約１５個の炭素原子を直鎖状（線状）又は分岐鎖状の配置で含有するアルキルベンゼンスルホネートのアルカリ金属塩、例えば米国特許第２，２２０，０９９号及び第２，４７７，３８３号に記述されている形のものを含むことができる。一部の例では、アルキル基は直鎖状である。そのような直鎖状アルキルベンゼンスルホネートは「ＬＡＳ」として既知である。他の例では、直鎖状アルキルベンゼンスルホネートは、アルキル基中の約１１〜１４の平均炭素原子数を有することもある。具体的な例では、線状直鎖アルキルベンゼンスルホネートは、アルキル基中約１１．８炭素原子の平均炭素原子数を有し、Ｃ１１．８  ＬＡＳと略称されることもある。このような界面活性剤及びその作製の説明が、例えば、米国特許第２，２２０，０９９号及び第２，４７７，３８３号になされている。
【００７０】
好適なアルキルベンゼンスルホネート（ＬＡＳ）は市販の線状アルキルベンゼン（ＬＡＢ）をスルホン化することにより得られてもよく、好適なＬＡＢとしては商品名Ｉｓｏｃｈｅｍ（登録商標）としてＳａｓｏｌにより供給されているもの又はＰｅｔｒｓａにより商品名Ｐｅｔｒｅｌａｂ（登録商標）として供給されているものなどの低２−フェニルＬＡＢ、他の好適なＬＡＢとしては商品名Ｈｙｂｌｅｎｅ（登録商標）としてＳａｓｏｌにより供給されているものなどの高２−フェニルＬＡＢが挙げられる。ＨＦなどの他の合成経路も好適であることもあるが、好適なアニオン性洗浄性界面活性剤はＤＥＴＡＬ接触法により得られるアルキルベンゼンスルホネートである。一部の態様では、ＬＡＳのマグネシウム塩が使用される。
【００７１】
洗浄性界面活性剤は、中鎖分岐洗浄性界面活性剤、一部の態様では、中鎖分岐アニオン性洗浄性界面活性剤、一部の態様では、中鎖分岐アルキルサルフェート及び／又は中鎖分岐アルキルベンゼンスルホネート、例えば中鎖分岐アルキルサルフェートであってもよい。いくつかの態様では、中鎖分枝は、Ｃ１〜４アルキル基、典型的には、メチル及び／又はエチル基である。
【００７２】
本明細書で有用な他のアニオン性界面活性剤は、約８個〜約２４個（いくつかの例では約１２個〜１８個）の炭素原子を含有するパラフィンスルホネート及び二級アルカンスルホネート、並びにアルキルグリセリルエーテルスルホネート、特にこれらのＣ８〜１８アルコールのエーテル（例えば、獣脂及びココナツ油由来のもの）の水溶性塩である。アルキルベンゼンスルホネートと上述のパラフィンスルホネート、二級アルカンスルホネート及びアルキルグリセリルエーテルスルホネートとの混合物も有用である。更なる好適なアニオン性界面活性剤としては、メチルエステルスルホネート及びアルキルエーテルカルボキシレートが挙げられる。本明細書で有用な、更に好適なアニオン性界面活性剤は、米国特許第４，２８５，８４１号（Ｂａｒｒａｔら、１９８１年８月２５日発行）、及び米国特許第３，９１９，６７８号（Ｌａｕｇｈｌｉｎら、１９７５年１２月３０日発行）に見出だすことができ、これらの両方は参照により本明細書に組み込まれる。
【００７３】
アニオン性界面活性剤は酸形で存在してもよく、及び中和されて界面活性剤塩を形成してもよい。典型的な中和剤としては、水酸化物、例えばＮａＯＨ又はＫＯＨなどの金属対イオン塩基が挙げられる。酸形のアニオン性界面活性剤の更なる好適な中和剤としては、アンモニア、アミン、又はアルカノールアミンが挙げられる。アルカノールのアミン非限定的な例としては、モノエタノールアミン、ジエタノールアミン、トリエタノールアミン、及び当業界で公知の他の直鎖状又は分岐鎖状アルカノールアミンが挙げられ；好適なアルカノールアミンとしては２−アミノ−１−プロパノール、１−アミノプロパノール、モノイソプロパノールアミン、又は１−アミノ−３−プロパノールが挙げられる。アミン中和は完全又は部分的に行われてもよく、例えばアニオン性界面活性剤の一部はナトリウム又はカリウムにより中和されてもよく、及びアニオン性界面活性剤の一部はアミン又はアルカノールアミンにより中和されてもよい。
【００７４】
非イオン性界面活性剤
クリーニング組成物の界面活性剤系は、非イオン性界面活性剤を含んでもよい。一部の例では、界面活性剤系は、界面活性剤系の重量の最大約２５重量％の１種以上の非イオン性界面活性剤を例えば共界面活性剤として含む。いくつかの例では、クリーニング組成物は、界面活性剤系の重量の約０．１重量％〜約１５重量％の１種以上の非イオン性界面活性剤を含む。更なる例では、クリーニング組成物は、界面活性剤系の重量の約０．３重量％〜約１０重量％の１種以上の非イオン性界面活性剤を含む。
【００７５】
本明細書で有用な、好適な非イオン性界面活性剤は、任意の従来の非イオン性界面活性剤を含んでもよい。これらには、例えば、アルコキシル化脂肪族アルコール、及びアミンオキシド界面活性剤が含まれ得る。いくつかの例では、クリーニング組成物は、エトキシル化非イオン性界面活性剤を含有してもよい。これらの材料は米国特許４，２８５，８４１号（Ｂａｒｒａｔら、１９８１年８月２５日発行）に記載されている。非イオン性界面活性剤は、式Ｒ（ＯＣ２Ｈ４）ｎＯＨのエトキシル化アルコール及びエトキシル化アルキルフェノールから選択することができ、式中、Ｒは、約８個〜約１５個の炭素原子を含有する脂肪族炭化水素基及びアルキル基が約８個〜約１２個の炭素原子を含有するアルキルフェニル基からなる群から選択され、ｎの平均値は、約５〜約１５である。これらの界面活性剤は、米国特許第４，２８４，５３２号（Ｌｅｉｋｈｉｍら、１９８１年８月１８日発行）中でより充分に説明される。１つの例では、非イオン性界面活性剤は、アルコール中に平均約２４個の炭素原子及びアルコール１モル当たりエチレンオキシド約９モルの平均エトキシル化度を有するエトキシル化アルコールから選択される。
【００７６】
本明細書で有用な非イオン性界面活性剤の他の非限定例としては、ＳｈｅｌｌからのＮＥＯＤＯＬ（登録商標）非イオン性界面活性剤などのＣ８〜Ｃ１８アルキルエトキシレート、Ｃ６〜Ｃ１２アルキルフェノールアルコキシレート（アルコキシレート単位は、エチレンオキシ単位及びプロピレンオキシ単位の混合物）；エチレンオキシド／プロピレンオキシドブロックポリマーを有するＣ１２〜Ｃ１８アルコール及びＣ６〜Ｃ１２アルキルフェノール縮合体（例えば、ＢＡＳＦからのＰｌｕｒｏｎｉｃ（登録商標））；米国特許第６，１５０，３２２号に記載されているような、Ｃ１４〜Ｃ２２中鎖分岐アルコール、ＢＡ；米国特許第６，１５３，５７７号、米国特許第６，０２０，３０３号及び米国特許第６，０９３，８５６号に記載されているようなＣ１４〜Ｃ２２中鎖分岐状アルキルアルコキシレート、ＢＡＥｘ（式中、ｘは１〜３０）；米国特許第４，５６５，６４７号（Ｌｌｅｎａｄｏ、１９８６年１月２６日発行）に記載されているようなアルキルポリサッカライド；具体的には米国特許第４，４８３，７８０号及び米国特許第４，４８３，７７９号に記載されているようなアルキルポリクリコシド；米国特許第５，３３２，５２８号、国際公開第９２／０６１６２号、国際公開第９３／１９１４６号、国際公開第９３／１９０３８号、及び国際公開第９４／０９０９９号に記載されているようなポリヒドロキシ脂肪酸アミド；並びに米国特許第６，４８２，９９４号及び国際公開第０１／４２４０８号に記載されているようなエーテルでキャッピングされたポリ（オキシアルキル化）アルコール界面活性剤が挙げられる。
【００７７】
好適な非イオン性洗浄性界面活性剤は、また、アルキルポリグルコシド及びアルキルアルコキシル化アルコールを含む。好適な非イオン性界面活性剤は、また、商品名Ｌｕｔｅｎｓｏｌ（登録商標）としてＢＡＳＦから販売されているものを含む。
【００７８】
一部の態様では、非イオン性界面活性剤は、Ｃ８〜１８アルキルアルコキシル化アルコール、例えばＣ８〜１８アルキルエトキシル化アルコールなどのアルキルアルコキシル化アルコールから選択される。アルキルアルコキシル化アルコールは、約１〜約５０、又は約１〜約３０、又は約１〜約２０、又は約１〜約１０の平均アルコキシル化度を有してもよい。特定の態様では、アルキルアルコキシル化アルコールは、約１〜約１０、又は約１〜約７、又は約１〜約５、又は約３〜約７の平均アルコキシル化度を有するＣ８〜１８アルキルアルコキシル化アルコールである。アルキルアルコキシル化アルコールは、直鎖状又は分岐鎖状、置換又は非置換であることができる。
【００７９】
アニオン性／非イオン性組み合わせ物
界面活性剤系は、アニオン性及び非イオン性界面活性剤材料の組み合わせ物を含んでもよい。いくつかの例では、アニオン性界面活性剤対非イオン性界面活性剤の重量比は少なくとも約２：１である。他の例では、アニオン性界面活性剤：非イオン性界面活性剤の重量比は少なくとも約５：１である。更なる例では、アニオン性界面活性剤対非イオン性界面活性剤の重量比は少なくとも約１０：１である。
【００８０】
カチオン性界面活性剤
界面活性剤系は、カチオン性界面活性剤を含んでもよい。いくつかの態様では、界面活性剤系は、界面活性剤系の約０重量％〜約７重量％、約０．１重量％〜約５重量％、又は約１重量％〜約４重量％のカチオン性界面活性剤を、例えば共界面活性剤として含む。いくつかの態様では、本発明の洗浄組成物は、カチオン性界面活性剤、及びｐＨ  ７未満又はｐＨ  ６未満でカチオン性となる界面活性剤を実質的に含まない。
【００８１】
カチオン性界面活性剤の非限定的な例としては、米国特許第６，１３６，７６９号で論じられるようなアルコキシレート第四級アンモニウム（ＡＱＡ）界面活性剤；米国特許第６，００４，９２２号で論じられるようなジメチルヒドロキシエチル第四級アンモニウム；ジメチルヒドロキシエチルラウリルアンモニウムクロリド；国際公開第９８／３５００２号、同第９８／３５００３号、同第９８／３５００４号、同第９８／３５００５号及び同第９８／３５００６号で論じられるようなポリアミンカチオン性界面活性剤；米国特許第４，２２８，０４２号、同第４，２３９，６６０号、同第４，２６０，５２９号及び同第６，０２２，８４４号で論じられるようなカチオン性エステル界面活性剤；並びに米国特許第６，２２１，８２５号及び国際公開第００／４７７０８号で論じられるようなアミノ界面活性剤、具体的にはアミドプロピルジメチルアミン（ＡＰＡ）を含む、最大２６個の炭素原子を有し得る第四級アンモニウム界面活性剤が挙げられる。
【００８２】
好適なカチオン性洗浄性界面活性剤としては、また、アルキルピリジニウム化合物、アルキル四級アンモニウム化合物、アルキル四級ホスホニウム化合物、アルキル三級スルホニウム化合物、及びこれらの混合物も挙げられる。
【００８３】
好適カチオン性浄性界面活性剤は、下記の一般式を有する四級アンモニウム化合物である：
（Ｒ）（Ｒ１）（Ｒ２）（Ｒ３）Ｎ＋Ｘ−
式中、Ｒは直鎖状又は分岐鎖状、置換又は非置換Ｃ６〜１８アルキル又はアルケニル部分であり、Ｒ１及びＲ２はメチル又はエチル部分から独立して選択され、Ｒ３はヒドロキシ、ヒドロキシメチル又はヒドロキシエチル部分であり、Ｘは電荷の中性を提供するアニオンであり、好適なアニオンとしてはハライド、例えばクロリド、サルフェート、及びスルホネートが挙げられる。好適なカチオン性洗浄性界面活性剤は、モノ−Ｃ６〜１８アルキルモノ−ヒドロキシエチルジ−メチル四級アンモニウムクロリドである。高度に好適なカチオン性洗浄性界面活性剤は、モノ−Ｃ８〜１０アルキルモノ−ヒドロキシエチルジ−メチル四級アンモニウムクロリド、モノ−Ｃ１０〜１２アルキルモノ−ヒドロキシエチルジ−メチル四級アンモニウムクロリド及びモノ−Ｃ１０アルキルモノ−ヒドロキシエチルジ−メチル四級アンモニウムクロリドである。
【００８４】
双性イオン界面活性剤
双性イオン性界面活性剤の例としては、二級及び三級アミン誘導体、複素環式二級及び三級アミン誘導体、又は四級アンモニウム化合物、四級ホスホニウム化合物若しくは三級スルホニウム化合物の誘導体が挙げられる。双性イオン性界面活性剤の例である、アルキルジメチルベタイン及びココジメチルアミドプロピルベタイン、Ｃ８〜Ｃ１８（例えば、Ｃ１２〜Ｃ１８）アミンオキシド、並びに、例えば、アルキル基がＣ８〜Ｃ１８、及び特定の実施形態ではＣ１０〜Ｃ１４であり得るＮ−アルキル−Ｎ，Ｎ−ジメチルアミノ（dimethylammino）−１−プロパンスルホネートなどのスルホ及びヒドロキシベタインを含むベタインについては、米国特許第３，９２９，６７８号の１９段３８行〜２２段４８行を参照のこと。
【００８５】
両性界面活性剤
両性界面活性剤の例としては、二級又は三級アミンの脂肪族誘導体、脂肪族基が直鎖又は分岐鎖であってもよく、及び脂肪族置換基の１つが少なくとも約８個の炭素原子、典型的には約８〜約１８個の炭素原子を含み、及び脂肪族置換基の少なくとも１つがアニオン性水溶解基、例えばカルボキシ、スルホネート、サルフェートを含むヘテロ環式二級及び三級アミンの脂肪族誘導体が挙げられる。この定義の範疇に入る化合物の例は、ナトリウム３−（ドデシルアミノ）プロピオネート、ナトリウム３−（ドデシルアミノ）プロパン−１−スルホネート、ナトリウム２−（ドデシルアミノ）エチルサルフェート、ナトリウム２−（ジメチルアミノ）オクタデカノエート、二ナトリウム３−（Ｎ−カルボキシメチルドデシルアミノ）プロパン１−スルホネート、二ナトリウムオクタデシル−イミノジアセテート、ナトリウム１−カルボキシメチル−２−ウンデシルイミダゾール、及び、ナトリウムＮ，Ｎ−ビス（２−ヒドロキシエチル）−２−スルファト−３−ドデコキシプロピルアミンである。両性界面活性剤の例には、米国特許第３，９２９，６７８号（Ｌａｕｇｈｌｉｎ、１９７５年１２月３０日発行）１９段１８〜３５行を参照されたい。好適な両性界面活性剤としては、また、サルコシネート、グリコシネート、タウリネート、及びこれらの混合物も挙げられる。
【００８６】
１つの態様では、界面活性剤系は、アニオン性界面活性剤及び共界面活性剤として、非イオン性界面活性剤、例えばＣ１２〜Ｃ１８アルキルエトキシレートを含む。別の態様では、界面活性剤系はＣ１０〜Ｃ１５アルキルベンゼンスルホネート（ＬＡＳ）を含み、また共界面活性剤として、アニオン性界面活性剤、例えば、Ｃ１０〜Ｃ１８アルキルアルコキシスルフェート（ＡＥｘＳ）であって、式中ｘは１〜３０であるものを含む。別の態様では、界面活性剤系はアニオン性界面活性剤を含み、また共界面活性剤として、カチオン性界面活性剤、例えばジメチルヒドロキシエチルラウリルアンモニウムクロリドを含む。他の態様では、更なる界面活性剤系はアニオン性界面活性剤、及び両性界面活性剤、例えばＣ１２〜Ｃ１４ジメチルアミンオキシドを含む。
【００８７】
分岐界面活性剤
好適な分岐洗浄性界面活性剤としては、分岐サルフェート又は分岐スルホネート界面活性剤、例えば、分岐アルキルサルフェート、分岐アルキルアルコキシル化サルフェート、及び分岐アルキルベンゼンスルホネートから選択され、１つ又は２つ以上のランダムアルキル分岐、例えば、Ｃ１〜４アルキル基、典型的にはメチル及び／又はエチル基を含む、アニオン性分岐界面活性剤が挙げられる。
【００８８】
一部の態様では、分岐洗浄性界面活性剤は、中鎖分岐洗浄性界面活性剤、典型的には、中鎖分岐アルキルサルフェート及び／又は中鎖分岐アルキルベンゼンスルホネート等の中鎖分岐アニオン性洗浄性界面活性剤である。いくつかの態様では、洗浄性界面活性剤は、中鎖分岐アルキルサルフェートである。いくつかの態様では、中鎖分岐は、Ｃ１〜４アルキル基、典型的にはメチル基及び／又はエチル基である。
【００８９】
一部の態様では、分岐界面活性剤は、下式のより長いアルキル鎖、中鎖分岐界面活性剤化合物を含む。
Ａｂ−Ｘ−Ｂ
式中、
（ａ）Ａｂは疎水性Ｃ９〜Ｃ２２（この部分の合計炭素数）の、典型的には約Ｃ１２〜約Ｃ１８の中鎖分岐アルキル部分であり：（１）８〜２１個の範囲の炭素原子の−Ｘ−Ｂ部分と結合した最長の直鎖炭素鎖を有し、（２）この最長の直鎖炭素鎖から分岐する１つ以上のＣ１〜Ｃ３アルキル部分分岐を有し、（３）分岐アルキル部分の少なくとも１つが、最長の直鎖炭素鎖の炭素に２位の炭素（−Ｘ−Ｂ部分と結合した炭素＃１から数える）ないしω−２位の炭素（末端炭素引く２炭素、すなわち最も長い直鎖炭素鎖の端から３番目の炭素）の範囲内の位置で直接結合し、及び（４）界面活性剤組成物が、１４．５超〜約１７．５（典型的には、約１５〜約１７）の範囲内の上記の式のＡｂ−Ｘ部分中の平均全炭素原子数を有し、
（ｂ）Ｂは、サルフェート、スルホネート、アミンオキシド、ポリオキシアルキレン（例えばポリオキシエチレン及びポリオキシプロピレン）、アルコキシル化サルフェート、ポリヒドロキシ部分、リン酸エステル、グリセロールスルホネート、ポリグルコネート、ポリリン酸エステル、ホスホネート、スルホスクシネート、スルホスカミネート（sulfosuccaminates）、ポリアルコキシル化カルボキシレート、グルカミド、タウリネート、サルコシネート、グリシネート、イセチオネート、ジアルカノールアミド、モノアルカノールアミド、モノアルカノールアミドサルフェート、ジグリコールアミド、ジグリコールアミドサルフェート、グリセロールエステル、グリセロールエステルサルフェート、グリセロールエーテル、グリセロールエーテルサルフェート、ポリグリセロールエーテル、ポリグリセロールエーテルサルフェート、ソルビタンエーテル、ポリルコキシル化ソルビタンエーテル、アンモニオアルカンスルホネート、アミドプロピルベタイン、アルキル化四級アンモニウム物、アルキル化／ポリヒドロキシル化四級アンモニウム物、アルキル化／ポリヒドロキシル化オキシプロピル四級アンモニウム物、イミダゾリン、２−イル−スクシネート、スルホン化アルキルエステル、及び、スルホン化脂肪酸（複数の疎水性部分をＢに結合して、例えば（Ａｂ−Ｘ）ｚ−Ｂではジメチル四級アンモニウム物を得る）から選択される、親水性部分であり；並びに、
（ｃ）Ｘは−ＣＨ２−及び−Ｃ（Ｏ）−から選択される。
【００９０】
一般的に上式中のＡｂ部分は、いかなる四級置換炭素原子（すなわち、４つの炭素原子が１つの炭素原子に直接結合されている）も有しない。どの親水性部分（Ｂ）を選択したかに依って、得られる界面活性剤は、アニオン性、非イオン性、陽イオン性、双性イオン性、両性、又は両性電解質であってもよい。いくつかの態様において、Ｂは硫酸塩であり、及び得られた界面活性剤はアニオン性である。
【００９１】
いくつかの態様において、分岐界面活性剤は、上式のより長いアルキル鎖、中鎖分岐界面活性剤化合物を含み、式中、Ａｂ部分は、下式を有する分岐一級アルキル部分であり、
【００９２】
【化８】
2016534205.tif 000009
式中、この式の分岐一級アルキル部分の炭素原子の総数（分岐するＲ、Ｒ１及びＲ２を含む）は１３〜１９つであり、Ｒ、Ｒ１、及びＲ２は水素及びＣ１〜Ｃ３アルキル（通常メチル）からそれぞれ独立して選択され、ただしＲ、Ｒ１、及びＲ２が全て水素ではなく、並びにｚが０の場合、少なくともＲ又はＲ１は水素でなく、ｗは０〜１３の整数であり、ｘは０〜１３の整数であり、ｙは０〜１３の整数であり、ｚは０〜１３の整数であり、並びにｗ＋ｘ＋ｙ＋ｚは７〜１３である。
【００９３】
特定の態様において、分岐界面活性剤は、上式のより長いアルキル鎖、中鎖分岐界面活性剤化合物を含み、そこではＡｂ部分は、
【００９４】
【化９】
2016534205.tif 000010
又はこれらの混合物から選択される、式を有する分岐一級アルキル部分であり、式中、ａ、ｂ、ｄ及びｅは整数であり、ａ＋ｂは１０〜１６であり、ｄ＋ｅが８〜１４であって、並びに、更に
ａ＋ｂ＝１０の場合、ａは２〜９の整数であり、ｂは１〜８の整数であり、
ａ＋ｂ＝１１の場合、ａは２〜１０の整数であり、ｂは１〜９の整数であり、
ａ＋ｂ＝１２の場合、ａは２〜１１の整数であり、ｂは１〜１０の整数であり、
ａ＋ｂ＝１３の場合、ａは２〜１２の整数であり、ｂは１〜１１の整数であり、
ａ＋ｂ＝１４の場合、ａは２〜１３の整数であり、ｂは１〜１２の整数であり、
ａ＋ｂ＝１５の場合、ａは２〜１４の整数であり、ｂは１〜１３の整数であり、
ａ＋ｂ＝１６の場合、ａは２〜１５の整数であり、ｂは１〜１４の整数であり、
ｄ＋ｅ＝８の場合、ｄは２〜７の整数であり及びｅは１〜６の整数であり、
ｄ＋ｅ＝９の場合、ｄは２〜８の整数であり及びｅは１〜７の整数であり、
ｄ＋ｅ＝１０の場合、ｄは２〜９の整数であり及びｅは１〜８の整数であり、
ｄ＋ｅ＝１１の場合、ｄは２〜１０の整数であり及びｅは１〜９の整数であり、
ｄ＋ｅ＝１２の場合、ｄは２〜１１の整数であり及びｅは１〜１０の整数であり、
ｄ＋ｅ＝１３の場合、ｄは２〜１２の整数であり及びｅは１〜１１の整数であり、
ｄ＋ｅ＝１４の場合、ｄは２〜１３の整数であり及びｅは１〜１２の整数である。
【００９５】
上述の中鎖分岐界面活性剤化合物において、特定の分岐点（例えば、上記式中のＲ、Ｒ１及び／又はＲ２部分の鎖に沿った場所）が、界面活性剤の主鎖に沿った他の分岐点より好ましい。以下の式は、モノ−メチル分岐アルキルＡｂ部分に関して、中鎖分岐範囲（すなわち、分岐点が生じるところ）、好ましい中鎖分岐範囲、及びより好ましい中鎖分岐範囲を示す。
【００９６】
【化１０】
2016534205.tif 000011
【００９７】
モノ−メチル置換界面活性剤では、これらの範囲は、鎖の２つの末端炭素原子及び−Ｘ−Ｂ基に直接隣接した炭素原子を除外する。
【００９８】
以下の式は、ジメチル置換直鎖アルキルＡｂ部分の中鎖分岐範囲、好ましい中鎖分岐範囲、及びより好ましい中鎖分岐範囲を示す。
【００９９】
【化１１】
2016534205.tif 000012
【０１００】
追加の好適な分岐界面活性剤は、米国特許第６００８１８１号、同第６０６０４４３号、同第６０２０３０３号、同第６１５３５７７号、同第６０９３８５６号、同第６０１５７８１号、同第６１３３２２２号、同第６３２６３４８号、同第６４８２７８９号、同第６６７７２８９号、同第６９０３０５９号、同第６６６０７１１号、同第６３３５３１２号、及び国際公開第９９１８９２９号に開示されている。更に他の好適な分岐界面活性剤は、国際公開第９７３８９５６号、同第９７３８９５７号、及び同第０１０２４５１号に記載されているものを含む。
【０１０１】
いくつかの態様では、分岐アニオン性界面活性剤は分岐変性アルキルベンゼンスルホン酸塩（ＭＬＡＳ）を含み、国際公開第９９／０５２４３号、同第９９／０５２４２号、同第９９／０５２４４号、同第９９／０５０８２号、同第９９／０５０８４号、同第９９／０５２４１号、同第９９／０７６５６号、同第００／２３５４９号及び同第００／２３５４８号で述べられる。
【０１０２】
いくつかの態様では、分岐アニオン性界面活性剤は、疎水性物鎖に沿ってランダムに配置されたメチル分岐を含む、Ｃ１２／１３のアルコール系界面活性剤、例えば、Ｓａｓｏｌから入手可能なＳａｆｏｌ（登録商標）、Ｍａｒｌｉｐａｌ（登録商標）を含む。
【０１０３】
更に好適な分岐アニオン性洗浄性界面活性剤は、２−アルキル位置で分岐したアルコールに由来する界面活性剤を含み、それらは商品名Ｉｓａｌｃｈｅｍ（登録商標）１２３、Ｉｓａｌｃｈｅｍ（登録商標）１２５、Ｉｓａｌｃｈｅｍ（登録商標）１４５、Ｉｓａｌｃｈｅｍ（登録商標）１６７などで販売されており、オキソ法から誘導される。オキソ法によるために、分岐は、２−アルキル位置に位置している。これらの２−アルキル分岐アルコールは、通常長さＣ１１〜Ｃ１４／Ｃ１５の範囲であって、及び全て２−アルキル位置で分岐した構造異性体を含む。これらの分岐アルコール及び界面活性剤は、米国特許第２０１１００３３４１３号に記載されている。
【０１０４】
他の好適な分枝状界面活性剤としては、米国特許第６０３７３１３号（Ｐ＆Ｇ）、国際公開第９５２１２３３号（Ｐ＆Ｇ）、米国特許第３４８０５５６号（Ａｔｌａｎｔｉｃ  Ｒｉｃｈｆｉｅｌｄ）、同第６６８３２２４号（Ｃｏｇｎｉｓ）、米国特許出願公開第２００３０２２５３０４（Ａ１）号（Ｋａｏ）、同第２００４２３６１５８（Ａ１）号（Ｒ＆Ｈ）、米国特許第６８１８７００号（Ａｔｏｆｉｎａ）、米国特許出願公開第２００４１５４６４０号（Ｓｍｉｔｈら）、欧州特許第１２８０７４６号（Ｓｈｅｌｌ）、同第１０２５８３９号（Ｌ’Ｏｒｅａｌ）、米国特許第６７６５１１９号（ＢＡＳＦ）、同第１０８００８４号（Ｄｏｗ）、米国特許第６７２３８６７号（Ｃｏｇｎｉｓ）、欧州特許第１４０１７９２（Ａ１）号（Ｓｈｅｌｌ）、同第１４０１７９７Ａ２号（Ｄｅｇｕｓｓａ  ＡＧ）、米国特許出願公開第２００４０４８７６６号（Ｒａｔｈｓら）、米国特許第６５９６６７５号（Ｌ’Ｏｒｅａｌ）、欧州特許第１１３６４７１号（Ｋａｏ）、同第９６１７６５号（Ａｌｂｅｍａｒｌｅ）、米国特許第６５８０００９号（ＢＡＳＦ）、米国特許出願公開第２００３１０５３５２号（Ｄａｄｏら）、米国特許第６５７３３４５号（Ｃｒｙｏｖａｃ）、ドイツ特許ＤＥ１０１５５５２０号（ＢＡＳＦ）、米国特許第６５３４６９１号（ｄｕ  Ｐｏｎｔ）、同第６４０７２７９号（ＥｘｘｏｎＭｏｂｉｌ）、同第５８３１１３４号（Ｐｅｒｏｘｉｄ−Ｃｈｅｍｉｅ）、同第５８１１６１７号（Ａｍｏｃｏ）、同第５４６３１４３号（Ｓｈｅｌｌ）、同第５３０４６７５号（Ｍｏｂｉｌ）、同第５２２７５４４号（ＢＡＳＦ）、同第５４４６２１３Ａ号（ＭＩＴＳＵＢＩＳＨＩ  ＫＡＳＥＩ  ＣＯＲＰＯＲＡＴＩＯＮ）、欧州特許第１２３０２００（Ａ２）号（ＢＡＳＦ）、同第１１５９２３７（Ｂ１）号（ＢＡＳＦ）、米国特許出願公開第２００４０００６２５０（Ａ１）号（ＮＯＮＥ）、欧州特許第１２３０２００（Ｂ１）号（ＢＡＳＦ）、国際公開第２００４０１４８２６Ａ１号（ＳＨＥＬＬ）、米国特許第６７０３５３５（Ｂ２）号（ＣＨＥＶＲＯＮ）、欧州特許第１１４０７４１（Ｂ１）号（ＢＡＳＦ）、国際公開第２００３０９５４０２（Ａ１）号（ＯＸＥＮＯ）、米国特許第６７６５１０６Ｂ２号（ＳＨＥＬＬ）、米国特許出願公開第２００４０１６７３５５（Ａ１）号（ＮＯＮＥ）、米国特許第６７０００２７（Ｂ１）号（ＣＨＥＶＲＯＮ）、米国特許出願公開第２００４０２４２９４６（Ａ１）号（ＮＯＮＥ）、国際公開第２００５０３７７５１（Ａ２）号（ＳＨＥＬＬ）、国際公開第２００５０３７７５２（Ａ１）号（ＳＨＥＬＬ）、米国特許第６９０６２３０（Ｂ１）号（ＢＡＳＦ）、国際公開第２００５０３７７４７（Ａ２）号（ＳＨＥＬＬ）石油会社に記述されているものが挙げられる。
【０１０５】
更なる好適な分岐アニオン性洗浄性界面活性剤としては、米国特許出願第２０１０／０１３７６４９号に記載されているようなイソプレノイド系多分岐洗剤アルコールの界面活性剤誘導体が挙げられる。イソプレノイド系界面活性剤及びイソプレノイド誘導体も「Ｃｏｍｐｒｅｈｅｎｓｉｖｅ  Ｎａｔｕｒａｌ  Ｐｒｏｄｕｃｔｓ  Ｃｈｅｍｉｓｔｒｙ：Ｉｓｏｐｒｅｎｏｉｄｓ  Ｉｎｃｌｕｄｉｎｇ  Ｃａｒｏｔｅｎｏｉｄｓ  ａｎｄ  Ｓｔｅｒｏｉｄｓ（Ｖｏｌ．ｔｗｏ）」，Ｂａｒｔｏｎ  ａｎｄ  Ｎａｋａｎｉｓｈｉ，（著作権）１９９９，Ｅｌｓｅｖｉｅｒ  Ｓｃｉｅｎｃｅ  Ｌｔｄと題する書籍に記載され、及び構造Ｅに含まれ、及び参照により本明細書に含まれる。
【０１０６】
更に好適な分岐アニオン性洗浄性界面活性剤としては、アンテイソ及びイソ−アルコールに由来するものが挙げられる。そのような界面活性剤は、国際公開第２０１２００９５２５号に開示されている。
【０１０７】
更なる好適な分岐アニオン性洗浄性界面活性剤としては、米国特許出願公開第２０１１／０１７１１５５（Ａ１）号及び同第２０１１／０１６６３７０（Ａ１）号に記載されているものが挙げられる。
【０１０８】
好適な分岐アニオン性界面活性剤としては、ゲルベアルコール系界面活性剤も挙げられる。ゲルべアルコールは、分岐点が常に第２の炭素位置にある、２つの直鎖炭素鎖を有する、分岐一級単官能性アルコールである。ゲルべアルコールは、化学的には、２−アルキル−１−アルカノールと記載される。ゲルべアルコールは、概して、１２個の炭素原子〜３６個の炭素原子を有する。ゲルべアルコールは、次式により表され得る：（Ｒ１）（Ｒ２）ＣＨＣＨ２ＯＨ［式中、Ｒ１は、直鎖アルキル基であり、Ｒ２は、直鎖アルキル基であり、Ｒ１及びＲ２中の炭素原子の合計は、１０〜３４であり、Ｒ１とＲ２のいずれも存在する。ゲルべアルコールは、ＳａｓｏｌからＩｓｏｆｏｌ（登録商標）アルコールとして、ＣｏｇｎｉｓからＧｕｅｒｂｅｔｏｌとして、市販されている。
【０１０９】
本明細書に開示されている界面活性剤系は、以上で個々に記載されている分岐界面活性剤のいずれを含んでもよく、あるいは、当該界面活性剤系は、上記の分岐界面活性剤の混合物を含んでもよい。更に、上述の分岐界面活性剤はそれぞれ、バイオ系の含有物を含んでもよい。一部の態様では、分岐界面活性剤は、少なくとも約５０％、少なくとも約６０％、少なくとも約７０％、少なくとも約８０％、少なくとも約９０％、少なくとも約９５％、少なくとも約９７％、又は約１００％のバイオ系の含有物を有する。
【０１１０】
補助的洗浄添加物
本発明の洗浄組成物はまた、補助的洗浄添加剤を含有してもよい。好適な洗浄補助添加剤としては、ビルダー、界面活性剤又は増粘剤、泥汚れ除去／再付着防止剤、高分子汚れ遊離剤、高分子分散剤、高分子グリースクリーニング剤、酵素、酵素安定化系、漂白化合物、漂白剤、漂白活性剤、漂白触媒、増白剤、染料、布地色相剤、移染防止剤、キレート剤、抑泡剤、布地柔軟剤、及び芳香剤、が挙げられる。
【０１１１】
酵素
本明細書の洗剤組成物は、洗浄性能及び／又は布地ケア効果をもたらす１つ以上の酵素を含み得る。好適な酵素の例としては、ヘミセルラーゼ、ペルオキシダーゼ、プロテアーゼ、セルラーゼ、キシラナーゼ、リパーゼ、ホスホリパーゼ、エステラーゼ、クチナーゼ、ペクチナーゼ、マンナナーゼ、ペクテートリアーゼ、ケラチナーゼ、レダクターゼ、オキシダーゼ、フェノールオキシダーゼ、リポキシゲナーゼ、リグニナーゼ、プルラナーゼ、タンナーゼ、ペントサナーゼ、マラナーゼ、β−グルカナーゼ、アラビノシダーゼ、ヒアルロニダーゼ、コンドロイチナーゼ、ラッカーゼ及びアミラーゼ、又はこれらの混合物が挙げられるが、これらに限定されない。典型的な組み合わせは、例えば、プロテアーゼ及びリパーゼをアミラーゼとともに含んでよい酵素カクテルである。前述の追加の酵素は、洗濯組成物中に存在する場合、消費者製品の約０．００００１重量％〜約２重量％、約０．０００１重量％〜約１重量％、又は更には約０．００１重量％〜約０．５重量％の酵素タンパク質の濃度で存在してよい。
【０１１２】
一態様では、好ましい酵素としてはプロテアーゼが挙げられる。好適なプロテアーゼとしては、メタロプロテアーゼ及びサブチリシン（ＥＣ  ３．４．２１．６２）などの、中性又はアルカリ性微生物セリンプロテアーゼを含む、セリンプロテアーゼが挙げられる。適切なプロテアーゼとしては、動物、植物又は微生物由来のものが挙げられる。１つの態様では、このような好適なプロテアーゼは、微生物起源のものであってよい。好適なプロテアーゼとしては、前述の好適なプロテアーゼの化学的に又は遺伝子学的に改変された突然変異体が挙げられる。１つの態様では、好適なプロテアーゼは、アルカリ性微生物プロテアーゼ又は／及びトリプシン型プロテアーゼ等のセリンプロテアーゼであり得る。適切な中性又はアルカリ性プロテアーゼの例としては、以下のものが挙げられる：
（ａ）米国特許第６，３１２，９３６（Ｂ１）号、同第５，６７９，６３０号、同第４，７６０，０２５号、同第７，２６２，０４２号及び国際公開第０９／０２１８６７号に記載されている、バチルス・レンタス、バチルス・アルカロフィルス、バチルス・ズブチリス、バチルス・アミロリケファシエンス、バチルス・プミルス及びバチルス・ギブソニーなどのバチルスから誘導されるものを含む、サブチリシン（ＥＣ  ３．４．２１．６２）。
（ｂ）国際公開第８９／０６２７０号に記述されているフサリウムプロテアーゼ、及び同第０５／０５２１６１号及び同第０５／０５２１４６号に記述されているセルロモナスに由来するキモトリプシンプロテアーゼを含む、トリプシン（例えば、ブタ又はウシ由来）などのトリプシン型又はキモトリプシン型プロテアーゼ。
（ｃ）国際公開第０７／０４４９９３（Ａ２）号に記述されている、バチルス・アミロリケファシエンスから誘導されるものを含むメタロプロテアーゼ。
【０１１３】
好ましいプロテアーゼとしては、バチルス・ギブソニー又はバチルス・レンタスから誘導されるものが挙げられる。
【０１１４】
好適な市販のプロテアーゼ酵素としては、Ａｌｃａｌａｓｅ（登録商標）、Ｓａｖｉｎａｓｅ（登録商標）、Ｐｒｉｍａｓｅ（登録商標）、Ｄｕｒａｚｙｍ（登録商標）、Ｐｏｌａｒｚｙｍｅ（登録商標）、Ｋａｎｎａｓｅ（登録商標）、Ｌｉｑｕａｎａｓｅ（登録商標）、Ｌｉｑｕａｎａｓｅ  Ｕｌｔｒａ（登録商標）、Ｓａｖｉｎａｓｅ  Ｕｌｔｒａ（登録商標）、Ｏｖｏｚｙｍｅ（登録商標）、Ｎｅｕｔｒａｓｅ（登録商標）、Ｅｖｅｒｌａｓｅ（登録商標）及びＥｓｐｅｒａｓｅ（登録商標）の商品名で販売されているもの、Ｇｅｎｅｎｃｏｒ  Ｉｎｔｅｒｎａｔｉｏｎａｌより、Ｍａｘａｔａｓｅ（登録商標）、Ｍａｘａｃａｌ（登録商標）、Ｍａｘａｐｅｍ（登録商標）、Ｐｒｏｐｅｒａｓｅ（登録商標）、Ｐｕｒａｆｅｃｔ（登録商標）、Ｐｕｒａｆｅｃｔ  Ｐｒｉｍｅ（登録商標）、Ｐｕｒａｆｅｃｔ  Ｏｘ（登録商標）、ＦＮ３（登録商標）、ＦＮ４（登録商標）、Ｅｘｃｅｌｌａｓｅ（登録商標）及びＰｕｒａｆｅｃｔ  ＯＸＰ（登録商標）の商品名で販売されているもの、Ｓｏｌｖａｙ  Ｅｎｚｙｍｅｓより、Ｏｐｔｉｃｌｅａｎ（登録商標）及びＯｐｔｉｍａｓｅ（登録商標）の商品名で販売されているもの、Ｈｅｎｋｅｌ／Ｋｅｍｉｒａより入手可能なもの、すなわちＢＬＡＰ（以下の変異Ｓ９９Ｄ＋Ｓ１０１Ｒ＋Ｓ１０３Ａ＋Ｖ１０４Ｉ＋Ｇ１５９Ｓを有する、米国特許第５，３５２，６０４号の図２９で示される配列、以下ＢＬＡＰという）、ＢＬＡＰ  Ｒ（Ｓ３Ｔ＋Ｖ４Ｉ＋Ｖ１９９Ｍ＋Ｖ２０５Ｉ＋Ｌ２１７Ｄを有するＢＬＡＰ）、ＢＬＡＰ  Ｘ（Ｓ３Ｔ＋Ｖ４Ｉ＋Ｖ２０５Ｉを有するＢＬＡＰ）及びＢＬＡＰ  Ｆ４９（Ｓ３Ｔ＋Ｖ４Ｉ＋Ａ１９４Ｐ＋Ｖ１９９Ｍ＋Ｖ２０５Ｉ＋Ｌ２１７Ｄを有するＢＬＡＰ）（全てＨｅｎｋｅｌ／Ｋｅｍｉｒａより入手可能）、並びに花王のＫＡＰ（突然変異体Ａ２３０Ｖ＋Ｓ２５６Ｇ＋Ｓ２５９Ｎを有するバチルス・アルカロフィルス由来のサブチリシン）が挙げられる。
【０１１５】
好適なα−アミラーゼとしては、細菌又は真菌由来のものが挙げられる。化学的に又は遺伝子学的に改変された突然変異体（変異体）が含まれる。好ましいアルカリ性α−アミラーゼは、Ｂａｃｉｌｌｕｓの菌種から、例えば、Ｂａｃｉｌｌｕｓ  ｌｉｃｈｅｎｉｆｏｒｍｉｓ、Ｂａｃｉｌｌｕｓ  ａｍｙｌｏｌｉｑｕｅｆａｃｉｅｎｓ、Ｂａｃｉｌｌｕｓ  ｓｔｅａｒｏｔｈｅｒｍｏｐｈｉｌｕｓ、Ｂａｃｉｌｌｕｓ  ｓｕｂｔｉｌｉｓ、又は他のＢａｃｉｌｌｕｓ  ｓｐ、例えばＢａｃｉｌｌｕｓ  ｓｐ．ＮＣＩＢ  １２２８９、ＮＣＩＢ  １２５１２、ＮＣＩＢ  １２５１３、ＤＳＭ  ９３７５（米国特許第７，１５３，８１８号）、ＤＳＭ  １２３６８、ＤＳＭＺ  ｎｏ．１２６４９、ＫＳＭ  ＡＰ１３７８（国際公開第９７／００３２４号）、ＫＳＭ  Ｋ３６又はＫＳＭ  Ｋ３８（欧州特許第１，０２２，３３４号）に由来する。好ましいアミラーゼとしては次のものが挙げられる。
（ａ）国際公開第９４／０２５９７号、同第９４／１８３１４号、同第９６／２３８７４号、及び同第９７／４３４２４号に記載の変異体、特に国際公開第９６／２３８７４号で配列番号２として記載の酵素に対して、位置：１５、２３、１０５、１０６、１２４、１２８、１３３、１５４、１５６、１８１、１８８、１９０、１９７、２０２、２０８、２０９、２４３、２６４、３０４、３０５、３９１、４０８及び４４４のうちの１つ以上が置換された変異体。
（ｂ）米国特許第５，８５６，１６４号及び国際公開第９９／２３２１１号、同第９６／２３８７３号、同第００／６００６０号、及び同第０６／００２６４３号に記載の変異体、特に国際公開第０６／００２６４３号で配列番号１２として記載のＡＡ５６０酵素に対して、位置：
２６、３０、３３、８２、３７、１０６、１１８、１２８、１３３、１４９、１５０、１６０、１７８、１８２、１８６、１９３、２０３、２１４、２３１、２５６、２５７、２５８、２６９、２７０、２７２、２８３、２９５、２９６、２９８、２９９、３０３、３０４、３０５、３１１、３１４、３１５、３１８、３１９、３３９、３４５、３６１、３７８、３８３、４１９、４２１、４３７、４４１、４４４、４４５、４４６、４４７、４５０、４６１、４７１、４８２、４８４のうちの１つ以上が置換された変異体であって、好ましくはＤ１８３＊及びＧ１８４＊の欠損を含有する変異体。
（ｃ）国際公開第０６／００２６４３号での配列番号４（バチルス属７２２からの野生型酵素）と少なくとも９０％の同一性を示し、特に位置１８３及び１８４で欠損を有する変異体、並びに本明細書に参照により組み込まれる国際公開第００／６００６０号に記載の変異体。
（ｄ）バチルス属７０７（米国特許第６，０９３，５６２号の配列番号７）からの野生型酵素と少なくとも９５％の同一性を示す変異体、特に変異Ｍ２０２、Ｍ２０８、Ｓ２５５、Ｒ１７２及び／又はＭ２６１を１つ以上含むもの。好ましくはこのアミラーゼは、Ｍ２０２Ｌ、Ｍ２０２Ｖ、Ｍ２０２Ｓ、Ｍ２０２Ｔ、Ｍ２０２Ｉ、Ｍ２０２Ｑ、Ｍ２０２Ｗ、Ｓ２５５Ｎ及び／又はＲ１７２Ｑのうちの１つ以上を含む。特に好ましいのは、Ｍ２０２Ｌ又はＭ２０２Ｔ突然変異体を含むものである。
（ｅ）国際公開第０９／１４９１３０号に記載の変異体、好ましくは国際公開第０９／１４９１３０号での配列番号１又は配列番号２（ゲオバチルス・ステアロファーモフィルス（Geobacillus Stearophermophilus）からの野生型酵素）と少なくとも９０％の同一性を呈する変異体又はその短縮型変異体。
【０１１６】
好適な市販のα−アミラーゼとしては、ＤＵＲＡＭＹＬ（登録商標）、ＬＩＱＵＥＺＹＭＥ（登録商標）、ＴＥＲＭＡＭＹＬ（登録商標）、ＴＥＲＭＡＭＹＬ  ＵＬＴＲＡ（登録商標）、ＮＡＴＡＬＡＳＥ（登録商標）、ＳＵＰＲＡＭＹＬ（登録商標）、ＳＴＡＩＮＺＹＭＥ（登録商標）、ＳＴＡＩＮＺＹＭＥ  ＰＬＵＳ（登録商標）、ＦＵＮＧＡＭＹＬ（登録商標）及びＢＡＮ（登録商標）（Ｎｏｖｏｚｙｍｅｓ  Ａ／Ｓ（Ｂａｇｓｖａｅｒｄ，Ｄｅｎｍａｒｋ））、ＫＥＭＺＹＭ（登録商標）ＡＴ  ９０００（Ｂｉｏｚｙｍ  Ｂｉｏｔｅｃｈ  Ｔｒａｄｉｎｇ  ＧｍｂＨ（Ｗｅｈｌｉｓｔｒａｓｓｅ  ２７ｂ  Ａ−１２００，Ｗｉｅｎ，Ａｕｓｔｒｉａ））、ＲＡＰＩＤＡＳＥ（登録商標）、ＰＵＲＡＳＴＡＲ（登録商標）、ＥＮＺＹＳＩＺＥ（登録商標）、ＯＰＴＩＳＩＺＥ  ＨＴ  ＰＬＵＳ（登録商標）、ＰＯＷＥＲＡＳＥ（登録商標）及びＰＵＲＡＳＴＡＲ  ＯＸＡＭ（登録商標）（Ｇｅｎｅｎｃｏｒ  Ｉｎｔｅｒｎａｔｉｏｎａｌ  Ｉｎｃ．（Ｐａｌｏ  Ａｌｔｏ，Ｃａｌｉｆｏｒｎｉａ））、並びにＫＡＭ（登録商標）（花王株式会社（日本、１０３〜８２１０、東京都中央区日本橋茅場町１丁目１４−１０））が挙げられる。一態様では、好適なアミラーゼとしては、ＮＡＴＡＬＡＳＥ（登録商標）、ＳＴＡＩＮＺＹＭＥ（登録商標）及びＳＴＡＩＮＺＹＭＥ  ＰＬＵＳ（登録商標）、並びにこれらの混合物が挙げられる。
【０１１７】
一態様では、そのような酵素は、米国特許第６，９３９，７０２（Ｂ１）号及び米国特許出願第２００９／０２１７４６４号に記載されているものなどの「第１サイクルリパーゼ」を含むリパーゼからなる群から選択されてよい。一態様では、リパーゼは第１洗浄用リパーゼ、好ましくはＴ２３１Ｒ及びＮ２３３Ｒ変異を含む、サーモマイセスラヌギノサス由来の野生型リパーゼの変異体である。野生型配列は、Ｓｗｉｓｓｐｒｏｔのアクセッション番号Ｓｗｉｓｓ−Ｐｒｏｔ  Ｏ５９９５２（サーモマイセス・ラヌギノサス（フミコーラ・ラヌギノサ由来）の２６９個のアミノ酸（アミノ酸２３〜２９１）である。好ましいリパーゼとしては、商品名Ｌｉｐｅｘ（登録商標）及びＬｉｐｏｌｅｘ（登録商標）で販売されているものが挙げられる。
【０１１８】
一態様では、他の好ましい酵素としては、エンド−β−１，４−グルカナーゼ活性（Ｅ．Ｃ．３．２．１．４）を呈する微生物由来のエンドグルカナーゼが挙げられ、それには米国特許第７，１４１，４０３（Ｂ２）号におけるアミノ酸配列の配列番号２と少なくとも９０％、好ましくは９４％、より好ましくは９７％、更により好ましくは９９％の同一性の配列を有するバチルス属のメンバー及びこれらの混合物に対して内因性である細菌ポリペプチドが含まれる。好適なエンドグルカナーゼは、商品名Ｃｅｌｌｕｃｌｅａｎ（登録商標）及びＷｈｉｔｅｚｙｍｅ（登録商標）（Ｎｏｖｏｚｙｍｅｓ  Ａ／Ｓ（Ｂａｇｓｖａｅｒｄ，Ｄｅｎｍａｒｋ））として販売されている。
【０１１９】
他の好ましい酵素としては、商品名Ｐｅｃｔａｗａｓｈ（登録商標）、Ｐｅｃｔａｗａｙ（登録商標）、Ｘｐｅｃｔ（登録商標）として販売されているペクテートリアーゼ及び商品名Ｍａｎｎａｗａｙ（登録商標）（全てＮｏｖｏｚｙｍｅｓ  Ａ／Ｓ，Ｂａｇｓｖａｅｒｄ，Ｄｅｎｍａｒｋから）、及びＰｕｒａｂｒｉｔｅ（登録商標）（Ｇｅｎｅｎｃｏｒ  Ｉｎｔｅｒｎａｔｉｏｎａｌ  Ｉｎｃ．，Ｐａｌｏ  Ａｌｔｏ，Ｃａｌｉｆｏｒｎｉａ）として販売されているマンナーゼが挙げられる。
【０１２０】
酵素安定化系
本明細書に記載の酵素含有組成物は、所望により、組成物の重量基準で約０．００１％〜約１０％の酵素安定化系、一部の例では、約０．００５％〜約８％の酵素安定化系、及びその他の例では、約０．０１％〜約６％の酵素安定化系を含んでもよい。酵素安定化系は、洗浄性酵素と適合性の任意の安定化系であることができる。そのような系は、他の処方活性分によって本質的に提供されてもよく、又は洗剤に使用可能な酵素の処方者若しくは製造業者によって別個に添加されてもよい。そのような安定化系には、例えば、カルシウムイオン、ホウ酸、プロピレングリコール、短鎖カルボン酸、ボロン酸、塩素漂白剤掃去剤及びこれらの混合物が含まれ得、洗浄組成物のタイプ及び物理的形態に応じて異なる安定化問題に対処するように設計される。ボレート安定化剤のレビューには米国特許第４，６０５，７８３号を参照されたい。プロテアーゼを含む水性洗剤組成物の場合は、ボレート、４−ホルミルフェニルボロン酸、フェニルボロン酸及びこれらの誘導体を含むホウ素化合物などの可逆的プロテアーゼ阻害剤、又はカルシウムホルメート、ナトリウムホルメート及び１，２−プロパンジオールなどの化合物を添加して、安定性を更に改善してもよい。
【０１２１】
ビルダー
本発明の洗浄組成物は、所望によりビルダーを含んでもよい。ビルダー入り洗浄組成物は、典型的には、組成物の全重量基準で少なくとも約１重量％のビルダーを含む。液体洗浄組成物は、組成物の全重量の最大約１０重量％、及び一部の実施例では、最大８重量％のビルダーを含み得る。顆粒洗浄組成物は、組成物の全重量の最大約３０重量％のビルダー、及び一部の例では、最大５重量％のビルダーを含み得る。
【０１２２】
アルミノシリケート（例えば、ゼオライトＡ、ゼオライトＰ、及びゼオライトＭＡＰなどのゼオライトビルダー）及びシリケートから選択されるビルダーは、洗浄水の鉱物質硬度、特にカルシウム及び／又はマグネシウムの制御、表面からの微粒子汚れの除去を助ける。好適なビルダーは、ポリホスホネートなどのホスホネート（例えば、トリポリリン酸ナトリウム）、特にナトリウム塩；炭酸塩、重炭酸塩、セスキ炭酸塩及びナトリウム炭酸塩又はセスキ炭酸塩以外の炭酸塩鉱物；有機モノ−、ジ−、トリ−、及びテトラカルボン酸塩、特に、酸、ナトリウム、カリウム、又はアルカノールアンモニウム塩形態での水溶性非界面活性剤カルボン酸塩、並びに脂肪族及び芳香族タイプを含むオリゴマー又は水溶性低分子量ポリマーカルボン酸塩；並びにフィチン酸、からなる群から選択され得る。
これらは、例えばｐＨ緩衝化の目的のためのホウ酸塩によって、又は硫酸塩、特に硫酸ナトリウム及び安定した界面活性剤及び／又はビルダー含有洗浄組成物の量産に重要であり得る任意の他の充填剤又は担体によって補完され得る。更なる好適な洗剤ビルダーは、クエン酸、乳酸、脂肪酸、ポリカルボキシレートビルダー、例えばアクリル酸のコポリマー、アクリル酸及びマレイン酸のコポリマー、並びにアクリル酸及び／又はマレイン酸、及び多様なタイプの追加の官能基を有するその他の好適なエチレン系モノマーのコポリマーから選択されるものでよい。また、本明細書中でビルダーとしての使用に好適なのは、以下の一般的無水物形態ｘ（Ｍ２Ｏ）・ｙＳｉＯ２・ｚＭ’Ｏで表される鎖構造及び組成を有する、合成された結晶性イオン交換材料又はその水和物であり、式中、ＭはＮａ及び／又はＫであり，Ｍ’はＣａ及び／又はＭｇであり；ｙ／ｘは０．５〜２．０であり；及びｚ／ｘは０．００５〜１．０であり、米国特許第５，４２７，７１１号で教示されるようなものである。
【０１２３】
あるいは、組成物はビルダーを実質的に含まなくともよい。
【０１２４】
構造剤／増粘剤
ｉ．ジベンジリデンポリオールアセタール誘導体
流体洗剤組成物は、約０．０１重量％〜約１重量％、又は約０．０５重量％〜約０．８重量％、又は約０．１重量％〜約０．６重量％、又は更には約０．３重量％〜約０．５重量％のジベンジリデンポリオールアセタール誘導体（ＤＢＰＡ）を含んでよい。好適なＤＢＰＡ分子の非限定的な例は、米国特許出願第６１／１６７６０４号に開示されている。１つの態様では、ＤＢＰＡ誘導体は、ジベンジリデンソルビトールアセタール誘導体（ＤＢＳ）を含んでよい。ＤＢＳ誘導体は、以下からなる群から選択してよい：１，３：２，４−ジベンジリデンソルビトール、１，３：２，４−ジ（ｐ−メチルベンジリデン）ソルビトール、１，３：２，４−ジ（ｐ−クロロベンジリデン）ソルビトール、１，３：２，４−ジ（２，４−ジメチルジベンジリデン）ソルビトール、１，３：２，４−ジ（ｐ−エチルベンジリデン）ソルビトール、及び１，３：２，４−ジ（３，４−ジメチルジベンジリデン）ソルビトール、又はこれらの混合物。これら及び他の好適なＤＢＳ誘導体は、米国特許第６，１０２，９９９号の欄２の４３行目から欄３の６５行目に開示されている。
【０１２５】
ｉｉ．細菌セルロース
また、流体洗剤組成物は、約０．００５重量％〜約１重量％の細菌セルロース網状構造物を含んでよい。用語「細菌セルロース」は、ＣＰＫｅｌｃｏ  Ｕ．Ｓ．によるＣＥＬＬＵＬＯＮ（登録商標）等のアセトバクター（Acetobacter）属の細菌の発酵を介して生成される任意の種類のセルロースを含み、ミクロフィブリル化セルロース、網状細菌セルロース等と一般に称される材料を含む。好適な細菌セルロースの幾つかの例は、米国特許第６，９６７，０２７号、同第５，２０７，８２６号、同第４，４８７，６３４号、同第４，３７３，７０２号、同第４，８６３，５６５号、及び米国特許出願公開第２００７／００２７１０８号に見出すことができる。１つの態様では、該繊維は、１．６ｎｍ〜３．２ｎｍ×５．８ｎｍ〜１３３ｎｍの断面寸法を有する。更に、細菌セルロース繊維は、少なくとも約１００ｎｍ、又は約１００〜約１，５００ｎｍの平均ミクロ繊維長さを有する。１つの態様では、細菌セルロースミクロ繊維は、約１００：１〜約４００：１、又は更には約２００：１〜約３００：１のアスペクト比、すなわち、平均ミクロ繊維の長さをミクロ繊維の最大断面幅で除したものを有する。
【０１２６】
ｉｉｉ．被覆された細菌セルロース
１つの態様では、細菌セルロースは、高分子増粘剤で少なくとも部分的に被覆される。少なくとも部分的に被覆された細菌セルロースは、米国特許出願公開第２００７／００２７１０８号の段落８〜１９に開示されている方法に従って作製することができる。１つの態様では、少なくとも部分的に被覆された細菌セルロースは、約０．１重量％〜約５重量％、又は更には約０．５重量％〜約３重量％の細菌セルロース、及び約１０重量％〜約９０重量％の高分子増粘剤を含む。好適な細菌セルロースとしては、上記細菌セルロースを挙げることができ、好適な高分子増粘剤としては、カルボキシメチルセルロース、カチオン性ヒドロキシメチルセルロース、及びこれらの混合物が挙げられる。
【０１２７】
ｉｖ．非細菌セルロース由来のセルロース繊維
１つの態様では、組成物は、組成物の約０．０１〜約５重量％のセルロース繊維を更に含んでよい。前述のセルロース繊維は野菜、果物又は木材から抽出されてもよい。市販の例は、ＦＭＣからのＡｖｉｃｅｌ（登録商標）、ＦｉｂｅｒｓｔａｒからのＣｉｔｒｉ−Ｆｉ又はＣｏｓｕｎからのＢｅｔａｆｉｂである。
【０１２８】
ｖ．非高分子系結晶性ヒドロキシ官能性材料
１つの態様では、組成物は、組成物の約０．０１〜約１重量％の非高分子結晶質ヒドロキシル官能性構造化剤を更に含んでよい。前述の非高分子結晶質ヒドロキシル官能性構造化剤は、一般的に、最終流体洗剤組成物への分散を補助するために予め乳化が可能な結晶化可能なグリセリドを含んでよい。１つの態様では、結晶化可能なグリセリドとしては、液体洗剤組成物において結晶化させることができる限り、硬化ヒマシ油又は「ＨＣＯ」又はその誘導体が挙げられる。
【０１２９】
ｖｉ．高分子構造剤
本発明の流体洗剤組成物は、約０．０１重量％〜約５重量％の天然由来及び／又は合成の高分子構造化剤を含んでよい。本発明で使用する天然由来の高分子構造化剤の例としては、ヒドロキシエチルセルロース、疎水変性ヒドロキシエチルセルロース、カルボキシメチルセルロース、多糖誘導体、及びこれらの混合物が挙げられる。好適な多糖誘導体としては、ペクチン、アルギン酸塩、アラビノガラクタン（アラビアゴム）、カラギーナン、ジェランガム、キサンタンガム、グアーガム及びこれらの混合物が挙げられる。本発明で使用される合成高分子構造化剤の例としては、ポリカルボキシレート、ポリアクリレート、疎水変性エトキシ化ウレタン、疎水変性非イオン性ポリオール、及びこれらの混合物が挙げられる。１つの態様では、前述のポリカルボキシレートポリマーは、ポリアクリレート、ポリメタクリレート、又はこれらの混合物である。別の態様では、ポリアクリレートは、不飽和モノ−又はジ−炭酸と、（メタ）アクリル酸のＣ１〜Ｃ３０アルキルエステルとのコポリマーである。前述のコポリマーは、商標名Ｃａｒｂｏｐｏｌ  Ａｑｕａ  ３０としてＮｏｖｅｏｎ  Ｉｎｃから入手可能である。
【０１３０】
ｖｉｉ．ジアミドゲル化剤
１つの態様では、外部構造化系は、約１５０ｇ／モル〜約１５００ｇ／モル、又は更には約５００ｇ／モル〜約９００ｇ／モルの分子量を有するジアミドゲル化剤を含んでよい。このようなジアミドゲル化剤は、少なくとも２個の窒素原子を含んでよく、該窒素原子のうちの少なくとも２個は、アミド官能性置換基を形成する。１つの態様では、アミド基は異なっている。別の態様では、アミド官能性基は同じである。ジアミドゲル化剤は、以下の式を有する。
【０１３１】
【化１２】
2016534205.tif 000013
（式中、
Ｒ１及びＲ２は、アミノ官能性末端基、又は更にはアミド官能性末端基であり、１つの態様では、Ｒ１及びＲ２は、ｐＨ調整可能基を含んでよく、ｐＨ調整可能なアミドゲル化剤は、約１〜約３０、又は更には約２〜約１０のｐＫａを有し得る。）１つの態様では、ｐＨ調整可能基は、ピリジンを含んでよい。１つの態様では、Ｒ１及びＲ２は異なっていてよい。別の態様では、同じであってもよい。
Ｌは、１４〜５００ｇ／モルの分子量の連結部分である。１つの態様では、Ｌは、２〜２０個の炭素原子を含む炭素鎖を含んでよい。別の態様では、Ｌは、ｐＨ調整可能基を含んでよい。１つの態様では、ｐＨ調整可能基は、二級アミンである。
【０１３２】
１つの態様では、Ｒ１、Ｒ２又はＬのうちの少なくとも１つは、ｐＨ調整可能基を含み得る。
【０１３３】
ジアミドゲル化剤の非限定的な例は、次の通りである。
Ｎ，Ｎ’−（２Ｓ，２’Ｓ）−１，１’−（ドデカン−１，１２−ジイルビス（アザンジイル））ビス（３−メチル−１−オキソブタン−２，１−ジイル）ジイソニコチンアミド。
【０１３４】
【化１３】
2016534205.tif 000014
ジベンジル（２Ｓ，２’Ｓ）−１，１’−（プロパン−１，３−ジイルビス（アザンジイル））ビス（３−メチル−１−オキソブタン−２，１−ジイル）ジカルバメート。
【０１３５】
【化１４】
2016534205.tif 000015
ジベンジル（２Ｓ，２’Ｓ）−１，１’−（ドデカン−１，１２−ジイルビス（アザンジイル））ビス（１−オキソ−３−フェニルプロパン−２，１−ジイル）ジカルバメート。
【０１３６】
【化１５】
2016534205.tif 000016
【０１３７】
ポリマー分散剤
洗剤組成物は１つ以上の高分子分散剤を含んでもよい。例は、カルボキシメチルセルロース、ポリ（ビニル−ピロリドン）、ポリ（エチレングリコール）、ポリ（ビニルアルコール）、ポリ（ビニルピリジン−Ｎ−オキシド）、ポリ（ビニルイミダゾール）、ポリアクリル酸塩等のポリカルボン酸塩、マレイン酸／アクリル酸コポリマー、及びメタクリル酸ラウリル／アクリル酸コポリマーである。
【０１３８】
洗浄組成物は、一般構造ビス（（Ｃ２Ｈ５Ｏ）（Ｃ２Ｈ４Ｏ）ｎ）（ＣＨ３）−Ｎ＋−ＣｘＨ２ｘ−Ｎ＋−（ＣＨ３）−ビス（（Ｃ２Ｈ５Ｏ）（Ｃ２Ｈ４Ｏ）ｎ）、（式中、ｎ＝２０〜３０、及びｘ＝３〜８である）有する化合物、又はそのサルフェート化又はスルホン化種などの１つ以上の両親媒性洗浄ポリマーを含んでもよい。
【０１３９】
洗剤組成物は、布地及び表面からグリース粒子を除去するように、親水性と疎水性との特性が釣り合っている両親媒性アルコキシル化グリース洗浄ポリマーを含んでもよい。本発明の両親媒性アルコキシル化グリース洗浄ポリマーの具体的な実施形態は、コア構造とそのコア構造に結合した複数のアルコキシレート基とを含む。これらは、好ましくは内側ポリエチレンオキシドブロック及び外側ポリプロピレンオキシドブロックを有するアルコキシル化ポリアルキレンイミンを含んでもよい。
【０１４０】
カルボキシレートポリマー−本発明の洗剤組成物は、また、マレエート／アクリレートランダムコポリマー又はポリアクリレートホモポリマーなどの１つ以上のカルボキシレートポリマーを含んでもよい。１つの態様では、カルボキシレートポリマーは、４，０００Ｄａ〜９，０００Ｄａ、又は６，０００Ｄａ〜９，０００Ｄａの分子量を有するポリアクリレートホモポリマーである。
【０１４１】
汚れ剥離剤
本明細書で記述される洗浄組成物は、洗浄組成物の重量基準で約０．０１％〜約１０．０％、典型的には約０．１％〜約５％、及び一部の例では約０．２％〜約３．０％の汚れ放出ポリマー（汚れ放出剤又は「ＳＲＡ」としても知られる）を含んでもよい。
【０１４２】
好適な汚れ放出ポリマーは、典型的には、ポリエステル及びナイロンなどの疎水性繊維の表面を親水化する親水性セグメント、及び疎水性繊維上に堆積し、及び洗浄及びリンスサイクルの完結の間洗浄及びリンスサイクルの完結の間付着状態を保ち、それにより親水性セグメントに対する係留点としての働きをする疎水性セグメントを有する。これによって、汚れ放出剤による処理以降に生じるしみは、後の洗浄手順でより容易に洗浄することが可能となり得る。
【０１４３】
汚れ放出剤は、様々な帯電した、例えばアニオン性又はカチオン性（例えば、米国特許第４，９５６，４４７号を参照されたい）、並びに非帯電モノマー単位を含んでもよい。汚れ放出剤の構造は、直鎖状、分岐鎖状、又は星状形状であってもよい。汚れ放出ポリマーは、キャップ部分を含んでもよく、これがポリマーの分子量の制御又はポリマーの物理的又は表面活性特性の改変において特に有効である。汚れ放出ポリマーの構造及び電荷分布は、異なる繊維又はテキスタイルの形への適用及び異なる洗剤又は洗剤添加物製品中の配合に対して個々に調整されてもよい。好適なポリエステル汚れ放出ポリマーは、次の構造（ＩＩＩ）、（ＩＶ）又は（Ｖ）の１つにより定義される構造を有する：
−［（ＯＣＨＲ１−ＣＨＲ２）ａ−Ｏ−ＯＣ−Ａｒ−ＣＯ−］ｄ    （ＩＩＩ）
−［（ＯＣＨＲ３ＣＨＲ４）ｂ−Ｏ−ＯＣ−ｓＡｒ−ＣＯ］ｅ    （ＩＶ）
−［（ＯＣＨＲ５−ＣＨＲ６），ＯＲ７］ｆ                    （Ｖ）
式中、
ａ、ｂ、及びｃは、１〜２００であり、
ｄ、ｅ、及びｆは、１〜５０であり、
Ａｒは、１，４−置換フェニレンであり、
ｓＡｒは、５位がＳＯ３Ｍｅにより置換されている１，３−置換フェニレンであり、
Ｍｅは、Ｈ、Ｎａ、Ｌｉ、Ｋ、Ｍｇ＋２、Ｃａ＋２、Ａｌ＋３、アンモニウム、モノ−、ジ−、トリ−若しくはテトラ−アルキルアンモニウム（アルキル基は、Ｃ１〜Ｃ１８アルキル又はＣ２〜Ｃ１０ヒドロキシアルキルである）、又はこれらの混合物であり、
Ｒ１，Ｒ２，Ｒ３，Ｒ４，Ｒ５及びＲ６は、Ｈ又はＣ，−Ｃ１８ｎ−又はｉｓｏ−アルキルから独立して選択され；及びＲ７は直鎖状又は分岐鎖状Ｃ１〜Ｃ１８アルキル、又は線状又は分岐Ｃ２〜Ｃ３０アルケニル、又は５〜９個の炭素原子のシクロアルキル基、又はＣ６〜Ｃ３０アリール基、又はＣ６〜Ｃ３０アリールアルキル基である。
【０１４４】
好適なポリエステル汚れ放出ポリマーは、上記の構造（ＩＩＩ）又は（ＩＶ）を有するテレフタレートポリマーである。他の好適な汚れ放出ポリマーとしては、例えば末端キャップ及び非末端キャップのスルホン化及び非スルホン化ＰＥＴ／ＰＯＥＴポリマーを挙げてもよい。好適なポリエステル汚れ放出ポリマーの例は、Ｒｈｏｄｉａにより供給されるポリマーのＲＥＰＥＬ−Ｏ−ＴＥＸ（登録商標）ラインであり、ＲＥＰＥＬ−Ｏ−ＴＥＸ（登録商標）ＳＲＰ６及びＲＥＰＥＬ−Ｏ−ＴＥＸ（登録商標）ＳＦ−２が挙げられる。他の好適な汚れ放出ポリマーとしては、Ｃｌａｒｉａｎｔにより供給されるＴｅ×Ｃａｒｅ（登録商標）ＳＲＡ−１００、ＴｅｘＣａｒｅ（登録商標）ＳＲＡ−３００、ＴｅｘＣａｒｅ（登録商標）ＳＲＮ−１００、ＴｅｘＣａｒｅ（登録商標）ＳＲＮ−１７０、ＴｅｘＣａｒｅ（登録商標）ＳＲＮ−２４０、ＴｅｘＣａｒｅ（登録商標）ＳＲＮ−３００，及びＴｅｘＣａｒｅ（登録商標）ＳＲＮ−３２５を含む、ＴｅｘＣａｒｅ（登録商標）ポリマーが挙げられる。特に有用な汚れ放出ポリマーは、国際公開第９５／３２９９７（Ａ）号（ＲｈｏｄｉａＣｈｉｍｉｅ）に記載のスルホン化された非末端キャップポリエステルである。他の好適な汚れ放出ポリマーはＳａｓｏｌにより供給されるＭａｒｌｏｑｕｅｓｔ（登録商標）ＳＬなどのＭａｒｌｏｑｕｅｓｔ（登録商標）ポリマーである。抑泡剤は、米国特許ＳＲＡの例は、米国特許第４，９６８，４５１号、同第４，７１１，７３０号、同第４，７２１，５８０号、同第４，７０２，８５７号、同第４，８７７，８９６号、同第３，９５９，２３０号、同第３，８９３，９２９号、同第４，０００，０９３号、同第５，４１５，８０７号、同第４，２０１，８２４号、同第４，２４０，９１８号、同第４，５２５，５２４号、同第４，２０１，８２４号、同第４，５７９，６８１号、及び同第４，７８７，９８９号、欧州特許出願第０２１９０４８号、同第２７９，１３４（Ａ）号、同第４５７，２０５（Ａ）号、及びドイツ特許第２，３３５，０４４号、及び国際公開２０１４１９７９２号、同第２０１２１０４１５６／５７／５８号、同第２０１４１９６５８号、同第２０１４１９６５号、同第２０１４２９４７９号に記載されている。
【０１４５】
セルロースポリマー
本明細書で記述される洗浄組成物は、洗浄組成物の重量基準で約０．１％〜約１０％、典型的には約０．５％〜約７％、一部の態様では約３％〜約５％のセルロースポリマーを含んでもよい。
【０１４６】
好適なセルロース系ポリマーとしてはアルキルセルロース、アルキルアルコキシアルキルセルロース、カルボキシアルキルセルロース、及びアルキルカルボキシアルキルセルロースが挙げられる。一態様では、セルロース系ポリマーは、カルボキシメチルセルロース、メチルセルロース、メチルヒドロキシエチルセルロース、メチルカルボキシメチルセルロース及びこれらの混合物を含む群から選択される。特定の態様では、セルロース系ポリマーは、０．５〜０．９のカルボキシメチル置換度及び１００，０００Ｄａ〜３００，０００Ｄａの分子量を有するカルボキシメチルセルロースである。カルボキシメチルセルロースポリマーとしては、Ｆｉｎｎｆｉｘ（登録商標）ＧＤＡ（ＣＰ  Ｋｅｌｋｏにより販売）、商品名Ｆｉｎｎｆｉｘ（登録商標）ＳＨ１（ＣＰ  Ｋｅｌｋｏ）として販売されている疎水性変成カルボキシメチルセルロース、例えばカルボキシメチルセルロースのアルキルケテンダイマー誘導体、又は商品名Ｆｉｎｎｆｉｘ（登録商標）Ｖとして販売されているブロック状カルボキシメチルセルロース（ＣＰ  Ｋｅｌｋｏにより販売）が挙げられる。
【０１４７】
更なるアミン
汚れた材料から油脂及び微粒子を更に除去するために、更なるアミンが本明細書で記載される洗浄組成物において使用されてもよい。本明細書で記述される洗剤組成物は、洗浄組成物の重量基準で約０．１％〜約１０％、一部の例では、約０．１％〜約４％、及びその他の例では、約０．１％〜約２％の更なるアミンを含んでもよい。更なるアミンの非限定的な例としては、ポリアミン、オリゴアミン、トリアミン、ジアミン、ペンタミン、テトラアミン、又はこれらの組み合わせが挙げられてよいが、限定はされない。好適な更なるアミンの具体的な例としては、テトラエチレンペンタミン，トリエチレンテトラミン、ジエチレントリアミン又はこれらの混合物が挙げられる。
【０１４８】
例えば、アルコキシル化ポリアミンが油及び粒子除去に使用されてもよい。このような材料としては、エトキシル化ポリエチレンイミン、エトキシル化ヘキサメチレンジアミン、及びこれらをスルフェート化したものが挙げられるがこれに限定されない。ポリプロポキシル化誘導体も包含させることができる。広範かつ様々なアミン及びポリアルキレンイミンを様々な程度にアルコキシル化することができる。有用な例は、ＮＨ当たり２０  ＥＯ基までエトキシル化されている６００ｇ／モルのポリエチレンイミンコアであり、ＢＡＳＦより入手可能である。本明細書で記述される洗浄組成物は、洗浄組成物の重量基準で約０．１％〜約１０％、一部の例では、約０．１％〜約８％、及びその他の例では、約０．１％〜約６％のアルコキシ化ポリアミンを含んでもよい。
【０１４９】
アルコキシル化ポリカルボキシレートも本明細書での洗浄組成物中で使用して、油除去を提供してもよい。そのようなアルコキシル化ポリカルボキシレートは国際公開第９１／０８２８１号及び同第９０／０１８１５号に記載されている。化学的に、これらの材料は、７〜８個のアクリレート単位ごとに１つのエトキシ側鎖を有するポリアクリレートを含む。側鎖は、式−（ＣＨ２ＣＨ２Ｏ）ｍ（ＣＨ２）ｎＣＨ３を有し、式中、ｍは、２〜３であり、ｎは、６〜１２である。側鎖がポリアクリレート「主鎖」にエステル結合されると、「櫛形」ポリマータイプの構造が提供される。分子量は通常は約２０００〜約５０，０００の範囲内で様々であることができる。本明細書中で記述される洗剤組成物は、洗浄組成物の重量基準で約０．１％〜約１０％、一部の例では、約０．２５％〜約５％、及びその他の例では、約０．３％〜約２％のアルコキシル化ポリカルボキシレートを含んでもよい。
【０１５０】
漂白化合物、漂白剤、漂白活性化剤、及び漂白剤触媒
本明細書に記載の洗浄組成物は、漂白剤及び１つ以上の漂白活性化剤を含有する漂白剤又は漂白組成物を含有してもよい。漂白剤は、組成物の全重量に基準で約１重量％〜約３０重量％、及びいくつかの例では、約５重量％〜約２０重量％の濃度で存在してもよい。存在する場合、漂白活性剤の量は、漂白剤に加え漂白活性剤を含む漂白組成物の約０．１重量％〜約６０重量％、及びいくつかの例では、約０．５重量％〜約４０重量％であってもよい。
【０１５１】
漂白剤の例としては、酸素漂白剤、過ホウ酸塩漂白剤、過カルボン酸漂白剤、及びそれらの塩、過酸素漂白剤、過サルフェート漂白剤、過炭酸塩漂白剤、並びにこれらの混合物が挙げられる。漂白剤の例は、米国特許第４，４８３，７８１号、米国特許第７４０，４４６号、欧州特許出願第０，１３３，３５４号、米国特許第４，４１２，９３４号、及び同第４，６３４，５５１号に開示されている。
【０１５２】
漂白活性化剤の例（例えば、アシルラクタム活性化剤）は、米国特許第４，９１５，８５４号、同第４，４１２，９３４号、同第４，６３４，５５１号、同第４，６３４，５５１号、及び同第４，９６６，７２３号で開示されている。
【０１５３】
一部の例では、洗浄組成物は、また、遷移金属漂白触媒を含む。他の例では、遷移金属漂白触媒はカプセル化されてもよい。遷移金属漂白触媒は、例えばＭｎ（ＩＩ）、Ｍｎ（ＩＩＩ）、Ｍｎ（ＩＶ）、Ｍｎ（Ｖ）、Ｆｅ（ＩＩ）、Ｆｅ（ＩＩＩ）、Ｆｅ（ＩＶ）、Ｃｏ（Ｉ）、Ｃｏ（ＩＩ）、Ｃｏ（ＩＩＩ）、Ｎｉ（Ｉ）、Ｎｉ（ＩＩ）、Ｎｉ（ＩＩＩ）、Ｃｕ（Ｉ）、Ｃｕ（ＩＩ）、Ｃｕ（ＩＩＩ）、Ｃｒ（ＩＩ）、Ｃｒ（ＩＩＩ）、Ｃｒ（ＩＶ）、Ｃｒ（Ｖ）、Ｃｒ（ＶＩ）、Ｖ（ＩＩＩ）、Ｖ（ＩＶ）、Ｖ（Ｖ）、Ｍｏ（ＩＶ）、Ｍｏ（Ｖ）、Ｍｏ（ＶＩ）、Ｗ（ＩＶ）、Ｗ（Ｖ）、Ｗ（ＶＩ）、Ｐｄ（ＩＩ）、Ｒｕ（ＩＩ）、Ｒｕ（ＩＩＩ）、及びＲｕ（ＩＶ）からなる群から選択される遷移金属イオンを含んでもよい。遷移金属漂白触媒は、マクロ多環状配位子又は架橋マクロ多環状配位子などの配位子を含んでもよい。遷移金属イオンは配位子と配位結合されていてもよい。配位子は、そのうちの少なくとも２つが、橋頭供与原子である、少なくとも４個の供与原子を含んでもよい。好適な遷移金属漂白触媒は、米国特許第５，５８０，４８５号、同第４，４３０，２４３号、同第４，７２８，４５５号、同第５，２４６，６２１号、同第５，２４４，５９４号、同第５，２８４，９４４号、同第５，１９４，４１６号、同第５，２４６，６１２号、同第５，２５６，７７９号、同第５，２８０，１１７号、同第５，２７４，１４７号、同第５，１５３，１６１号、同第５，２２７，０８４号、同第５，１１４，６０６号、同第５，１１４，６１１号、欧州特許第５４９，２７１（Ａ１）号、同第５４４，４９０（Ａ１）号、同第５４９，２７２（Ａ１）号、及び同第５４４，４４０（Ａ２）号に記載されている。別な好適な遷移金属漂白触媒は、マンガン系触媒であり、例えば、米国特許第５，５７６，２８２号に開示されている。好適なコバルト漂白触媒は、例えば、米国特許第５，５９７，９３６号及び同第５，５９５，９６７号に記載されている。そのようなコバルト触媒は、例えば米国特許第５，５９７，９３６号及び同第５，５９５，９６７号の教示のように、既知の手順により容易に作製される。好適な遷移金属漂白触媒は、国際公開第０５／０４２５３２（Ａ１）号に記載されているビスピドンなどの配位子の遷移金属錯体である。
【０１５４】
酸素漂白剤以外の漂白剤もまた当該技術分野で既知であり、洗浄組成物において使用できる。それらは、例えばスルホン化亜鉛及び／又は米国特許第４，０３３，７１８号に記載されている、アルミニウムフタロシアニンなどの光活性化漂白剤、又はペルオキシカルボン酸若しくはその塩、又はペルオキシスルホン酸若しくはその塩などの予成形有機過酸を含む。好適な有機過酸は、フタロイルイミドペルオキシカプロン酸である。使用する場合、本明細書に記載の洗浄組成物は、典型的には、そのような漂白剤、及びいくつかの例では亜鉛フタロシアニンスルホナートを組成物の重量基準で約０．０２５重量％〜約１．２５重量％を含有し得る。
【０１５５】
増白剤
光学増白剤又はその他の増白剤又は白化剤は、組成物の重量に基づき約０．０１重量％〜約１．２重量％の濃度で本明細書に記載の洗浄組成物の中に組み込むこともできる。本明細書で使用することのできる市販の光学増白剤は、必ずしも限定ではないが、スチルベン、ピラゾリン、クマリン、ベンゾオキサゾール、カルボン酸、メチンシアニン、ジベンゾチフェン−５，５−ジオキシド、アゾール、５及び６員複素環、並びに他の様々な剤の誘導体を含む、小グループに分類することができる。そのような増白剤の例は、「蛍光増白剤の製造及び用途（Ｔｈｅ  Ｐｒｏｄｕｃｔｉｏｎ  ａｎｄ  Ａｐｐｌｉｃａｔｉｏｎ  ｏｆ  Ｆｌｕｏｒｅｓｃｅｎｔ  Ｂｒｉｇｈｔｅｎｉｎｇ  Ａｇｅｎｔｓ）」（Ｍ．Ｚａｈｒａｄｎｉｋ，Ｊｏｈｎ  Ｗｉｌｅｙ  ＆  Ｓｏｎｓ，Ｎｅｗ  Ｙｏｒｋ（１９８２））で開示されている。本組成物で有用であり得る、具体的な非限定例光学増白剤は、米国特許第４，７９０，８５６号及び同第３，６４６，０１５号で示されるものである。
【０１５６】
一部の例では、蛍光光学増白剤は式（１）の化合物を含み：
【０１５７】
【化１６】
2016534205.tif 000017
式中、Ｘ１、Ｘ２、Ｘ３、及びＸ４は−Ｎ（Ｒ１）Ｒ２であり、式中、Ｒ１及びＲ２は水素、フェニル、ヒドロキシエチル、又は非置換又は置換Ｃ１〜Ｃ８アルキルから独立して選択され、又は−Ｎ（Ｒ１）Ｒ２はヘテロ環を形成し、好ましくはＲ１及びＲ２は水素又はフェニルから独立して選択され、又は−Ｎ（Ｒ１）Ｒ２は非置換又は置換モルホリン環を形成し；及びＭは水素又はカチオンであり、好ましくはＭはナトリウム又はカリウムであり、より好ましくはＭはナトリウムである。
【０１５８】
一部の例では、蛍光光学増白剤は、ジナトリウム４，４’−ビス｛［４−アニリノ−６−モルホリノ−ｓ−トリアジン−２−イル］−アミノ｝−２，２’−スチルベンジスルホネート（増白剤１５、商品名Ｔｉｎｏｐａｌ  ＡＭＳ−ＧＸとしてＣｉｂａ  Ｇｅｉｇｙ  Ｃｏｒｐｏｒａｔｉｏｎにより市販），ジナトリウム４，４’−ビス｛［４−アニリノ−６−（Ｎ−２−ビス−ヒドロキシエチル）−ｓ−トリアジン−２−イル］−アミノ｝−２，２’−スチルベンジスルホネート（商品名Ｔｉｎｏｐａｌ  ＵＮＰＡ−ＧＸとしてＣｉｂａ−Ｇｅｉｇｙ  Ｃｏｒｐｏｒａｔｉｏｎにより市販）、ジナトリウム４，４’−ビス｛［４−アニリノ−６−（Ｎ−２−ヒドロキシエチル−Ｎ−メチルアミノ）−ｓ−トリアジン−２−イル］−アミノ｝−２，２’−スチルベンジスルホネート（商品名Ｔｉｎｏｐａｌ  ５ＢＭ−ＧＸとしてＣｉｂａ−Ｇｅｉｇｙ  Ｃｏｒｐｏｒａｔｉｏｎにより市販）からなる群から選択される。より好ましくは、蛍光光学増白剤は、ジナトリウム４，４’−ビス｛［４−アニリノ−６−モルホリノ−ｓ−トリアジン−２−イル］−アミノ｝−２，２’−スチルベンジスルホネートである。
【０１５９】
増白剤は、粒子の形で又は好適な溶剤、例えば非イオン性界面活性剤、モノエタノールアミン、プロパンジオールとのプレミックスとして添加されてもよい。
【０１６０】
布地色相剤
組成物は、布地色相剤（時には、色合い剤、青味剤、又は白化剤と称される場合もある）を含んでもよい。典型的には、色相剤は布地に青又は紫の色合いをもたらす。色相剤は、単独又は組み合わせで使用して、特定の色合いを作り出すことができ、及び／又は異なる種類の布地に色合いをつけることができる。これは、例えば赤と緑−青の染料とを混合して青又は紫の色合いを生じさせることにより提供され得る。色相剤は、任意の既知の化学分類の染料から選択されてよく、これらは、アクリジン、アントラキノン（多環式キノンを含む）、アジン、予備金属化（premetallized）されたアゾを含むアゾ（例えば、モノアゾ、ジアゾ、トリスアゾ、テトラキスアゾ、ポリアゾ）、ベンゾジフラン及びベンゾジフラノン、カロテノイド、クマリン、シアニン、ジアザヘミシアニン、ジフェニルメタン、ホルマザン、ヘミシアニン、インジゴイド、メタン、ナフタルイミド、ナフトキノン、ニトロ及びニトロソ、オキサジン、フタロシアニン、ピラゾール、スチルベン、スチリル、トリアリールメタン、トリフェニルメタン、キサンテン、並びにこれらの混合物を含むが、限定はされない。
【０１６１】
好適な布地色相剤としては、染料、染料−粘土複合体（dye-clayconjugate）、並びに有機及び無機顔料が挙げられる。好適な染料としては、小分子染料及びポリマー染料が挙げられる。好適な小分子染料としては、例えば、青、バイオレット、赤、緑、又は黒に分類され、単独で又は組み合わせで所望の色合いをもたらす、直接染料、塩基性染料、反応染料若しくは加水分解した反応性染料、溶剤染料又は分散染料の色指数（Ｃ．Ｉ．）分類に分類される染料からなる群から選択される小分子染料が挙げられる。別の態様では、好適な小分子染料としては、カラーインデックス（染色業者及びカラーリスト協会（Ｂｒａｄｆｏｒｄ，ＵＫ））番号が、ダイレクトバイオレット染料９、３５、４８、５１、６６、及び９９等、ダイレクトブルー染料１、７１、８０、及び２７９等、アシッドレッド染料１７、７３、５２、８８、及び１５０等、アシッドバイオレット染料１５、１７、２４、４３、４９、及び５０等、アシッドブルー染料１５、１７、２５、２９、４０、４５、７５、８０、８３、９０、及び１１３等、アシッドブラック染料１等、ベーシックバイオレット染料１、３、４、１０、及び３５等、ベーシックブルー染料３、１６、２２、４７、６６、７５、及び１５９等、欧州特許第１７９４２７５号又は同第１７９４２７６号に記載されるもの等の分散又は溶剤染料、あるいは米国特許第７，２０８，４５９（Ｂ２）号に開示されている染料、並びにこれらの混合物からなる群から選択される小分子染料が挙げられる。別の態様では、好適な小分子染料としては、Ｃ．Ｉ．番号が、アシッドバイオレット１７、ダイレクトブルー７１、ダイレクトバイオレット５１、ダイレクトブルー１、アシッドレッド８８、アシッドレッド１５０、アシッドブルー２９、アシッドブルー１１３又はこれらの混合物からなる群から選択される小分子染料が挙げられる。
【０１６２】
好適なポリマー染料としては、例えばポリマーと色原体とを共重合してポリマーの主鎖にしたもの等の、共有結合した（共役したと呼ばれることもある）色原体を含有するポリマー（染料−ポリマー共役体）、及びこれらの混合物からなる群から選択されるポリマー染料が挙げられる。高分子染料としては、国際公開第２０１１／９８３５５号、同第２０１１／４７９８７号、米国特許出願公開第２０１２／０９０１０２号、国際公開第２０１０／１４５８８７号、同第２００６／０５５７８７号、及び同第２０１０／１４２５０３号に記載されているものが挙げられる。
【０１６３】
別の態様では、好適なポリマー染料としては、Ｌｉｑｕｉｔｉｎｔ（登録商標）（Ｍｉｌｌｉｋｅｎ（Ｓｐａｒｔａｎｂｕｒｇ，Ｓｏｕｔｈ  Ｃａｒｏｌｉｎａ，ＵＳＡ））の名称で販売されている布地直接着色剤、及び少なくとも１つの反応染料と、ヒドロキシル部分、一級アミン部分、二級アミン部分、チオール部分及びこれらの混合物からなる群から選択される部分を含む高分子からなる群から選択される高分子と、から形成される染料−高分子共役体からなる群から選択される高分子染料が挙げられる。更に別の態様では、好適な高分子染料としては、Ｌｉｑｕｉｔｉｎｔ（登録商標）バイオレットＣＴ、Ｍｅｇａｚｙｍｅ（Ｗｉｃｋｌｏｗ，Ｉｒｅｌａｎｄ）から商品名ＡＺＯ−ＣＭ−セルロース、商品コードＳ−ＡＣＭＣで販売されているＣ．Ｉ．リアクティブブルー１９と共役しているＣＭＣ等のリアクティブブルー、リアクティブバイオレット、又はリアクティブレッドの染料に共有結合しているカルボキシメチルセルロース（ＣＭＣ）、アルコキシル化トリフェニール−メタン高分子着色料、アルコキシル化チオフェン高分子着色料、及びこれらの混合物からなる群から選択される高分子染料が挙げられる。
【０１６４】
好ましい色相染料として、国際公開第０８／８７４９７（Ａ１）号、同第２０１１／０１１７９９号、及び同第２０１２／０５４８３５号に含まれる増白剤が挙げられる。本発明で使用するために好適な色相剤は、国際公開第２０１１／０１１７９９号の表５の実施例１〜４２から選択される染料を含む、これらの参考文献に開示されている好適な染料であってよい。他の好ましい染料は、米国特許第８，１３８，２２２号に開示されている。他の好ましい染料は国際公開第２００９／０６９０７７号に開示されている。
【０１６５】
好適な染料粘土共役体としては、少なくとも１つのカチオン性／塩基性染料及びスメクタイト粘土、並びにこれらの混合物を含む群から選択される染料粘土共役体が挙げられる。別の態様では、好適な染料粘土共役体としては、以下のＣ．Ｉ．からなる群から選択される１つのカチオン性／塩基性染料からなる群から選択される染料粘土共役体が挙げられる：ベーシックイエロー１〜１０８、Ｃ．Ｉ．ベーシックオレンジ１〜６９、Ｃ．Ｉ．ベーシックレッド１〜１１８、Ｃ．Ｉ．ベーシックバイオレット１〜５１、Ｃ．Ｉ．ベーシックブルー１〜１６４、Ｃ．Ｉ．ベーシックグリーン１〜１４、Ｃ．Ｉ．ベーシックブラウン１〜２３、ＣＩベーシックブラック１〜１１、及びモンモリロナイト粘土、ヘクトライト粘土、サポナイト粘土、及びこれらの組み合わせからなる群から選択される粘土。更に別の態様では、好適な染料粘土共役体としては、以下からなる群より選択される染料粘土共役体が挙げられる：モンモリロナイトベーシックブルーＢ７  Ｃ．Ｉ．４２５９５共役体、モンモリロナイトベーシックブルーＢ９  Ｃ．Ｉ．５２０１５共役体、モンモリロナイトベーシックバイオレットＶ３  Ｃ．Ｉ．４２５５５共役体、モンモリロナイトベーシックグリーンＧ１  Ｃ．Ｉ．４２０４０共役体、モンモリロナイトベーシックレッドＲ１  Ｃ．Ｉ．４５１６０共役体、モンモリロナイトＣ．Ｉ．ベーシックブラック２共役体、ヘクトライトベーシックブルーＢ７  Ｃ．Ｉ．４２５９５共役体、ヘクトライトベーシックブルーＢ９  Ｃ．Ｉ．５２０１５共役体、ヘクトライトベーシックバイオレットＶ３  Ｃ．Ｉ．４２５５５共役体、ヘクトライトベーシックグリーンＧ１  Ｃ．Ｉ．４２０４０共役体、ヘクトライトベーシックレッドＲ１  Ｃ．Ｉ．４５１６０共役体、ヘクトライトＣ．Ｉ．ベーシックブラック２複合体、サポナイトベーシックブルーＢ７  Ｃ．Ｉ．４２５９５共役体、サポナイトベーシックブルーＢ９  Ｃ．Ｉ．５２０１５共役体、サポナイトベーシックバイオレットＶ３  Ｃ．Ｉ．４２５５５共役体、サポナイトベーシックグリーンＧ１  Ｃ．Ｉ．４２０４０共役体、サポナイトベーシックレッドＲ１  Ｃ．Ｉ．４５１６０共役体、サポナイトＣ．Ｉ．ベーシックブラック２共役体及びこれらの混合物。
【０１６６】
好適な顔料としては、フラバントロン、インダントロン、１〜４個の塩素原子を有する塩素化インダントロン、ピラントロン、ジクロロピラントロン、モノブロモジクロロピラントロン、ジブロモジクロロピラントロン、テトラブロモピラントロン、ペリレン−３，４，９，１０−テトラカルボン酸ジイミド（イミド基は置換されていないか、あるいは、Ｃ１〜Ｃ３アルキル若しくはフェニル又は複素環式基で置換されていてもよく、このフェニル及び複素環式基は更に、水溶性を付与しない置換基を有していてもよい）、アントラピリミジンカルボン酸アミド、ビオラントロン、イソビオラントロン、ジオキサジン顔料、銅フタロシアニン（１分子当たり２個以下の塩素原子を有していてもよい）、ポリクロロ−銅フタロシアニン、又はポリブロモクロロ−銅フタロシアニン（１分子当たり１４個以下の臭素原子を有する）、及びこれらの混合物からなる群より選択される顔料が挙げられる。
【０１６７】
別の態様では、好適な顔料としては、ウルトラマリンブルー（Ｃ．Ｉ．顔料ブルー２９）、ウルトラマリンバイオレット（Ｃ．Ｉ．ピグメントバイオレット１５）、及びこれらの混合物が挙げられる。
【０１６８】
上記布地色相剤は、組み合わせて使用することができる（布地色相剤の任意の混合物を使用することができる）。
【０１６９】
移染防止剤
洗浄組成物は、また、洗浄工程時にある布地から他の布地に染料が移染するのを阻止するのに効果的な１つ以上の材料を含んでもよい。一般に、このような移染防止剤としては、ポリビニルピロリドンポリマー、ポリアミンＮ−オキシドポリマー、Ｎ−ビニルピロリドン及びＮ−ビニルイミダゾールのコポリマー、マンガンフタロシアニン、ペルオキシダーゼ、及びこれらの混合物が挙げられ得る。使用する場合、これらの剤は、組成物の約０．０００１％〜約１０重量％、一部の例では組成物の約０．０１％〜約５重量％、及び他の例では組成物の約０．０５％〜約２重量％の濃度で使用され得る。
【０１７０】
キレート化剤
本明細書に記載の洗浄組成物は、また、１つ以上の金属イオンのキレート剤を含有してもよい。好適な分子としては、銅、鉄、及び／又はマンガンキレート剤、並びにこれらの混合物が挙げられる。そのようなキレート剤は、ホスホネート、アミノカルボキシレート、アミノホスホネート、スクシネート、多官能置換された芳香族キレート剤、２−ピリジノールーＮーオキシド化合物、ヒドロキサム酸、カルボキシメチルイヌリン及びこれらの混合物からなる群から選択することができる。キレート剤は、アルカリ金属、アンモニウム、及びその置換アンモニウム塩、及びこれらの混合物を含む、酸又は塩の形で存在することができる。
【０１７１】
キレート剤は、本開示の洗剤組成物の約０．００５重量％〜約１５重量％、約０．０１重量％〜約５重量％、約０．１重量％〜約３．０重量％、約０．２重量％〜約０．７重量％、又は約０．３重量％〜約０．６重量％の本開示の洗剤組成物中に存在してよい。
【０１７２】
キレート化剤として有用なアミノカルボキシレートとしては、エチレンジアミンテトラアセテート（ＥＤＴＡ）；ｎ−（ヒドロキシエチル）エチレンジアミントリアセテート（ＨＥＤＴＡ）；ニトリロトリアセテート（ＮＴＡ）；エチレンジアミンテトラプロピオネート；トリエチレンテトラアミンヘキサアセテート、ジエチレントリアミン−ペンタアセテート（ＤＴＰＡ）；メチルグリシンジ酢酸（ＭＧＤＡ）；グルタミン酸ジ酢酸（ＧＬＤＡ）；エタノールジグリシン；トリエチレンテトラアミンヘキサ酢酸（ＴＴＨＡ）；ｎ−ヒドロキシエチルイミノジ酢酸（ＨＥＩＤＡ）；ジヒドロキシエチルグリシン（ＤＨＥＧ）；エチレンジアミンテトラプロピオン酸（ＥＤＴＰ）及びこれらの誘導体が挙げられるが、これらに限定されない。
【０１７３】
リン含有キレート化剤としては、ジエチレントリアミンペンタ（メチレンホスホン酸）（ＤＴＰＭＰ  ＣＡＳ  １５８２７−６０−８）；エチレンジアミンテトラ（メチレンホスホン酸）（ＥＤＴＭＰ  ＣＡＳ  １４２９−５０−１）；２−ホスホノブタン１，２，４−トリカルボン酸（Ｂａｙｈｉｂｉｔ（登録商標）ＡＭ）；ヘキサメチレンジアミンテトラ（メチレンホスホン酸）（ＣＡＳ  ５６７４４−４７−９）；ヒドロキシエタンジホスホン酸（ＨＥＤＰ  ＣＡＳ  ２８０９−２１−４）；ヒドロキシエタンジメチレンホスホン酸；２−ホスホノ−１，２，４−ブタントリカルボン酸（ＣＡＳ  ３７９７１−３６−１）；２−ヒドロキシ−２−ホスホノ−酢酸（ＣＡＳ  ２３７８３−２６−８）；アミノトリ（メチレンホスホン酸）（ＡＴＭＰ  ＣＡＳ  ６４１９−１９−８）；ｐ，ｐ’−（１，２−エタンジイル）ビス−ホスホン酸（ＣＡＳ  ６１４５−３１−９）；ｐ，ｐ’−メチレンビス−ホスホン酸（ＣＡＳ  １９８４−１５−２）；トリエチレンジアミンテトラ（メチレンホスホン酸）（ＣＡＳ  ２８４４４−５２−２）；ｐ−（１−ヒドロキシ−１−メチルエチル）−ホスホン酸（ＣＡＳ  ４１６７−１０−６）；ビス（ヘキサメチレントリアミンペンタ（メチレンホスホン酸））（ＣＡＳ  ３４６９０−００−１）；Ｎ２，Ｎ２，Ｎ６，Ｎ６−テトラキス（ホスホノメチル）−リジン（ＣＡＳ  １９４９３３−５６−７、ＣＡＳ  １７２７８０−０３−９）、その塩、及びこれらの混合物が挙げられるが、これらに限定されない。好ましくは、これらのアミノホスホネートは、約７個を超える炭素原子を有するアルキル又はアルケニル基を含有しない。
【０１７４】
多官能性置換芳香族キレート剤も洗浄組成物で使用されてもよい。１９７４年５月２１日にＣｏｎｎｏｒらに対して発行された、米国特許第３，８１２，０４４号を参照のこと。酸形態のこの種の好ましい化合物は、Ｔｒｉｏｎとしても既知である１，２−ジヒドロキシ−３，５−ジスルホベンゼン等のジヒドロキシジスルホベンゼンである。その他のスルホン酸化カテコールも使用されてよい。ジスルホン酸に加えて、用語「タイロン」は、また、同じコア分子構造をジスルホン酸と共有する、この酸のモノ又はジスルホン酸塩、例えばスルホン酸二ナトリウムを含んでもよい。
【０１７５】
本明細書での使用に好適なキレート剤は、市販のＤＥＱＵＥＳＴシリーズ、及びＭｏｎｓａｎｔｏ、Ａｋｚｏ−Ｎｏｂｅｌ、ＤｕＰｏｎｔ、Ｄｏｗからのキレート剤、ＢＡＳＦ及びＮａｌｃｏからのＴｒｉｌｏｎ（登録商標）シリーズである。
【０１７６】
同様に本明細書で使用することのできる生分解性キレート化剤は、エチレンジアミンジコハク酸（「ＥＤＤＳ」）である。いくつかの例では（無論この具体例に限定されないが）、米国特許第４，７０４，２３３号に記載される通りの［Ｓ，Ｓ］異性体も使用され得る。他の例では、ＥＤＤＡの三ナトリウム塩を使用できるものの、マグネシウム塩などのその他の形態も有用であり得る。ＢＡＳＦからのＴｒｉｌｏｎＰ（登録商標）などの高分子キレート化剤も有用であり得る。
【０１７７】
抑泡剤
本明細書に記載の洗浄組成物の中に泡の形成を低減又は抑制するための化合物を組み込むことができる。抑泡制は、米国特許第４，４８９，４５５号及び同第４，４８９，５７４号に記載されているようないわゆる「高濃度洗浄プロセス」において、そしてフロントローディング方式の洗濯機において、特に重要であることができる。
【０１７８】
抑泡剤として多種多様な材料を使用してもよく、抑泡剤は当業者には周知されている。例えば、Ｋｉｒｋ  Ｏｔｈｍｅｒ  Ｅｎｃｙｃｌｏｐｅｄｉａ  ｏｆ  Ｃｈｅｍｉｃａｌ  Ｔｅｃｈｎｏｌｏｇｙ，Ｔｈｉｒｄ  Ｅｄｉｔｉｏｎ，Ｖｏｌｕｍｅ  ７，４３０〜４４７頁（Ｊｏｈｎ  Ｗｉｌｅｙ  ＆  Ｓｏｎｓ，Ｉｎｃ．刊（１９７９年））を参照されたい。抑泡剤の例としては、脂肪族モノカルボン酸及びその可溶性塩、パラフィンのような高分子量炭化水素、脂肪酸エステル（例えば脂肪酸トリグリセリド）、一価アルコールの脂肪酸エステル、脂肪族Ｃ１８〜Ｃ４０ケトン（例えばステアロン）、Ｎ−アルキル化アミノトリアジン、ワックス状炭化水素（好ましくは融点が約１００℃未満のもの）、シリコーン抑泡剤、及び二級アルコールが挙げられる。抑泡剤は、米国特許第２，９５４，３４７号、同第４，２６５，７７９号、同第４，２６５，７７９号、同第３，４５５，８３９号、同第３，９３３，６７２号、同第４，６５２，３９２号、同第４，９７８，４７１号、同第４，９８３，３１６号、同第５，２８８，４３１号、同第４，６３９，４８９号、同第４，７４９，７４０号、及び同第４，７９８，６７９号、同第４，０７５，１１８号、欧州特許出願第８９３０７８５１．９号、欧州特許第１５０，８７２号、並びにドイツ特許出願公開公報第２，１２４，５２６号に記載されている。
【０１７９】
更なる好適な発泡防止剤は、フェニルプロピルメチル置換ポリシロキサンから誘導されたものである。
【０１８０】
特定の例では、洗浄組成物は、シリコーン樹脂及び変成シリカである一次充填剤と組み合わせたアリール又はアルキルアリール置換基を付けた有機変成シリコーンポリマーから選択される抑泡剤を含む。洗浄組成物は組成物の量で約０．００１重量％〜約４．０重量％のそのような抑泡剤を含んでもよい。更なる例では、洗浄組成物は、ａ）パーセントが抑泡剤の重量基準で約８０〜約９２％のエチルメチル，メチル（２−フェニルプロピル）シロキサン；オクチルステアレート中の約５〜約１４％のＭＱ樹脂；及び約３〜約７％の変成シリカの混合物；ｂ）約７８〜約９２％のエチルメチル，メチル（２−フェニルプロピル）シロキサン；オクチルステアレート中の約３〜約１０％のＭＱ樹脂；約４〜約１２％の変成シリカの混合物；又はｃ）これらの混合物から選択される抑泡剤を含む。
【０１８１】
本明細書に記載の洗浄組成物は、０％〜約１０％の抑泡剤を含んでもよい。抑泡剤として使用する場合、脂肪族モノカルボン酸、及びその塩は、洗浄組成物の最大約５％、一部の例では、組成物の約０．５％〜約３重量％の量で存在してもよい。シリコーン抑泡剤は、より多い量を使用することもできるが、洗浄組成物の重量基準で最大で約２．０％までの量で使用されてもよい。モノステアリルホスフェート抑泡剤は、洗浄組成物の重量基準で約０．１重量％〜約２重量％の範囲の量で使用されてもよい。炭化水素抑泡剤は、より多い量を使用することもできるが、洗浄組成物の重量基準で約０．０１重量％〜約５．０重量％の範囲の量で使用されてもよい。アルコール抑泡剤は、洗浄組成物の約０．２％〜約３重量％の範囲の濃度で使用されてもよい。
【０１８２】
起泡促進剤
高起泡が望まれる場合、Ｃ１０〜Ｃ１６アルカノールアミドなどの起泡促進剤を例えば、洗浄組成物の約１重量％〜約１０重量％の範囲の濃度で洗浄組成物に組み込んでもよい。一部の例としてはＣ１０〜Ｃ１４モノエタノール及びジエタノールアミドが挙げられる。所望の場合、ＭｇＣｌ２、ＭｇＳＯ４、ＣａＣｌ２、ＣａＳＯ４、及び類似物の水溶性マグネシウム及び／又はカルシウム塩を、例えば洗浄組成物の約０．１重量％〜約２重量％の濃度で加えて、追加の泡をもたらし、グリース除去能を増強させてもよい。
【０１８３】
柔軟仕上げ剤
様々なスルーザウオッシュ布地柔軟剤は、米国特許第４，０６２，６４７号の微細なスメクタイトクレイ並びに当業界で既知の他の柔軟剤クレイを含み、洗浄組成物に約０．５重量％〜約１０重量％の濃度で使用されて、布地洗浄と同時に柔軟仕上げ剤の利益を提供し得る。クレイ柔軟剤は、例えば、米国特許第４，３７５，４１６号及び米国特許第４，２９１，０７１号に開示されるように、アミン及びカチオン性柔軟剤と組み合わせて使用することができる。カチオン性柔軟剤は、また、クレイ柔軟剤無しで使用することができる。
【０１８４】
カプセル化剤
組成物は、カプセル化剤を含んでもよい。一部の態様では、カプセル化剤は、コアと、内面及び外面を有するシェルと、を含み、シェルは、コアをカプセル化する。
【０１８５】
特定の態様では、カプセル化剤はコア及びシェルを含み、そこでは、コアは芳香剤；増白剤；染料；防虫剤；シリコーン；ワックス；着香料；ビタミン；布地柔軟剤；スキンケア剤、例えばパラフィン；酵素；抗菌剤；漂白剤；感覚惹起剤；又はこれらの混合物から選択される材料を含み；及びシェルはポリエチレン；ポリアミド；所望による他のコモノマーを含有するポリビニルアルコール；ポリスチレン；ポリイソプレン；ポリカーボネート；ポリエステル；ポリアクリレート；ポリオレフィン；ポリサッカライド、例えば、アルギネート及び／又はキトサン；ゼラチン；シェラック；エポキシ樹脂；ビニルポリマー；水不溶性無機物；シリコーン；アミノプラスト、又はこれらの混合物から選択される材料を含む。シェルがアミノプラストを含む一部の態様では、アミノプラストを含み、このアミノプラストは、ポリウレア、ポリポリウレタン、及び／又はポリウレアポリウレタンを含む。ポリウレアはポリオキシメチレンウレア及び／又はメラミンホルムアルデヒドを含んでもよい。
【０１８６】
一部の態様では、カプセル化剤はコアをカプセル化し、及びコアは芳香剤を含む。特定の態様では、カプセル化剤はシェルを含み、及びシェルはメラミンホルムアルデヒド及び／又は架橋メラミンホルムアルデヒドを含む。一部の態様では、カプセル化剤は、芳香剤を含むコア及びメラミンホルムアルデヒド及び／又は架橋メラミンホルムアルデヒドを含むシェルを含む。
【０１８７】
好適なカプセル化剤はコア材料及びシェルを含み、そこではシェルがコア材料を少なくとも部分的に取り囲む。このカプセルの少なくとも７５％、又は少なくとも８５％、又は更には少なくとも９０％は、約０．２ＭＰａ〜約１０ＭＰａ、約０．４ＭＰａ〜約５ＭＰａ、約０．６ＭＰａ〜約３．５ＭＰａ、又は更には約０．７ＭＰａ〜約３ＭＰａの破壊強度、並びに０％〜約３０％、０％〜約２０％、又は更には０％〜約５％の有益剤漏出率を有してもよい。
【０１８８】
一部の態様では、前述のカプセルの少なくとも７５％、８５％、又は更には９０％は、約１マイクロメートル〜約８０マイクロメートル、約５マイクロメートル〜６０マイクロメートル、約１０マイクロメートル〜約５０マイクロメートル、又は更には約１５マイクロメートル〜約４０マイクロメートルの粒径を有してもよい。
【０１８９】
一部の態様では、前述のカプセルの少なくとも７５％、８５％、又は更には９０％は、約３０ｎｍ〜約２５０ｎｍ、約８０ｎｍ〜約１８０ｎｍ、又は更には約１００ｎｍ〜約１６０ｎｍの粒子壁厚を有してもよい。
【０１９０】
一部の態様では、カプセルのコア材料は、香料原料及び／又は所望により植物油からなる群から選択される材料を含み、ヒマシ油、ココナッツ油、綿実油、ブドウ油、菜種、大豆油、コーン油、パーム油、亜麻仁油、ベニバナ油、オリーブ油、ピーナッツ油、ココナッツ油、パーム核油、ヒマシ油、レモン油、及びこれらの混合物を含む）を含む純粋な及び／又はブレンドされた植物油、植物油のエステル、ジブチルアジパート、ジブチルフタレート、ブチルベンジルアジパート、ベンジルオクチルアジパート、トリクレシルホスフェート、トリオクチルホスフェート、及びこれらの混合物を含むエステル、約８０℃を超える沸点を有する直鎖若しくは分岐鎖炭化水素を含む直鎖若しくは分岐鎖炭化水素、部分水素化テルフェニル、ジアルキルフタレート、モノイソプロピルビフェニルを含むアルキルビフェニル、ジプロピルナフタレンを含むアルキル化ナフタレン、ケロシン、鉱油、及びこれらの混合物を含む石油スピリット、ベンゼン、トルエン、及びこれらの混合物を含む芳香族溶媒、シリコーン油、並びにこれらの混合物からなる群から選択される材料からなる群から選択される材料を含む。
【０１９１】
一部の態様では、マイクロカプセルの壁は、アルデヒドとアミンとの反応生成物などの好適な樹脂を含む。好適なアルデヒドとしてはホルムアルデヒドが挙げられる。好適なアミンとしてはメラミン、ウレア、ベンゾグアナミン、グリコウリル、又はこれらの混合物が挙げられる。好適なメラミンとしては、メチロールメラミン、メチル化メチロールメラミン、イミノメラミン及びこれらの混合物が挙げられる。好適な尿素としては、ジメチロール尿素、メチル化ジメチロール尿素、尿素−レゾルシノール、及びこれらの混合物が挙げられる。
【０１９２】
一部の態様では、好適なホルムアルデヒド掃去剤は、カプセル剤とともに使用されてもよく、例えばカプセルスラリー中で用いても、及び／又は、カプセル剤を本発明の組成物に加える前、間、若しくは後に、組成物に加えられてもよい。
【０１９３】
好適なカプセルは米国特許出願第２００８／０３０５９８２（Ａ１）号、及び／又は米国特許出願第２００９／０２４７４４９（Ａ１）号に開示されている。あるいは、適切なカプセル剤は、Ａｐｐｌｅｔｏｎ  Ｐａｐｅｒｓ  Ｉｎｃ．（Ａｐｐｌｅｔｏｎ，Ｗｉｓｃｏｎｓｉｎ  ＵＳＡ）から購入できる。
【０１９４】
加えて、前述のカプセル剤を作製するための材料は、Ｓｏｌｕｔｉａ  Ｉｎｃ．（Ｓｔ  Ｌｏｕｉｓ，Ｍｉｓｓｏｕｒｉ  Ｕ．Ｓ．Ａ．）、Ｃｙｔｅｃ  Ｉｎｄｕｓｔｒｉｅｓ（Ｗｅｓｔ  Ｐａｔｅｒｓｏｎ，Ｎｅｗ  Ｊｅｒｓｅｙ  Ｕ．Ｓ．Ａ．）、ｓｉｇｍａ−Ａｌｄｒｉｃｈ（Ｓｔ．Ｌｏｕｉｓ，Ｍｉｓｓｏｕｒｉ  Ｕ．Ｓ．Ａ．）、ＣＰ  Ｋｅｌｃｏ  Ｃｏｒｐ．（Ｓａｎ  Ｄｉｅｇｏ，Ｃａｌｉｆｏｒｎｉａ，ＵＳＡ）、ＢＡＳＦ  ＡＧ（Ｌｕｄｗｉｇｓｈａｆｅｎ，Ｇｅｒｍａｎｙ）、Ｒｈｏｄｉａ  Ｃｏｒｐ．（Ｃｒａｎｂｕｒｙ，Ｎｅｗ  Ｊｅｒｓｅｙ，ＵＳＡ）、Ｈｅｒｃｕｌｅｓ  Ｃｏｒｐ．（Ｗｉｌｍｉｎｇｔｏｎ，Ｄｅｌａｗａｒｅ，ＵＳＡ）、Ａｇｒｉｕｍ  Ｉｎｃ．（Ｃａｌｇａｒｙ，Ａｌｂｅｒｔａ，Ｃａｎａｄａ）、ＩＳＰ（Ｎｅｗ  Ｊｅｒｓｅｙ  Ｕ．Ｓ．Ａ．）、Ａｋｚｏ  Ｎｏｂｅｌ（Ｃｈｉｃａｇｏ，ＩＬ，ＵＳＡ）、Ｓｔｒｏｅｖｅｒ  Ｓｈｅｌｌａｃ  Ｂｒｅｍｅｎ（Ｂｒｅｍｅｎ，Ｇｅｒｍａｎｙ）、Ｄｏｗ  Ｃｈｅｍｉｃａｌ  Ｃｏｍｐａｎｙ（Ｍｉｄｌａｎｄ，ＭＩ，ＵＳＡ）、Ｂａｙｅｒ  ＡＧ（Ｌｅｖｅｒｋｕｓｅｎ，Ｇｅｒｍａｎｙ）、Ｓｉｇｍａ−Ａｌｄｒｉｃｈ  Ｃｏｒｐ．（Ｓｔ．Ｌｏｕｉｓ，Ｍｉｓｓｏｕｒｉ，ＵＳＡ）から入手することができる。
【０１９５】
芳香剤
芳香剤及び芳香剤成分は本明細書で記載の洗浄組成物で使用されてもよい。芳香剤及び芳香剤芳香剤成分の非限定的な例としては、アルデヒド、ケトン、エステル、及びその類似物が挙げられるが、これらに限定されない。他の例としては様々な天然抽出物及び天然エキスが挙げられ、これらは、オレンジ油、レモン油、バラ抽出物、ラベンダー、ムスク、パチョリ、バルサムエキス、ビャクダン油、パイン油、シーダーなどの成分の複雑な混合物を含むことができる。最終芳香剤は、そのような成分の非常に複雑な混合物を含むことができる。最終芳香剤は、洗浄組成物の約０．０１重量％〜約２重量％の範囲の濃度で含まれてもよい。
【０１９６】
真珠光沢剤
本発明の洗濯洗剤組成物は真珠光沢剤を含んでもよい。好適な真珠光沢剤としてはＵＳＰＮ  ２００８／０２３４１６５Ａ１号に記載のものが挙げられる。真珠光沢剤の非限定的な例としては以下が挙げられる：雲母；二酸化チタン被覆雲母；ビスマスオキシクロリド；魚鱗；式のアルキレングリコールのモノ及びジエステル：
【０１９７】
【化１７】
2016534205.tif 000018
式中、
ａ．Ｒ１は、直鎖状又は分岐鎖状Ｃ１２〜Ｃ２２アルキル基であり、
ｂ．Ｒは、直鎖状又は分岐鎖状Ｃ２〜Ｃ４アルキレン基であり；
ｃ．Ｐは、Ｈ；Ｃ１〜Ｃ４アルキル；又は−ＣＯＲ２から選択され；及び
ｄ．ｎ＝１〜３である。
【０１９８】
一部の態様では、真珠光沢剤はエチレングリコールジステアレート（ＥＧＤＳ）である。
【０１９９】
充填剤及びキャリア
充填剤及びキャリアは本明細書で記載の洗浄組成物で使用されてもよい。本明細書で使用するとき、用語「充填剤」及び「キャリア」は、同じ意味を有し、互換的に使用できる。
【０２００】
液体洗剤組成物、及び液体成分を含む洗浄組成物の他の形（例えば、液体含有単位用量洗剤組成物）は、水及び他の溶媒を充填剤又はキャリアとして含有してもよい。好適な溶剤としては、シロキサン、他のシリコーン、炭化水素、グリコールエーテル、グリセリンエーテルなどのグリセリン誘導体、ペルフッ素化アミン、ペルフッ素化及びヒドロフルオロエーテル溶剤、低揮発性非有機溶剤、ジオール溶剤、及びこれらの混合物を含む親油性流体も挙げられる。
【０２０１】
メタノール、エタノール、プロパノール、及びイソプロパノールに代表される低分子量の一級又は二級アルコールが好適である。一部の例では、一価アルコールは、界面活性剤を可溶化するために使用されてもよく、２〜約６個の炭素原子と２〜約６個のヒドロキシ基を含有するものなどのポリオール（例えば、１，３−プロパンジオール、エチレングリコール、グリセリン、及び１，２−プロパンジオール）もまた使用されてもよい。モノエタノールアミン、ジエタノールアミン及びトリエタノールアミンなどのアミン含有溶剤も使用されてもよい。
【０２０２】
洗浄組成物は、組成物の重量で、約５重量％〜約９０重量％、及び一部の例では約１０重量％〜約５０重量％のそのようなキャリアを含有してもよい。コンパクト又はスーパーコンパクト重質液体又はその他の形の洗浄組成物に対して、水の使用は、組成物の重量基準で、約４０重量％未満、又は約２０重量％未満、又は約５％重量未満、又は約４重量％未満、又は約３重量％未満、又は約２重量％未満遊離水であってよく、又は遊離水を実質的に含まなくともよい（すなわち、無水）。
【０２０３】
粉末又はバーの洗浄組成物、又は固体又は粉末成分を含む形（例えば、粉末含有単位用量洗浄組成物）に対して、好適な充填剤としては、硫酸ナトリウム、塩化ナトリウム、粘土、又は他の不活性固体成分が挙げられるが、これらに限定されない。充填剤は、また、バイオマス又は脱色バイオマスを含んでもよい。顆粒、バー、又は他の固体洗浄組成物中の充填剤は、洗浄組成物の重量の約８０％未満、及び一部の例では、５０％未満のビルダーを占めてもよい。コンパクト又はスーパーコンパクト粉末又は固体洗浄組成物は、洗浄組成物の重量で約４０％未満、約２０％未満、又は約１０％未満の充填剤を含んでもよい。
【０２０４】
コンパクト又はスーパーコンパクトの液体又は粉末の洗浄組成物、又は他の形のいずれかに対しては、製品中の液体又は固体充填剤の濃度が低減されて、その結果、コンパクト化されていない洗浄組成物と比較して同量の活性化学物質が洗浄液に送達されるか、又は、一部の例では洗浄組成物がより効率的であってその結果、コンパクト化されていない組成物と比較してより少量の活性化学物質が送達される。例えば、洗浄液は、洗浄液中の洗浄組成物の濃度が０ｇ／Ｌ〜約６ｇ／Ｌ超となるような量で、洗浄組成物を水と接触させることにより形成されてもよい。一部の例では、濃度は、約０．５ｇ／Ｌ〜約５ｇ／Ｌ、又は〜約３．０ｇ／Ｌ、又は〜約２．５ｇ／Ｌ、又は〜約２．０ｇ／Ｌ、又は〜約１．５ｇ／Ｌ、又は約０ｇ／Ｌ〜約１．０ｇ／Ｌ、又は約０ｇ／Ｌ〜約０．５ｇ／Ｌであってもよい。これらの投与量は限定を意図するものではなく、その他の投与量を使用することもできることは当業者には明白である。
【０２０５】
緩衝系
本明細書に記載の洗浄組成物は、水性洗浄操作での使用時に、洗浄水が約７．０〜約１２、及び一部の例では約７．０〜１１の間のｐＨを有するように配合されてもよい。推奨される使用レベルでｐＨを調節する技術としては、緩衝剤、アルカリ、酸などの使用が挙げられ、これらは当業者には周知である。これらの技術としては、炭酸ナトリウム、クエン酸、若しくはクエン酸ナトリウム、乳酸若しくは乳酸塩、モノエタノールアミン若しくは他のアミン、ホウ酸若しくはホウ酸塩、及び当該技術分野において既知の他のｐＨ調整化合物の使用が挙げられるが、これらに限定されない。
【０２０６】
本明細書中の洗浄組成物は、動的なインウオッシュｐＨプロフィールを含む。そのような洗浄組成物は、他のｐＨ制御剤と併せて、ワックス被覆されたクエン酸粒子を使用してもよく、その結果（ｉ）水との接触後３分で、洗浄液のｐＨは１０より大きくなり、（ｉｉ）水との接触後１０分で、洗浄液のｐＨは９．５未満であり、（ｉｉｉ）水との接触後２０分で、洗浄液のｐＨは９．０未満であり、（ｉｖ）所望により洗浄液のｐＨ均衡は約７．０〜８．５の範囲にある。
【０２０７】
水溶性フィルム
本発明の組成物は、また、水溶性フィルム内にカプセル化されてもよい。好ましいフィルム材料は、好ましくは高分子材料である。フィルム材料は、当該技術分野において既知であるように、例えば、ポリマー材料のキャスティング、吹込成形、押出成形、又は吹込押出成形により得ることができる。
【０２０８】
パウチ材料としての使用に好適な好ましいポリマー、コポリマー又はそれらの誘導体は、ポリビニルアルコール、ポリビニルピロリドン、ポリアルキレンオキシド、アクリルアミド、アクリル酸、セルロース、セルロースエーテル、セルロースエステル、セルロースアミド、ポリ酢酸ビニル、ポリカルボン酸及び塩、ポリアミノ酸又はペプチド、ポリアミド、ポリアクリルアミド、マレイン酸／アクリル酸のコポリマー、デンプン及びゼラチンを包含するポリサッカライド、キサンタン及びカラゴムなどの天然ゴムから選択される。より好ましいポリマーは、ポリアクリレート及び水溶性アクリレートコポリマー、メチルセルロース、カルボキシメチルセルロースナトリウム、デキストリン、エチルセルロース、ヒドロキシエチルセルロース、ヒドロキシプロピルメチルセルロース、マルトデキストリン、ポリメタクリレートから選択され、最も好ましくは、ポリビニルアルコール、ポリビニルアルコールコポリマー及びヒドロキシプロピルメチルセルロース（ＨＰＭＣ）、並びにこれらの組み合わせから選択される。好ましくは、パウチ材料中のポリマーの濃度、例えば、ＰＶＡポリマーの濃度は、少なくとも６０％である。このポリマーは、任意の重量平均分子量を有してもよく、好ましくは、約１０００〜１，０００，０００、より好ましくは、約１０，０００〜３００，０００、更により好ましくは、約２０，０００〜１５０，０００である。ポリマー混合物もパウチ材料として使用することができる。
【０２０９】
当然のことながら、異なるフィルム材料及び／又は異なる厚さのフィルムも、また、本発明の小室の作製に選択されてもよい。異なるフィルムを選択する利点は、その結果得られる小室が異なる溶解性、すなわち放出特性を呈し得ることである。
【０２１０】
最も好ましいフィルム材料は、ＭｏｎｏＳｏｌ照会番号Ｍ８６３０、Ｍ８９００、Ｈ８７７９（出願人らの同時係属出願照会番号４４５２８及び１１５９９に記載）として公知のＰＶＡフィルム、米国特許第６，１６６，１１７号及び同第６，７８７，５１２号に記載のＰＶＡフィルム、並びに相当する溶解度及び変形特性を有するＰＶＡフィルムである。
【０２１１】
また、本明細書のフィルム材料には、１つ以上の添加剤成分を含有させてもよい。例えば、グリセロール、エチレングリコール、ジエチレングリコール、プロピレングリコール、ソルビトール、及びこれらの混合物などの可塑剤の添加が有益であることがある。他の添加剤としては、洗浄水に送達される機能性洗剤添加剤、例えば有機ポリマー分散剤などが挙げられる。
【０２１２】
他の補助剤成分
広範かつ様々な他の成分が本明細書の洗浄組成物中で使用されてもよく、他の成分として他の活性成分、キャリア、ヒドロトロープ、加工助剤、染料若しくは顔料、液体配合物用溶媒、及び固体若しくは他の液体の充填剤、エリトロシン、コロイド状シリカ、ろう、プロバイオティクス、サーファクチン（surfactin）、アミノセルロース系ポリマー、リシノール酸亜鉛、香料、マイクロカプセル、ラムノリピド、ソホロリピッド、グリコペプチド、メチルエステルスルホネート、メチルエステルエトキシレート、スルホン化エストリド、開裂可能界面活性剤、バイオポリマー、シリコーン、修飾シリコーン、アミノシリコーン、付着助剤、イナゴマメゴム、カチオン性ヒドロキシエチルセルロースポリマー、カチオン性グアー、ヒドロトロープ（特にキュメンスルホン酸ナトリウム塩、トルエンスルホン酸塩、キシレンスルホン酸塩、及びナフタリン塩）、酸化防止剤、ＢＨＴ、ＰＶＡ粒子−封入染料若しくは香料、真珠光沢剤、発泡助剤、色調変更系、シリコーンポリウレタン、乳白剤、錠剤崩壊剤、バイオマス充填剤、高速乾燥シリコーン、グリコールジステアレート、ヒドロキシエチルセルロースポリマー、疎水変性セルロースポリマー若しくはヒドロキシエチルセルロースポリマー、デンプン香料封入、乳化油、ビスフェノール酸化防止剤、微細繊維状セルロース界面活性剤、プロ芳香剤、スチレン／アクリレートポリマー、トリアジン、石鹸、スーパーオキシドジスムターゼ、ベンゾフェノンプロテアーゼ阻害剤、官能性を持たせたＴｉＯ２、ジブチルホスフェート、シリカ香料カプセル、他の補助成分、ジエチレントリアミン五酢酸、タイロン（１，２−ジヒドロキシベンゼン−３，５−ジスルホン酸）、ヒドロキシエタンジメチレンホスホン酸、メチルグリシン二酢酸、コリンオキシダーゼ、ペクタートリアーゼ、トリアリールメタンブルー及びバイオレット塩基性染料、メチンブルー及びバイオレット塩基性染料、アントラキノンブルー及びバイオレット塩基性染料、アゾ染料ベーシックブルー１６、ベーシックブルー６５、ベーシックブルー６６、ベーシックブルー６７，ベーシックブルー７１、ベーシックブルー１５９、ベーシックバイオレット１９、ベーシックバイオレット３５、ベーシックバイオレット３８、ベーシックバイオレット４８、オキサジン染料、ベーシックブルー３、ベーシックブルー７５、ベーシックブルー９５、ベーシックブルー１２２、ベーシックブルー１２４、ベーシックブルー１４１、ナイルブルーＡ及びキサンテン染料ベーシックバイオレット１０、アルコキシル化トリフェニルメタンポリマー着色剤、アルコキシル化チオフェンポリマー着色剤、チアゾリウム染料、雲母、二酸化チタン被覆雲母、オキシ塩化ビスマス、パラフィンワックス、スクロースエステル、美的染料、ヒドロキサメート、キレート及び他の活性剤が挙げられる。
【０２１３】
本明細書に記載の洗浄組成物は、また、ビタミン及びアミノ酸、例えば水溶性ビタミン及びそれらの誘導体、水溶性アミノ酸並びにそれらの塩及び／又は誘導体、水不溶性アミノ酸粘度調整剤、染料、不揮発性溶媒又は希釈剤（水溶性及び水不溶性）、真珠光沢助剤、泡促進剤、追加的な界面活性剤又は非イオン性補助界面活性剤、殺シラミ剤、ｐＨ調整剤、香料、防腐剤、キレート剤、タンパク質、皮膚活性剤、日焼け止め、ＵＶ吸収剤、ビタミン、ナイアシンアミド、カフェイン、及びミノキシジルを含有してもよい。
【０２１４】
本明細書に記載の洗浄組成物は、また、ニトロソ、モノアゾ、ジスアゾ（disazo）、カロチノイド、トリフェニルメタン、トリアリールメタン、キサンテン、キノリン、オキサジン、アジン、アントラキノン、インジゴイド、チオンインジゴイド、キナクリドン、フタロシアニン、Ｃ．Ｉ．名を有するものなどの水溶性成分を包含する植物、及び天然の色などの色素材料を含有してもよい。本発明の洗浄組成物は、また、抗菌剤を含有してもよい。
【０２１５】
洗浄組成物の作製
本開示の洗浄組成物は、バッチ工程又は連続のループ工程によるなどの当業者に既知の在来の方法により作製されてもよい。
【０２１６】
使用方法
本発明は汚れた材料の洗浄方法を含む。当業者には理解されるように、本発明の洗浄組成物は、洗濯前処理用途、洗濯洗浄用途、及びホームケア用途における使用に適している。
【０２１７】
そのような方法は、組成物をニートの形又は洗浄液中で希釈して、汚れた材料の少なくとも一部分と接触させて、次いで所望により汚れた材料をリンスする工程を含むが、これに限定されない。汚れた材料は、任意のリンス工程の前に洗浄工程にかけられてもよい。
【０２１８】
洗濯前処理用途での使用に対しては、方法は、本明細書に記載の洗浄組成物を汚れた布地と接触させることを含んでもよい。前処理の後、汚れた布地は洗濯機で洗濯されるか、そうでなければリンスされてもよい。
【０２１９】
機械洗濯の方法は、その中に溶解又は分散した本明細書の有効量の機械洗濯洗浄組成物を有する洗濯機中で汚れた洗濯物を水性洗浄溶液で処理することを含んでもよい。「有効量」の洗浄組成物とは、約５Ｌ〜約６５Ｌの容積の洗浄溶液中に溶解又は分散された約２０ｇ〜約３００ｇの生成物を意味する。水温は、約５℃〜約１００℃の範囲であってよい。水：汚れた材料（例えば、布地）の比は、約１：１〜約３０：１であってよい。組成物は、溶液中約５００ｐｐｍ〜約１５，０００ｐｐｍの濃度で使用されてもよい。布地洗濯組成物の文脈において、使用濃度は、また、汚れ及びしみのタイプ及び程度だけでなく、洗浄水の温度、洗浄水の容量、及び洗濯機のタイプ（例えば、上側投入式、前側投入式、上側投入式、垂直軸型日本タイプ自動洗濯機）にも依存して様々であってよい。
【０２２０】
本明細書における洗浄組成物は、低減された洗浄温度で布地を洗濯するために使用されてもよい。布地を洗濯するこれらの方法は、洗濯洗浄組成物を水に送達して、洗浄液を形成し、及び洗濯する布地を前述の洗浄液に添加する工程を含み、そこでは洗浄液が約０℃〜約２０℃、又は約０℃〜約１５℃、又は約０℃〜約９℃の温度を有する。布地は、洗浄組成物を水に接触させる前、又は後、又は同時に水と接触させてよい。
【０２２１】
別な方法は、洗浄組成物の実施形態により含浸された不織基材を汚れた材料と接触させることを含む。本明細書で使用するとき、「不織布基材」は、好適な坪量、キャリパー（厚さ）、吸収性及び強さ特性を有する従来通り形作られた任意の不織布シート又はウェブを包含することができる。好適な市販の不織布基材の非限定的な例としては、ＤｕＰｏｎｔより商品名ＳＯＮＴＡＲＡ（登録商標）及びＪａｍｅｓ  Ｒｉｖｅｒ  Ｃｏｒｐ．より商品名ＰＯＬＹＷＥＢ（登録商標）として販売されるものが挙げられる。
【０２２２】
機械式食器洗浄方法
手洗浄／浸漬方法、及び半自動洗浄機による組み合された手洗浄が含まれる。汚れた皿、食卓用食器、銀製食器、又は他のキッチン食器の機械式洗浄方法又は手での洗浄方法が含まれる。機械食器洗いの１つの方法は、汚れた皿、食卓用食器、銀製食器、及び他のキッチン用食器をその中に溶解又は分散された有効量の本発明に従った機械食器洗い用組成物を溶解又は分散した水性液体で処理する工程を含む。「有効量」の機械洗浄組成物とは、約３Ｌ〜約１０Ｌの容積の洗浄溶液中に溶解又は分散させた約８ｇ〜約６０ｇの生成物を意味する。
【０２２３】
手での食器洗いの１つの方法は、水を入れた容器の中に洗浄組成物を溶解し、続いて汚れた皿、食卓用食器、銀製食器、又は他のキッチン用食器を洗い液と接触させ、次いで汚れた皿、食卓用食器、銀製食器、又は他のキッチン用食器を手でスクラブする、拭く又はリンスすることを含む。手での食器洗いのもう１つの方法は、汚れた皿、食卓用食器、銀製食器、又は他のキッチン用食器上に洗浄組成物を直接に適用し、次いで汚れた皿、食卓用食器、銀製食器、又は他のキッチン用食器を手でスクラブする、拭く又はリンスすることを含む。一部の例では、手での皿洗いに有効な量の洗浄組成物は水中に希釈した約０．５ｍＬ〜約２０ｍＬである。
【０２２４】
組成物のためのパッケージ化
本明細書に記載の洗浄組成物は、紙、厚紙、プラスチック材料、及び任意の好適な積層物から製造されるものを含む、任意の好適な容器中にパッケージ化することができる。任意のパッケージングの形は、欧州特許第９４９２１５０５．７号に記載されている。
【０２２５】
パウチ化組成物
本明細書に記載の洗浄組成物は、また、単一小室又は多小室洗浄組成物として、例えば単位化された投与形でパッケージしてもよい。例えば、洗浄組成物は水溶性パウチ中にカプセル化されてもよい。水溶性パウチはポリビニルアルコール（ＰＶＯＨ）を含んでもよい。パウチは、少なくとも２つの小室、又は少なくとも３つの小室中に内容物を有してもよい。各小室中の内容物は同一の色を有してもよく、又は異なる色若しくは対比的な色を有してもよい。各小室中の内容物は、液体、固体、又はこれらの混合物であってもよい。好適なパウチ及びそのようなパウチを形成する方法は、例えば参照により本明細書中に組み込まれている米国特許出願第２００２／０１６９０９２号及び同第２００９／０１９９８７７号に記述されている。
【実施例】
【０２２６】
以下の例では、洗浄組成物内の個別の成分は、特記しない限り洗浄組成物の重量でのパーセントとして表される。例では、以下の例において、次の略号を使用する：
ＢｕＯ＝ブチレンオキシド
ＰＯ＝プロピレンオキシド
【０２２７】
合成例１：１モルグリセリン＋３モルＢｕＯ＋３モルＰＯ、アミン化
ａ）１モルグリセリン＋３モルＢｕＯ＋３モルＰＯ
３．５Ｌオートクレーブ中で９５．０ｇのグリセリン及び１．０ｇのカリウムｔｅｒｔ．−ブチレートを混合する。オートクレーブを窒素で３回パージし、及び１４０℃まで加熱する。２２３．０ｇのブチレンオキシドを９０分以内に添加する。混合物を１４０℃で５時間後反応させる。次いで、１７９．７ｇのプロピレンオキシドを１時間以内に分けて添加する。反応を完結させるために、混合物を１４０℃で更に３時間後反応させる。反応混合物を窒素によりストリッピングし、及び揮発性化合物を真空中８０℃で除去する。４．９ｇの合成マグネシウムシリケート（Ｍａｃｒｏｓｏｒｂ  ＭＰ５ｐｌｕｓ，Ｉｎｅｏｓ  Ｓｉｌｉｃａｓ  Ｌｔｄ．）を１００℃で２時間撹拌しながら添加することにより触媒を除去し、濾過する。
【０２２８】
黄色がかったオイルを得る（４９０．０ｇ、ヒドロキシ価：３１４．５ｍｇＫＯＨ／ｇ）。
【０２２９】
ｂ）１モルグリセリン＋３モルＢｕＯ＋３モルＰＯ、アミノ化
９Ｌオートクレーブ中で例１−ａからの３５０ｍＬの生成トリオール混合物、１２００ｍＬのＴＨＦ及び１５００ｇのアンモニアを欧州特許第０６９６５７２（Ｂ１）号に記載の２００ｍＬの固体触媒の存在において混合する。ニッケル、コバルト、銅、モリブデン及びジルコニウムを含有する触媒を３×３ｍｍ錠剤の形にする。オートクレーブを水素によりパージし、及びオートクレーブを加熱することにより反応を開始する。反応混合物を２０５℃で１５時間撹拌し；全還元アミノ化ステップの間水素をパージすることにより全圧を２８ＭＰａ（２８０ｂａｒ）に維持する。オートクレーブを冷却した後、最終生成物を捕集し、濾過し、過剰のアンモニアを放気し、及びロータリーエバポレーター中でストリッピングして、軽質アミン及び水を除去する。合計３５０〜４００グラムの淡色のエーテルアミン混合物を回収する。その分析結果を表１に示す。
【０２３０】
【表１】
2016534205.tif 000019
【０２３１】
合成例２：１モルグリセリン＋３モルＰＯ＋３モルＢｕＯ、アミノ化
ａ）１モルグリセリン＋３モルＰＯ＋３モルＢｕＯ
３．５Ｌオートクレーブ中で８８．１ｇのグリセリン及び０．９ｇのカリウムｔｅｒｔ．−ブチレートを混合する。オートクレーブを窒素で３回パージし、及び１４０℃まで加熱する。５２２．０ｇのプロピレンオキシドを１時間以内に添加する。混合物を１４０℃で３時間後反応させる。次いで、２０６．８ｇのブチレンオキシドを１時間以内に分けて添加する。反応を完結させるために、混合物を１４０℃で更に３時間後反応させる。反応混合物を窒素によりストリッピングし、及び揮発性化合物を真空中８０℃で除去する。４．４ｇのｐｌｕｓＭａｃｒｏｓｏｒｂ  ＭＰを１００℃で２時間撹拌しながら添加することにより触媒を除去し、濾過する。
【０２３２】
黄色がかったオイルを得る（４１０．０ｇ、ヒドロキシ価：３３６．５ｍｇＫＯＨ／ｇ）。
【０２３３】
ｂ）１モルグリセリン＋３モルＰＯ＋３モルＢｕＯ、アミノ化
９Ｌオートクレーブ中で例２−ａからの３５０ｍＬの生成トリオール混合物、１２００ｍＬのＴＨＦ及び１５００ｇのアンモニアを欧州特許第０６９６５７２（Ｂ１）号に記載の２００ｍＬの固体触媒の存在において混合する。ニッケル、コバルト、銅、モリブデン及びジルコニウムを含有する触媒を３×３ｍｍ錠剤の形にする。オートクレーブを水素によりパージし、及びオートクレーブを加熱することにより反応を開始する。反応混合物を２０５℃１５時間撹拌し；全還元アミノ化ステップの間水素をパージすることにより全圧を２８ＭＰａ（２８０ｂａｒ）に維持する。オートクレーブを冷却した後、最終生成物を捕集し、濾過し、過剰のアンモニアを放気し、及びロータリーエバポレーター中でストリッピングして、軽質アミン及び水を除去する。合計３５０〜３５０グラムの淡色のエーテルアミン混合物を回収する。その分析結果を表２に示す。
【０２３４】
【表２】
2016534205.tif 000020
【０２３５】
合成例３：
１モルグリセリン＋６モルＢｕＯ、アミン化
ａ）１モルグリセリン＋６モルＢｕＯ
３．５Ｌオートクレーブ中で１０３．４ｇのグリセリン及び１．２ｇのカリウムｔｅｒｔ．−ブチレートを混合する。オートクレーブを窒素で３回パージし、及び１４０℃まで加熱する。４８５．５ｇのブチレンオキシドを２時間以内に添加する。反応を完結させるために、混合物を１４０℃で更に７時間後反応させる。反応混合物を窒素によりストリッピングし、及び揮発性化合物を真空中８０℃で除去する。５．９ｇのＭａｃｒｏｓｏｒｂ  ＭＰ５ｐｌｕｓを１００℃で２時間撹拌しながら添加することにより触媒を除去し、濾過する。
【０２３６】
黄色がかったオイルを得る（５８９．０ｇ、ヒドロキシ価：２８５．０ｍｇＫＯＨ／ｇ）。
【０２３７】
ｂ）グリセリン＋６モルＢｕＯ、アミノ化
９Ｌオートクレーブ中で例３−ａからの５００ｍＬの生成トリオール混合物、１２００ｍＬのＴＨＦ及び１５００ｇのアンモニアを欧州特許第０６９６５７２（Ｂ１）号に記載の２００ｍＬの固体触媒の存在において混合する。ニッケル、コバルト、銅、モリブデン及びジルコニウムを含有する触媒を３×３ｍｍ錠剤の形にする。オートクレーブを水素によりパージし、及びオートクレーブを加熱することにより反応を開始する。反応混合物を２０５℃で１５時間撹拌し；全還元アミノ化ステップの間水素をパージすることにより全圧を２８ＭＰａ（２８０ｂａｒ）に維持する。オートクレーブを冷却した後、最終生成物を捕集し、濾過し、過剰のアンモニアを放気し、及びロータリーエバポレーター中でストリッピングして、軽質アミン及び水を除去する。
合計４５０グラムの淡色のエーテルアミン混合物を回収する。その分析結果を表３に示す。
【０２３８】
【表３】
2016534205.tif 000021
【０２３９】
合成例４：１モルグリセリン＋４．２モルＰＯ＋１．８モルＢｕＯ、アミン化
ａ）１モルグリセリン＋４．２モルＰＯ＋１．８モルＢｕＯ
３．５Ｌオートクレーブ中で８８．９ｇのグリセリン及び０，９ｇのカリウムｔｅｒｔ．−ブチレートを混合する。オートクレーブを窒素で３回パージし、及び１４０℃まで加熱する。２３５．４ｇのプロピレンオキシドを１．５時間以内に添加する。混合物を１４０℃で３時間後反応させる。次いで、１２５．２ｇのブチレンオキシドを１時間以内に分けて添加する。反応を完結させるために、混合物を１４０℃で更に５時間後反応させる。反応混合物を窒素によりストリッピングし、及び揮発性化合物を真空中８０℃で除去する。４．７ｇのＭａｃｒｏｓｏｒｂ  ＭＰ５ｐｌｕｓを１００℃で２時間撹拌しながら添加することにより触媒を除去し、濾過する。
【０２４０】
黄色がかったオイルを得る（４７０．０ｇ、ヒドロキシ価：３１２．１ｍｇＫＯＨ／ｇ）。
【０２４１】
ｂ）１モルグリセリン＋４．２モルＰＯ＋１．８モルＢｕＯ、アミノ化
９Ｌオートクレーブ中で例４−ａからの３５０ｍＬの生成トリオール混合物、１２００ｍＬのＴＨＦ及び１５００ｇのアンモニアを欧州特許第０６９６５７２（Ｂ１）号に記載の２００ｍＬの固体触媒の存在において混合する。ニッケル、コバルト、銅、モリブデン及びジルコニウムを含有する触媒を３×３ｍｍ錠剤の形にする。オートクレーブを水素によりパージし、及びオートクレーブを加熱することにより反応を開始する。反応混合物を２０５℃１５時間撹拌し；全還元アミノ化ステップの間水素をパージすることにより全圧を２８ＭＰａ（２８０ｂａｒ）に維持する。オートクレーブを冷却した後、最終生成物を捕集し、濾過し、過剰のアンモニアを放気し、及びロータリーエバポレーター中でストリッピングして、軽質アミン及び水を除去する。合計３５０〜４００グラムの淡色のエーテルアミン混合物を回収する。その分析結果を表４に示す。
【０２４２】
【表４】
2016534205.tif 000022
【０２４３】
例５：洗濯洗剤組成物からの油しみ除去（比較）
当業者には既知の伝統的な方法により表記の成分を混合することにより次の洗濯洗剤組成物を作製する。組成物Ａは、Ｂａｘｘｏｄｕｒ  ＥＣ３０１、式Ｄの構造の直鎖状アミン末端ポリアルキレングリコールを使用する在来のプレミアム洗濯洗剤である。
【０２４４】
【化１８】
2016534205.tif 000023
【０２４５】
液体洗剤組成物Ｂは、合成例２（例えば、配合Ａ参照）により作製されるポリエーテルアミンを含有する。
【０２４６】
【化１９】
2016534205.tif 000024
【０２４７】
【表５】
2016534205.tif 000025
１．−ＮＨ当たり２０のエトキシレート基を有するポリエチレンイミン（ＭＷ＝６００）
２．Ｓｔｅｐａｎ，Ｎｏｒｔｈｆｉｅｌｄ，Ｉｌｌｉｎｏｉｓ，ＵＳＡにより供給される平均脂肪族炭素鎖長Ｃ１１〜Ｃ１２を有する直鎖状アルキルベンゼンスルホネート
３．ＡＥ９は、Ｈｕｎｔｓｍａｎ（Ｓａｌｔ  Ｌａｋｅ  Ｃｉｔｙ，Ｕｔａｈ，ＵＳＡ）から供給されている、平均エトキシル化度が９のＣ１２〜１３エトキシル酸アルコール
４．好適なキレート化剤は、例えばＤｏｗＣｈｅｍｉｃａｌ，Ｍｉｄｌａｎｄ，Ｍｉｃｈｉｇａｎ，ＵＳＡにより供給されるジエチレンテトラアミン五酢酸（ＤＴＰＡ）又はＳｏｌｕｔｉａ，ＳｔＬｏｕｉｓ，Ｍｉｓｓｏｕｒｉ，ＵＳＡＢａｇｓｖａｅｒｄ，Ｄｅｎｍａｒｋにより供給されるヒドロキシエタンジホスホネート（ＨＥＤＰ）である。
５．Ｎａｔａｌａｓｅ（登録商標）、Ｍａｎｎａｗａｙ（登録商標）は全てＮｏｖｏｚｙｍｅｓ，Ｂａｇｓｖａｅｒｄ，Ｄｅｎｍａｒｋの製品
６．プロテアーゼは、Ｇｅｎｅｎｃｏｒ  Ｉｎｔｅｒｎａｔｉｏｎａｌ（Ｐａｌｏ  Ａｌｔｏ，Ｃａｌｉｆｏｒｎｉａ，ＵＳＡ）（例えばＰｕｒａｆｅｃｔ  Ｐｒｉｍｅ（登録商標））、又はＮｏｖｏｚｙｍｅｓ（Ｂａｇｓｖａｅｒｄ，Ｄｅｎｍａｒｋ）（例えばＬｉｑｕａｎａｓｅ（登録商標）、Ｃｏｒｏｎａｓｅ（登録商標））から供給されるものでよい。
１０．好適な蛍光増白剤は、例えばＴｉｎｏｐａｌ（登録商標）ＡＭＳ、Ｔｉｎｏｐａｌ（登録商標）ＣＢＳ−Ｘ、スルホン化亜鉛フタロシアニンＣｉｂａＳｐｅｃｉａｌｔｙＣｈｅｍｉｃａｌｓ，Ｂａｓｅｌ，Ｓｗｉｔｚｅｒｌａｎｄである。
１１．合成例２により作製されるポリエーテルアミン
【０２４８】
ＵＳクレイ、Ｆｒａｎｋ（登録商標）ホットソース、ハンバーガー油、及びメークアップを含むＣＷ１２０木綿の技術用しみ見本はＥｍｐｉｒｉｃａｌ  Ｍａｎｕｆａｃｔｕｒｉｎｇ  Ｃｏ．，Ｉｎｃ（Ｃｉｎｃｉｎｎａｔｉ）から購入する。見本を１ガロン当たり６グレインの硬度の水を用いてＷｈｉｒｌｐｏｏｌ（登録商標）前側投入式洗濯機により摂氏３７．８℃（１００°Ｆ）で洗浄する。試験で使用した液体洗剤の全量は４９グラムである。
【０２４９】
画像解析を使用して、各しみをしみの付いていない布地のコントロールと比較する。ソフトウエアは得られる画像を標準の色値に変換し、及び各しみを色値に帰属する（しみレベル）通常使用されるマクベス色保持チャートに基づいてそれらを標準と比較する。各しみの８つの複製を作製する。
【０２５０】
見本からのしみ除去を次のように測定する：
【０２５１】
【数１】
2016534205.tif 000026
ΔＥｉｎｉｔｉａｌ＝洗浄前のしみレベル
ΔＥｗａｓｈｅｄ＝洗浄後のしみレベル
【０２５２】
各しみに対するしみ除去指数評点を計算し、及び下記の表に示す（データ表５）：
【０２５３】
【表６】
2016534205.tif 000027
【０２５４】
これらの結果は、線状ジアミンポリアルキレングリコール（組成物Ａ）と比較して本開示のポリエーテルアミン（組成物Ｂ中で使用されるような）の驚くべき油除去効果を例示する。
【０２５５】
例６：洗濯洗剤粉末組成物からの油除去（比較）
当業者には既知の伝統的な方法により表記の成分を混合することにより次の洗濯洗剤粉末組成物を作製する。組成物Ａは、Ｂａｘｘｏｄｕｒ  ＥＣ３０１、直鎖状アミン末端ポリアルキレングリコール（上記の式Ｄを参照）を使用する洗濯洗剤である。液体洗剤組成物Ｂは、合成例２（例えば、配合Ａ参照）により作製されるポリエーテルアミンを含有する。
【０２５６】
【表７】
2016534205.tif 000028
１．Ｓｔｅｐａｎ，Ｎｏｒｔｈｆｉｅｌｄ，Ｉｌｌｉｎｏｉｓ，ＵＳＡにより供給される平均脂肪族炭素鎖長Ｃ１１〜Ｃ１２を有する直鎖状アルキルベンゼンスルホネート
２．ＡＥ３Ｓは、Ｓｔｅｐａｎ，Ｎｏｒｔｈｆｉｅｌｄ，Ｉｌｌｉｎｏｉｓ，ＵＳＡにより供給されるＣ１２〜１５アルキルエトキシ（３）サルフェートである。
３．ＺｅｏｌｉｔｅＡは、ＩｎｄｕｓｔｒｉａｌＺｅｏｌｉｔｅ（ＵＫ）Ｌｔｄ，Ｇｒａｙｓ，Ｅｓｓｅｘ，ＵＫにより供給されるものである。
４．１．６Ｒ  Ｓｉｌｉｃａｔｅは、Ｋｏｍａ，Ｎｅｓｔｅｍｉｃａ，Ｃｚｅｃｈ．Ｒｅｐｕｂｌｉｃにより供給されるものである。
５．炭酸ナトリウムはＳｏｌｖａｙ，Ｈｏｕｓｔｏｎ，Ｔｅｘａｓ，ＵＳＡにより供給されるものである。
６．汚れ放出剤はＲｈｏｄｉａ，Ｐａｒｉｓ，Ｆｒａｎｃｅにより供給されるＲｅｐｅｌ−ｏ−ｔｅｘ（登録商標）ＰＦである。
７．アクリル酸／マレイン酸コポリマーは、分子量が７０，０００、アクリレート：マレエートの比率が７０：３０であり、ＢＡＳＦ（Ｌｕｄｗｉｇｓｈａｆｅｎ，Ｇｅｒｍａｎｙ）から供給されている。
８．Ｓａｖｉｎａｓｅ（登録商標）、Ｎａｔａｌａｓｅ（登録商標）、Ｓｔａｉｎｚｙｍｅ（登録商標）、Ｌｉｐｅｘ（登録商標）、Ｃｅｌｌｕｃｌｅａｎ（商標）、Ｍａｎｎａｗａｙ（登録商標）、及びＷｈｉｔｅｚｙｍｅ（登録商標）はいずれも、Ｎｏｖｏｚｙｍｅｓ（Ｂａｇｓｖａｅｒｄ，Ｄｅｎｍａｒｋ）の製品である。
９．プロテアーゼは、Ｇｅｎｅｎｃｏｒ  Ｉｎｔｅｒｎａｔｉｏｎａｌ（Ｐａｌｏ  Ａｌｔｏ，Ｃａｌｉｆｏｒｎｉａ，ＵＳＡ）（例えばＰｕｒａｆｅｃｔ  Ｐｒｉｍｅ（登録商標））、又はＮｏｖｏｚｙｍｅｓ（Ｂａｇｓｖａｅｒｄ，Ｄｅｎｍａｒｋ）（例えばＬｉｑｕａｎａｓｅ（登録商標）、Ｃｏｒｏｎａｓｅ（登録商標））から供給されるものでよい。
１０．合成例２により作製されるポリエーテルアミン
１１．ＴＡＥＤはＣｌａｒｉａｎｔＧｍｂｈ，Ｓｕｌｚｂａｃｈ，Ｇｅｒｍａｎｙにより商品名Ｐｅｒａｃｔｉｖｅ（登録商標）で供給されるテトラアセチルエチレンジアミンである。
１２．炭酸ナトリウムは、Ｓｏｌｖａｙ，Ｈｏｕｓｔｏｎ，Ｔｅｘａｓ，ＵＳＡにより供給されるものである。
１３．エチレンジアミン−Ｎ，Ｎ’−二コハク酸、（Ｓ，Ｓ）異性体（ＥＤＤＳ）のＮａ塩は、Ｏｃｔｅｌ（Ｅｌｌｅｓｍｅｒｅ  Ｐｏｒｔ，ＵＫ）から供給される。
１４．ヒドロキシエタンジホスホネート（ＨＥＤＰ）は、ＤｏｗＣｈｅｍｉｃａｌ，Ｍｉｄｌａｎｄ，Ｍｉｃｈｉｇａｎ，ＵＳＡにより供給されるものである。
１５．泡抑制剤疑集体は、Ｄｏｗ  Ｃｏｒｎｉｎｇ（Ｍｉｄｌａｎｄ，ＭＩｃｈｉｇａｎ，ＵＳＡ）から供給されるものである。
１６．蛍光増白剤１は、Ｔｉｎｏｐａｌ（登録商標）ＡＭＳ、蛍光増白剤２は、Ｔｉｎｏｐａｌ（登録商標）ＣＢＳ−Ｘ、スルホン化亜鉛フタロシアニン及びダイレクトバイオレット９は、Ｐｅｒｇａｓｏｌ（登録商標）バイオレットＢＮ−Ｚであり、これらは全てＣｉｂａ  Ｓｐｅｃｉａｌｔｙ  Ｃｈｅｍｉｃａｌｓ（Ｂａｓｅｌ，Ｓｗｉｔｚｅｒｌａｎｄ）から供給されるものである。
【０２５７】
焦がしバター、ベーコン油、ＤＭＯ、マーガリン、タコ油，ハンバーガー油、及びイタリアンドレッシングを含むＣＷ１２０木綿の技術用しみ見本はＥｍｐｉｒｉｃａｌ  Ｍａｎｕｆａｃｔｕｒｉｎｇ  Ｃｏ．，Ｉｎｃ（Ｃｉｎｃｉｎｎａｔｉ）から購入する。１ガロン当たり１４グレインの硬度の水を用いて、３０℃での木綿サイクルを選択し、各々の８０ｇのそれぞれの洗剤組成物を用いて、しみの付いた見本を在来の西欧型洗濯機（Ｍｅｉｌｅ（登録商標））で洗浄する。画像解析を使用して、各しみをしみの付いていない布地のコントロールと比較する。ソフトウエアは得られる画像を標準の色値に変換し、及び各しみを色値に帰属する（しみレベル）通常使用されるマクベス色保持チャートに基づいてそれらを標準と比較する。各しみの８つの複製を作製する。次いで、しみ除去指数を上記に示す式に従って計算する。
【０２５８】
キーとなる結果を次の表に要約する（データ表６）：
【０２５９】
【表８】
2016534205.tif 000029
【０２６０】
これらの結果は、線状ジアミンポリアルキレングリコール（組成物Ａ）と比較して本開示のポリエーテルアミン（組成物Ｂ中で使用されるような）の驚くべき油除去効果を例示する。
【０２６１】
例７：洗濯洗剤組成物からの油しみ除去（比較）
当業者には既知の伝統的な方法により表記の成分を混合することにより次の洗濯洗剤組成物を作製する。組成物Ａはアミン末端ポリアルキレングリコール化合物を含まない在来のプレミアム洗濯洗剤である。組成物Ｂは、Ｂａｘｘｏｄｕｒ  ＥＣ３０１、式Ｄの構造の直鎖状アミン末端ポリアルキレングリコールを使用する在来のプレミアム洗濯洗剤である。
【０２６２】
【化２０】
2016534205.tif 000030
【０２６３】
組成物Ｃは、合成例３により作製されるような、３つの末端一級アミン（例えば式Ｂを参照）を含むポリエーテルアミンを含む、ポリエーテルアミンを含有する洗剤である。
【０２６４】
【化２１】
2016534205.tif 000031
【０２６５】
【表９】
2016534205.tif 000032
１．−ＮＨ当たり２０のエトキシレート基を有するポリエチレンイミン（ＭＷ＝６００）
２．ランダムグラフトコポリマーは、ポリエチレンオキシド骨格及び多数のポリビニルアセテート側鎖を有するポリビニルアセテートグラフトポリエチレンオキシドコポリマーである。ポリエチレンオキシド骨格の分子量は、約６０００であり、ポリエチレンオキシドのポリ酢酸ビニルに対する重量比は、約４０〜６０であり、５０エチレンオキシド単位当たり１グラフト点を超えない。
３．Ｓｔｅｐａｎ，Ｎｏｒｔｈｆｉｅｌｄ，Ｉｌｌｉｎｏｉｓ，ＵＳＡにより供給される平均脂肪族炭素鎖長Ｃ１１〜Ｃ１２を有する直鎖状アルキルベンゼンスルホネート
４．ＡＥ３Ｓは、Ｓｔｅｐａｎ，Ｎｏｒｔｈｆｉｅｌｄ，Ｉｌｌｉｎｏｉｓ，ＵＳＡにより供給されるＣ１２−１５アルキルエトキシ（３）サルフェートである。
５．ＡＥ７は、Ｈｕｎｔｓｍａｎ（Ｓａｌｔ  Ｌａｋｅ  Ｃｉｔｙ，Ｕｔａｈ，ＵＳＡ）により供給される平均エトキシル化度が７のＣ１２〜１５エトキシル酸アルコールである。
６．ＡＥ９は、Ｈｕｎｔｓｍａｎ（Ｓａｌｔ  Ｌａｋｅ  Ｃｉｔｙ，Ｕｔａｈ，ＵＳＡ）から供給されている、平均エトキシル化度が９のＣ１２〜１３エトキシル酸アルコール
７．好適なキレート化剤は、例えばＤｏｗＣｈｅｍｉｃａｌ，Ｍｉｄｌａｎｄ，Ｍｉｃｈｉｇａｎ，ＵＳＡにより供給されるジエチレンテトラアミン五酢酸（ＤＴＰＡ）又はＳｏｌｕｔｉａ，ＳｔＬｏｕｉｓ，Ｍｉｓｓｏｕｒｉ，ＵＳＡＢａｇｓｖａｅｒｄ，Ｄｅｎｍａｒｋにより供給されるヒドロキシエタンジホスホネート（ＨＥＤＰ）である。
８．Ｓａｖｉｎａｓｅ（登録商標）、Ｎａｔａｌａｓｅ（登録商標）、Ｓｔａｉｎｚｙｍｅ（登録商標）、Ｌｉｐｅｘ（登録商標）、Ｃｅｌｌｕｃｌｅａｎ（商標）、Ｍａｎｎａｗａｙ（登録商標）、及びＷｈｉｔｅｚｙｍｅ（登録商標）はいずれも、Ｎｏｖｏｚｙｍｅｓ（Ｂａｇｓｖａｅｒｄ，Ｄｅｎｍａｒｋ）の製品である。
９．プロテアーゼは、Ｇｅｎｅｎｃｏｒ  Ｉｎｔｅｒｎａｔｉｏｎａｌ（Ｐａｌｏ  Ａｌｔｏ，Ｃａｌｉｆｏｒｎｉａ，ＵＳＡ）（例えばＰｕｒａｆｅｃｔ  Ｐｒｉｍｅ（登録商標））、又はＮｏｖｏｚｙｍｅｓ（Ｂａｇｓｖａｅｒｄ，Ｄｅｎｍａｒｋ）（例えばＬｉｑｕａｎａｓｅ（登録商標）、Ｃｏｒｏｎａｓｅ（登録商標））から供給されるものでよい。
１０．好適な蛍光増白剤は、例えばＴｉｎｏｐａｌ（登録商標）ＡＭＳ、Ｔｉｎｏｐａｌ（登録商標）ＣＢＳ−Ｘ、スルホン化亜鉛フタロシアニンＣｉｂａＳｐｅｃｉａｌｔｙＣｈｅｍｉｃａｌｓ，Ｂａｓｅｌ，Ｓｗｉｔｚｅｒｌａｎｄである。
１１．合成例３により作製されるポリエーテルアミン
【０２６６】
汚れたモーター油、マーガリン、ベーコン油、焦がしバター、ハンバーガー油、タコ油、イタリアンドレッシング及びＵＳクレイを含むＣＷ１２０木綿の技術用しみ見本はＥｍｐｉｒｉｃａｌ  Ｍａｎｕｆａｃｔｕｒｉｎｇ  Ｃｏ．，Ｉｎｃ（Ｃｉｎｃｉｎｎａｔｉ）から購入する。１ガロン当たり１４グレインの硬度の水を用いて、１５℃での木綿サイクルを選択し、各々の８０ｇのそれぞれの洗剤組成物を用いて、しみの付いた見本を在来の西欧型洗濯機（Ｍｅｉｌｅ（登録商標））で洗浄する。画像解析を使用して、各しみをしみの付いていない布地のコントロールと比較する。ソフトウエアは得られる画像を標準の色値に変換し、及び各しみを色値に帰属する（しみレベル）通常使用されるマクベス色保持チャートに基づいてそれらを標準と比較する。各しみの８つの複製を作製する。次いで、しみ除去指数を上記に示す式に従って計算する。
【０２６７】
キーとなる結果を次の表に要約する（データ表７）：
【０２６８】
【表１０】
2016534205.tif 000033
【０２６９】
これらの結果は、在来の（非ポリエーテルアミン）液体洗剤（組成物Ａ）と比較して、及び線状ジアミンポリアルキレングリコール（組成物Ｂ）入りで配合された液体洗剤と比較して、特にストレスをかけた冷水洗浄条件におけるハンバーガー油及びタコ油のような除去困難な、高頻度のコンシューマーのしみに対する本開示のポリエーテルアミン（組成物Ｃ中で使用されるような）の驚くべき油除去の効果を例示する。
【０２７０】
例８：洗濯洗剤組成物からの油除去（比較）
当業者には既知の伝統的な方法により表記の成分を混合することにより次の洗濯洗剤組成物を作製する。組成物Ａ、Ｂ、及びＣは式Ｃの一般構造を有するポリエーテルアミンを含む。
【０２７１】
【化２２】
2016534205.tif 000034
【０２７２】
組成物Ａは平均ｎ＝１．０の式Ｃのポリエーテルアミンを使用する。組成物Ｂは平均ｎ＝２．０の式Ｃのポリエーテルアミンを使用する。組成物Ｃは平均ｎ＝２．５の式Ｃのポリエーテルアミンを使用する。組成物Ｄはポリエーテルアミンを含まない。
【０２７３】
【表１１】
2016534205.tif 000035
１．−ＮＨ当たり２０のエトキシレート基を有するポリエチレンイミン（ＭＷ＝６００）
２．Ｓｔｅｐａｎ，Ｎｏｒｔｈｆｉｅｌｄ，Ｉｌｌｉｎｏｉｓ，ＵＳＡにより供給される平均脂肪族炭素鎖長Ｃ１１〜Ｃ１２を有する直鎖状アルキルベンゼンスルホネート
３．ＡＥ９は、Ｈｕｎｔｓｍａｎ（Ｓａｌｔ  Ｌａｋｅ  Ｃｉｔｙ，Ｕｔａｈ，ＵＳＡ）から供給されている、平均エトキシル化度が９のＣ１２〜１３エトキシル酸アルコール
４．好適なキレート化剤は、例えばＤｏｗＣｈｅｍｉｃａｌ，Ｍｉｄｌａｎｄ，Ｍｉｃｈｉｇａｎ，ＵＳＡにより供給されるジエチレンテトラアミン五酢酸（ＤＴＰＡ）又はＳｏｌｕｔｉａ，ＳｔＬｏｕｉｓ，Ｍｉｓｓｏｕｒｉ，ＵＳＡＢａｇｓｖａｅｒｄ，Ｄｅｎｍａｒｋにより供給されるヒドロキシエタンジホスホネート（ＨＥＤＰ）である。
５．Ｎａｔａｌａｓｅ（登録商標）、Ｍａｎｎａｗａｙ（登録商標）は全てＮｏｖｏｚｙｍｅｓ，Ｂａｇｓｖａｅｒｄ，Ｄｅｎｍａｒｋの製品
６．プロテアーゼは、Ｇｅｎｅｎｃｏｒ  Ｉｎｔｅｒｎａｔｉｏｎａｌ（Ｐａｌｏ  Ａｌｔｏ，Ｃａｌｉｆｏｒｎｉａ，ＵＳＡ）（例えばＰｕｒａｆｅｃｔ  Ｐｒｉｍｅ（登録商標））、又はＮｏｖｏｚｙｍｅｓ（Ｂａｇｓｖａｅｒｄ，Ｄｅｎｍａｒｋ）（例えばＬｉｑｕａｎａｓｅ（登録商標）、Ｃｏｒｏｎａｓｅ（登録商標））から供給されるものでよい。
１０．好適な蛍光増白剤は、例えばＴｉｎｏｐａｌ（登録商標）ＡＭＳ、Ｔｉｎｏｐａｌ（登録商標）ＣＢＳ−Ｘ、スルホン化亜鉛フタロシアニンＣｉｂａＳｐｅｃｉａｌｔｙＣｈｅｍｉｃａｌｓ，Ｂａｓｅｌ，Ｓｗｉｔｚｅｒｌａｎｄである。
１１．平均ｎ＝１の上記の式Ｃのポリエーテルアミン（組成物Ａ）、平均ｎ＝２．０（組成物Ｂ）、又は平均ｎ＝２．５（組成物Ｃ）。
【０２７４】
ハンバーガー油、タコ油、マーガリン、及び焦がしバターを含むＣＷ１２０木綿の技術用しみ見本はＥｍｐｉｒｉｃａｌ  Ｍａｎｕｆａｃｔｕｒｉｎｇ  Ｃｏ．，Ｉｎｃ（Ｃｉｎｃｉｎｎａｔｉ）から購入する。見本を１ガロン当たり６グレインの硬度の水を用いてＷｈｉｒｌｐｏｏｌ（登録商標）前側投入式洗濯機により摂氏３７．８℃（１００°Ｆ）で洗浄する。試験で使用した液体洗剤の全量は４９グラムである。
【０２７５】
画像解析を使用して、各しみをしみの付いていない布地のコントロールと比較する。ソフトウエアは得られる画像を標準の色値に変換し、及び各しみを色値に帰属する（しみレベル）通常使用されるマクベス色保持チャートに基づいてそれらを標準と比較する。各しみの８つの複製を作製する。
【０２７６】
見本からのしみ除去を次のように測定する：
【０２７７】
【数２】
2016534205.tif 000036
ΔＥｉｎｉｔｉａｌ＝洗浄前のしみレベル
ΔＥｗａｓｈｅｄ＝洗浄後のしみレベル
【０２７８】
各しみに対するしみ除去指数評点を計算し、及び下記の表に示す（データ表８）：
【０２７９】
【表１２】
2016534205.tif 000037
【０２８０】
これらの結果は、ポリエーテルアミンを含まない在来の洗剤（組成物Ｄ）と比較して、本開示のポリエーテルアミン（組成物Ａ，Ｂ及びＣ中で使用されるような）の驚くべき油除去効果を例示する。
【０２８１】
本明細書で開示される寸法及び値は、列挙された正確な数値に厳密に限定されたものとして理解されるべきではない。代わりに、特に指定のない限り、各そのような寸法は、記載された値と、その値の周辺の機能的に同等の範囲との両方を意味するように意図される。例えば、「４０ｍｍ」と開示された寸法は、「約４０ｍｍ」を意味するように意図されている。
【０２８２】
全ての相互参照されるか又は関連する特許又は特許出願、及び本出願が優先権又はその利益を主張する任意の特許出願又は特許を含む、本明細書で引用される全ての文書は、特に除外又は別途限定を明言しない限り、その全体が本明細書に組み込まれる。いずれの文献の引用も、こうした文献が本出願で開示又は特許請求される任意の発明に対する先行技術であることを容認するものではなく、また、こうした文献が、単独で、あるいは他の任意の参照文献との任意の組み合わせにおいて、こうした発明のいずれかを教示、示唆又は開示していることを容認するものでもない。更に、この文献における用語のいずれかの意味又は定義が、参照により取り入れられた文献における同じ用語のいずれかの意味又は定義と相容れない場合は、この文献においてその用語に割り当てられた意味又は定義に従うものとする。
【０２８３】
本発明の特定の実施形態が例示され記載されてきたが、本発明の趣旨及び範囲から逸脱することなく他の様々な変更及び修正を加えることができることが当業者には自明であろう。したがって、本発明の範囲内に含まれる、そのような全ての変更及び修正は添付の特許請求の範囲に網羅するように意図される。
【国際調査報告】
2016534205.tif 000040
2016534205.tif 000041